(57)【要約】例えば、ｍｍＷアクセスリンクシステム設計において、ビームフォーミングの送信および／または受信を、制御チャネル送信／受信に適用することができる。サブフレーム構造内において候補制御チャネルビームおよび／またはそれらのロケーションを識別するための技法は、効率的なＷＴＲＵ動作を提供することができる。ビームフォーミングされた制御チャネル設計のためのフレームワークは、ｍＢおよび／もしくはＷＴＲＵの様々な能力をサポートすることができ、ならびに／または制御チャネルビームの時間および／もしくは空間領域多重化をサポートすることができる。マルチビームシステムについては、基準信号設計に対する変更は、制御チャネルビームを発見し、識別し、測定し、および／またはデコードすることができる。技法は、ビーム間干渉を軽減することができる。ＷＴＲＵ監視は、おそらくは、時間および／または周波数探索空間に加えて、ビーム探索空間を考慮することができる。ダウンリンク制御チャネルに対する拡張は、ナローデータビームのスケジューリングをサポートすることができる。スケジューリング技法は、例えば、大きい帯域幅が利用可能であり、および／またはＷＴＲＵが空間的に分布することができるとき、高いリソース利用を達成することができる。
2019503149.tif 000002
【特許請求の範囲】
【請求項１】
無線通信のために構成された無線送受信ユニット（ＷＴＲＵ）であって、
メモリと、
プロセッサとを備え、前記プロセッサは、少なくとも、
１つまたは複数の探索空間であって、１つもしくは複数のダウンリンク（ＤＬ）制御チャネルの監視、または前記１つもしくは複数のＤＬ制御チャネルの受信のうちの少なくとも一方を提供するように構成され、１つまたは複数の探索空間のうちの少なくとも１つの探索空間は、１つまたは複数の基準信号のうちの少なくとも１つの基準信号に対応する、１つまたは複数の探索空間
で構成され、前記プロセッサは、少なくとも、
前記１つまたは複数の基準信号のうちの少なくとも１つの基準信号を求めて、制御リージョンの少なくとも部分を監視し、
前記制御リージョンの前記少なくとも部分内において、前記少なくとも１つの基準信号を検出し、
前記少なくとも１つの基準信号の前記検出時に、少なくとも１つのＤＬ制御チャネルを求めて、前記少なくとも１つの基準信号に対応する前記少なくとも１つの探索空間を監視する
ように構成された、ＷＴＲＵ。
【請求項２】
前記プロセッサは、前記少なくとも１つの基準信号の前記検出時に、少なくとも１つのデータチャネルを求めて、前記少なくとも１つの基準信号に対応する前記少なくとも１つの探索空間を監視するようにさらに構成された請求項１に記載のＷＴＲＵ。
【請求項３】
前記少なくとも１つの探索空間は、持続時間を有する請求項２に記載のＷＴＲＵ。
【請求項４】
前記プロセッサは、前記少なくとも１つの基準信号または前記持続時間のうちの少なくとも一方に基づいて、前記少なくとも１つのデータチャネルの時間ロケーションを決定するようにさらに構成された請求項３に記載のＷＴＲＵ。
【請求項５】
前記少なくとも１つの探索空間は、ダウンリンク制御情報（ＤＣＩ）を含み、前記プロセッサは、前記ＤＣＩに少なくとも部分的に基づいて、前記少なくとも１つのＤＬ制御チャネルを監視するようにさらに構成された請求項１に記載のＷＴＲＵ。
【請求項６】
前記少なくとも１つの探索空間は、ダウンリンク制御情報（ＤＣＩ）を含み、前記プロセッサは、前記ＤＣＩに少なくとも部分的に基づいて、前記少なくとも１つのデータチャネルを監視するようにさらに構成された請求項２に記載のＷＴＲＵ。
【請求項７】
前記プロセッサは、前記ＤＣＩに少なくとも部分的に基づいて、前記少なくとも１つのデータチャネルの受信用の少なくとも１つのビームを識別するようにさらに構成された請求項６に記載のＷＴＲＵ。
【請求項８】
前記プロセッサは、前記制御リージョンの前記少なくとも部分が、前記制御リージョンの数々の部分のうちの１つの部分であるようにさらに構成された請求項１に記載のＷＴＲＵ。
【請求項９】
前記プロセッサは、前記制御リージョンの部分の数が、前記制御リージョンのために構成されたシンボルの数の関数であるようにさらに構成された請求項８に記載のＷＴＲＵ。
【請求項１０】
前記プロセッサは、前記制御リージョンの部分の前記数が、前記制御リージョンのために使用されるシンボルの数の関数であるようにさらに構成された請求項８に記載のＷＴＲＵ。
【請求項１１】
送受信機をさらに備え、前記送受信機は、無線通信システムネットワークノードから前記１つまたは複数の探索空間を受信するように構成された請求項１に記載のＷＴＲＵ。
【請求項１２】
前記プロセッサは、前記１つまたは複数の探索空間が、事前定義されるようにさらに構成された請求項１に記載のＷＴＲＵ。
【請求項１３】
前記プロセッサは、前記１つまたは複数の基準信号のうちの前記少なくとも１つの基準信号が、ビーム基準信号またはアンテナポート基準信号のうちの少なくとも一方であるようにさらに構成された請求項１に記載のＷＴＲＵ。
【請求項１４】
前記プロセッサは、前記１つまたは複数の探索空間のうちの前記少なくとも１つの探索空間が、ビーム探索空間またはアンテナポート探索空間のうちの少なくとも一方であるようにさらに構成された請求項１に記載のＷＴＲＵ。
【請求項１５】
前記プロセッサは、前記制御リージョンの前記少なくとも部分内の前記少なくとも１つの基準信号が、前記少なくとも１つの基準信号の強度が事前決定された閾値を超えたときに、検出されるようにさらに構成された請求項１に記載のＷＴＲＵ。
【請求項１６】
前記プロセッサは、前記少なくとも１つのＤＬ制御チャネルが、１つまたは複数の直交周波数分割多重（ＯＦＤＭ）シンボルを介して伝達されるようにさらに構成された請求項１に記載のＷＴＲＵ。
【請求項１７】
前記プロセッサは、前記少なくとも１つのＤＬ制御チャネルがその上で伝達される前記１つまたは複数のＯＦＤＭシンボルが、前記制御リージョン内に配置されるようにさらに構成された請求項１６に記載のＷＴＲＵ。
【請求項１８】
前記プロセッサは、物理制御フォーマットインジケータチャネル（ＰＣＦＩＣＨ）を介して、前記制御リージョン内の前記１つまたは複数のＯＦＤＭシンボルの数を取得するようにさらに構成された請求項１７に記載のＷＴＲＵ。
【請求項１９】
前記プロセッサは、前記ＰＣＦＩＣＨが、同期チャネルのビームを介して取得されるようにさらに構成された請求項１８に記載のＷＴＲＵ。
【請求項２０】
前記プロセッサは、前記ＰＣＦＩＣＨが、物理ブロードキャストチャネル（ＰＢＣＨ）のビームを介して取得されるようにさらに構成された請求項１８に記載のＷＴＲＵ。
【発明の詳細な説明】
【背景技術】
【０００１】
本出願は、あらゆる目的で、その全内容が本明細書において完全に説明されているかのように参照によって組み込まれる、２０１５年１１月１０日に出願された米国特許仮出願第６２／２５３５９９号の利益を主張する。
【０００２】
小規模セルｍｍＷ  ｅＮＢ（ＳＣｍＢ）配備は、３ＧＰＰ  Ｒ１２小規模セル配備に基づくことができる。ｍｍＷ動作は、１つまたは複数のネットワークノードによって実行することができる。小規模セルｍｍＷ  ｅＮＢ（ＳＣｍＢ）は、ダウンリンクにおいて、おそらくは、ＬＴＥエアインターフェースとともに、ｍｍＷエアインターフェースを動作させることが可能な、ＬＴＥ小規模セルｅＮＢとすることができる。
【０００３】
ｍｍＷ  ＷＴＲＵ（ｍＷＴＲＵ）は、ＬＴＥおよびｍｍＷエアインターフェースにおいて動作可能とすることができる。ｍＷＴＲＵは、アンテナの１つもしくは複数のセット、および／または付随する無線周波数（ＲＦ）チェーンを有することができ、おそらくは、１つは、ＬＴＥバンドにおいて、および／またはｍｍＷ周波数バンドにおいて動作する。
【発明の概要】
【課題を解決するための手段】
【０００４】
初期ｍｍＷアクセスリンクシステム設計は、小規模セルＬＴＥネットワークなどの既存のネットワークへのアドオンｍｍＷデータ送信（例えば、少なくともダウンリンク送信）を可能にする、セルラシステム手順にフォーカスすることができる。送信および／または受信ビームフォーミングは、制御チャネル送信／受信に適用されて、例えば、６ＧＨｚ超の周波数における高い経路損失（path loss）を克服することができる。候補制御チャネルビーム、および／またはサブフレーム構造内におけるそれらのロケーションを識別するための技法は、効率的なＷＴＲＵ動作を提供することができる。ビームフォーミングされた制御チャネル設計のためのフレームワークは、ｍＢおよび／もしくはＷＴＲＵの様々な能力をサポートすることができ、ならびに／または制御チャネルビームの時間および／もしくは空間領域多重化をサポートすることができる。基準信号(reference signal)設計に対する変更は、シナリオの中でもとりわけ、例えば、マルチビームシステムについての、１つもしくは複数または各々の制御チャネルビームを発見し、識別し、測定し、および／またはデコード(decode)することができる。技法は、ビーム間干渉を軽減することができる。ＷＴＲＵ監視（monitoring）は、時間および／または周波数探索空間に加えて、ビーム探索空間を考慮することができる。ダウンリンク制御チャネルに対する技法は、ナローデータビームのスケジューリングをサポートすることができる。スケジューリングメカニズムは、例えば、おそらくは、大きい帯域幅が利用可能であり、および／またはＷＴＲＵが空間的に分布することができるとき、（例えば、高い）リソース利用を達成することができる。
【０００５】
例えば、１つまたは複数のビーム固有の制御チャネルを利用することができる。ビーム固有の制御チャネルは、フレーム構造内において固定的なマッピングを利用することができる。例えば、ビーム固有の制御チャネルは、固定的なシンボルに、および／またはフレーム構造内における固定的なサブフレームにマッピングすることができる。例えば、フレーム構造内において、ビーム固有の制御チャネルに対して、柔軟なマッピングを使用することができる。
【０００６】
例えば、制御チャネルの送信および／または受信に対して、ＷＴＲＵ固有および／またはビーム固有の探索空間を使用することができる。ＷＴＲＵ固有および／またはビーム固有の探索空間は、サービング制御チャネル割り振りと関連付けることができる。ＷＴＲＵ固有および／またはビーム固有の探索空間は、ＷＴＲＵ監視(monitoring)手順において利用することができる。例えば、ＷＴＲＵは、（例えば、サブフレームおよびシンボルロケーションに関して）ビーム固有の探索空間サイズを決定するように構成することができる。ＷＴＲＵは、ビーム内におけるＷＴＲＵ固有の探索空間、および／またはビーム固有の探索空間を決定するように構成することができる。
【０００７】
ＷＴＲＵおよび／または基地局は、サブフレームスケジューリングのためのリソース割り当てのための方法を実行するように構成することができる。例えば、サブフレームスケジューリングは、与えられたサブフレーム内において複数の割り当てを可能にすることができる。例えば、サブサブフレーム（ｓｕｂ−ｓｕｂｆｒａｍｅ）スケジューリングは、与えられたサブフレーム内における異なるダウンリンクビームを用いるＷＴＲＵの（例えば、ＴＤＭ）多重化を利用することができるように、実行することができる。
【０００８】
ＷＴＲＵは、ｍＢがＷＴＲＵのために使用することができるダウンリンクデータビームを識別するように構成することができる。例えば、ＷＴＲＵは、１つまたは複数のパラメータに基づいて、ダウンリンクデータのために使用される受信ビームを切り換えるように構成することができる。例えば、ＷＴＲＵは、リソース割り当て情報に基づいて、ダウンリンクデータのために使用される受信ビームを切り換えるように構成することができる。例えば、ＷＴＲＵは、受信されたリソース割り当て情報とは独立して、ダウンリンクデータのために使用される受信ビームを切り換えるように構成することができる。例えば、ＤＬおよび／またはＵＬについて、ビーム合成を使用することができる。
【０００９】
無線通信のために、無線送受信ユニット（ＷＴＲＵ）を構成することができる。ＷＴＲＵは、メモリを備えることができる。ＷＴＲＵは、プロセッサを備えることができる。プロセッサは、少なくとも１つまたは複数の探索空間で構成した。１つまたは複数の探索空間は、１つもしくは複数のダウンリンク（ＤＬ）制御チャネルの監視(monitor)、および／または１つもしくは複数のＤＬ制御チャネルの受信のうちの少なくとも一方を提供するように構成することができる。１つまたは複数の探索空間のうちの少なくとも１つの探索空間は、１つまたは複数の基準信号(reference signals)のうちの少なくとも１つの基準信号に対応することができる。プロセッサは、１つまたは複数の基準信号のうちの少なくとも１つの基準信号を求めて、制御リージョンの少なくとも部分を少なくとも監視（モニター：monitor）するように構成することができる。プロセッサは、制御リージョンの少なくとも部分内において、少なくとも１つの基準信号を検出するように構成することができる。プロセッサは、少なくとも１つの基準信号の検出時に、少なくとも１つのＤＬ制御チャネルを求めて、少なくとも１つの基準信号に対応する少なくとも１つの探索空間を監視（モニター：monitor）するように構成することができる。
【図面の簡単な説明】
【００１０】
【図１】ｍｍＷ小規模セル配備の例を示す図である。
【図２】周波数フィルタリングと空間フィルタリングとの比較の例を示す図である。
【図３】ＯＦＤＭフレーム構造の例を示す図である。
【図４】ｍｍＷダウンリンク論理、トランスポート、および物理チャネルの例を示す図である。
【図５】ｍＷＴＲＵの完全デジタル化されたビームフォーミング例を示す図である。
【図６】少なくとも１つのＰＡＡおよび少なくとも１つのＲＦチェーンを用いる、ｍＷＴＲＵのアナログビームフォーミングの例を示す図である。
【図７】少なくとも１つのＰＡＡおよび少なくとも２つのＲＦチェーンを用いる、ｍＷＴＲＵのアナログビームフォーミングの例を示す図である。
【図８】少なくとも２つのＰＡＡおよび少なくとも２つのＲＦチェーンを用いる、ｍＷＴＲＵのアナログビームフォーミングの例を示す図である。
【図９】少なくとも２つのＰＡＡおよび少なくとも１つのＲＦチェーンを用いる、ｍＷＴＲＵのアナログビームフォーミングの例を示す図である。
【図１０】説明的２Ｄおよびリアルな３Ｄナロービームパターン例を示す図である。
【図１１】リアルな３Ｄブロードサイドブロードビームパターン例を示す図である。
【図１２】物理ダウンリンク制御チャネル（ＰＤＣＣＨ）タイプ１ａの例を示す図である。
【図１３】ＰＤＣＣＨタイプ１ｂの例を示す図である。
【図１４】ＰＤＣＣＨタイプ２の例を示す図である。
【図１５】ＰＤＣＣＨタイプ３ａの例を示す図である。
【図１６】ＰＤＣＣＨタイプ３ｂの例を示す図である。
【図１７】制御チャネルビーム生成のための論理アーキテクチャ例を示す図である。
【図１８】制御ＢＲＳについてのサブフレーム構造および配置の例を示す図である。
【図１９】周波数および時間の２次元におけるリソース割り当て例を示す図である。
【図２０】並列的なビームスイーピングのための制御ＢＲＳについてのサブフレーム構造および配置の例を示す図である。
【図２１】周波数および時間の２次元におけるリソース割り当て例を示す図である。
【図２２】共通制御チャネルビームおよび探索空間の例を示す図である。
【図２３】ＷＴＲＵビーム固有の探索空間の例を示す図である。
【図２４Ａ】例示的な通信システムのシステム図である。
【図２４Ｂ】図２４Ａに示された通信システム内において使用することができる、例示的な無線送受信ユニット（ＷＴＲＵ）のシステム図である。
【図２４Ｃ】図２４Ａに示された通信システム内において使用することができる、例示的な無線アクセスネットワークおよび例示的なコアネットワークのシステム図である。
【図２４Ｄ】図２４Ａに示された通信システム内において使用することができる、別の例示的無線アクセスネットワークおよび例示的コアネットワークのシステム図である。
【図２４Ｅ】図２４Ａに示された通信システム内において使用することができる、別の例示的無線アクセスネットワークおよび例示的コアネットワークのシステム図である。
【発明を実施するための形態】
【００１１】
説明的な実施形態についての詳細な説明が、様々な図を参照して、今から行われる。この説明は、可能な実施についての詳細な例を提供するが、詳細は例であることが意図されており、本出願の範囲を限定することは決して意図されていないことに留意されたい。
【００１２】
おそらくは、ＬＴＥキャリアアグリゲーション方式の拡張を用いる、例えば、３ＧＰＰ  Ｒ１２小規模セル配備に基づいて、ｍｍＷ配備を使用することができる。例は、小規模セルｍｍＷ  ｅＮＢ（ＳＣｍＢ）配備である。ＳＣｍＢは、３ＧＰＰ  Ｒ１２小規模セル配備に基づくことができる。ｍｍＷ動作は、以下のネットワークノードのうちの１つまたは複数によって実行することができる。ＬＴＥ小規模セルｅＮＢは、ダウンリンクにおいて、例えば、ＬＴＥエアインターフェースと並行して、ｍｍＷエアインターフェースを動作させることが可能であることができる。ＳＣｍＢは、例えば、それが、高度アンテナ構成、および／またはビームフォーミング技法を装備しているとき、ワイドビームパターンでＬＴＥダウンリンクチャネルを、および／またはナロービームパターンでｍｍＷチャネルを同時に送信することができる。ＳＣｍＢは、例えば、ｍｍＷアップリンク送信を用いないｍｍＷ無線送受信ユニット（ＷＴＲＵ）をサポートするために、ＬＴＥアップリンク（ＵＬ）動作における機能および／または手順をサポートすることができる。おそらくは非ｍｍＷ  ＬＴＥシステムと並行して、ｍｍＷエアインターフェースを動作させることが可能な無線送受信ユニット（ＷＴＲＵ）は、ｍｍＷ無線送受信ユニット（ｍＷＴＲＵ）および／またはｍｍＷユーザ機器（ｍＵＥ）と呼ばれることがある。ｍＷＴＲＵおよび／またはｍＵＥは、本明細書においては、交換可能に使用することができる。本明細書においては、ＷＴＲＵを使用して、ｍＷＴＲＵに言及することがある。
【００１３】
例えば、ｍＷＴＲＵは、アンテナ（例えば、２つ以上のセット）、および／または付随するＲＦチェーンを備えることができ、いくつかは、ＬＴＥバンドにおいて動作し、および／またはいくつかは、ｍｍＷ周波数バンドにおける動作用である。アンテナの一部、および／または付随するＲＦチェーンは、いくつかのハードウェアおよび／または機能ブロックを共用することができるが、アンテナ、および／または付随するＲＦチェーンは、独立したベースバンド処理機能を実行することができる。例えば、ｍｍＷエアインターフェースが、ＬＴＥシステムと類似性を備えるときは、ベースバンド機能は、あるハードウェアブロックを共用することができる。
【００１４】
例えば、ＬＴＥキャリアアグリゲーション方式の拡張として、ｍｍＷチャネルを使用することができる。１つまたは複数のｍｍＷチャネルは、ｍｍＷ周波数バンドにおけるキャリアタイプとすることができる。１つまたは複数のｍｍＷチャネルは、異なるエアインターフェース、および／またはレガシＬＴＥを適用することができる。１つまたは複数のｍｍＷチャネルは、高スループットおよび／または低待ち時間トラフィックデータアプリケーションのために、日和見的に役立てることができる。
【００１５】
ＬＴＥチャネルは、制御シグナリング、例えば、システム情報アップデート、ページング、無線リソース制御（ＲＲＣ）、および／もしくは非アクセス層（ＮＡＳ）シグナリング（シグナリング無線ベアラ）を搬送することができ、ならびに／またはマルチキャストトラフィックが、搬送されることができる。ＬＴＥチャネルは、ｍｍＷレイヤ１（Ｌ１）制御シグナリングを搬送するために、使用することができる。
【００１６】
ＳＣｍＢおよび／またはｍＷＴＲＵは、おそらくは、例えば、ｍｍＷバンドと関連付けられた相対的に高い伝搬損失のため、ｍｍＷ周波数バンドにおいては、例えば、見通し外（ＮＬＯＳ）において、ナロービームフォーミングを利用することができる。ナロービームフォーミングの利用は、高スループットおよび／または低待ち時間(low-latency)データ送信に対して、（例えば、十分な）リンクバジェットを提供することができる。
【００１７】
送信および／または受信ナロービームペアリングを使用することができる。例えば、少なくとも、最大２００メートルのセル半径を有する一貫したカバレージは、送信および／または受信のために、可動の１０°ビーム幅、および／または２４．５ｄＢｉのホーンアンテナを使用することによって、都市圏においては、２８ＧＨｚおよび／または３８ＧＨｚにおいて達成することができる。
【００１８】
次世代のセルラ通信システムのために必要とされる高データレートを満たすために、無線業界および／または研究機関は、６ＧＨｚ超の周波数、例えば、ｃｍＷおよび／またはｍｍＷ周波数において利用可能な大きい帯域幅を利用するための方法を探求してきた。これらの周波数において利用可能な大きい帯域幅は、ユーザ固有のデータ送信に対して容量改善を提供することができる。これらの６ＧＨｚ超の周波数を使用するうえでの１つの課題は、無線通信にとって、特に屋外環境において不都合なことがある、それらの伝搬に関連する特徴とすることができる。例えば、より高い周波数の送信は、より高い自由空間経路損失を経験することがある。降雨、および／または大気中の気体、例えば、酸素は、さらなる減衰を加えることがあり、ならびに／または群葉は、減衰および／もしくは偏波解消を引き起こすことがある。これらの損失を打ち消すために使用することができるナロービームパターンは、例えば、セル固有のおよび／またはブロードキャストされる情報を配信する際に、基地局（例えば、ｅＮＢ）に対して課題を提起することがある。
【００１９】
図１は、ＳＣｍＢ配備の例を示している。ＳＣｍＢは、ダウンリンク送信のためにナロービームを使用することができる。１つまたは複数のｍＷＴＲＵは、ダウンリンク送信を受信するために、受信側ナロービームを使用することができる。ＳＣｍＢおよび／またはｍＷＴＲＵは、セルサーチ、ランダムアクセス、および／またはセル選択／再選択などを含む、従来のＬＴＥ動作に対して、ブロードビームパターンを適用することができる。
【００２０】
図２は、例えば、ナロー空間フィルタリングを使用する、ｍＷＴＲＵ受信ビームフォーミングの例である。図２は、空間および／または角度フィルタリングの効果を示すために、周波数領域フィルタリングとの例示的な比較を含む。
【００２１】
空間フィルタリングは、おそらくは、例えば、望まれない周波数成分を除去する周波数フィルタリングに類似して、ナロー受信ビームによってキャプチャされる異なる角度方向において、ｍＷＴＲＵがチャネルインパルス応答を検出することを可能にすることができる。これは、それのビーム幅外の角度着信経路を排除することによって、フラットな有効チャネルをもたらすことができる。Ｒ１２  ＬＴＥ  ＷＴＲＵは、無指向性受信ビームパターンを有すると仮定することができ、および／または全角度領域にわたって重ね合わされたチャネルインパルス応答を感知することができる。揃えられたｍｍＷ送信および受信ビームペアは、現在のＬＴＥシステムと比較して、角度領域において自由度を提供することができる。
【００２２】
ｍｍＷシステム（例えば、ダウンリンクシステム）設計は、Ｌ１制御シグナリング、データスケジューリング、ナロービームペアリング、ビーム測定、および／またはＬ１制御情報フィードバックなどを含むことができるセルラシステムに、指向性、例えばナロー送信および／または受信ビームペアの指向性を組み込むことにフォーカスすることができる。
【００２３】
ｍｍＷシステムパラメータおよび／または仮定のいくつかの例が、本明細書において説明される。パラメータおよび／または仮定は、例えば、配備のタイプに応じて、変化することができる。これらのパラメータおよび／または仮定は、限定的であることは意図されておらず、例示的なｍｍＷシステムのパラメータおよび／または仮定の例示的なセットを示すのに役立つように意図されている。パラメータおよび／または仮定は、様々な組み合わせで利用することができる。
【００２４】
例えば、ｍｍＷ動作のための例示的なキャリア周波数は、２８ＧＨｚとすることができる。これは、例示的なシステム数値である。類似の設計を、他のｍｍＷ周波数、例えば、３８ＧＨｚ、６０ＧＨｚ、７２ＧＨｚなどに拡張することができる。システム帯域幅は、例えば、特定の最大システム帯域幅まで、（例えば、キャリアごとに）可変とすることができる。おそらくは、より高い全帯域幅を達成するために使用される、キャリアアグリゲーションを用いる場合、最大システム帯域幅として、例えば、１ＧＨｚを使用することができる。ナロービームパターンを用いる場合、推定されるＲＭＳ遅延スプレッドは、１００〜２００ｎｓとすることができる。待ち時間は、１ｍｓとすることができる。波形は、ＯＦＤＭベース、またはブロードバンドシングルキャリアベースとすることができる。例えば、デュアル接続性は、ｍｍＷアドオンチャネル、ならびに２つの別個のアンテナ、および／または２つの異なるアンテナソリューションに接続されたＲＦチェーンを用いる、ＬＴＥ小規模セルｅＮＢに基づくことができる。システム設計パラメータは、少なくとも９５％のｍＷＴＲＵについて、３０Ｍｂｉｔ／ｓのＤＬデータレートを達成すべきとすることができるが、他の設計目標を使用することもできる。モビリティは、３ｋｍ／ｈで最適化されたデータ接続とすることができ、および／または３０ｋｍ／ｈで接続を維持することができる。カバレージは、１００ｍ未満のセル半径を用いる場合、データレートおよび／またはモビリティ要件を満たすことができる。
【００２５】
ブロードバンドサイクリックプレフィックスありシングルキャリア（ＣＰ−ＳＣ）、ＯＦＤＭ、ＳＣ−ＯＦＤＭ、ＭＣ−ＣＤＭＡ、汎用化ＯＦＤＭ、および／またはＦＢＭＣなどの、１つまたは複数の波形を、システム、例えば、６ＧＨｚ超システム（例えば、ｃｍＷおよび／またはｍｍＷ）のエアインターフェースのために使用することができる。システムのためのフレーム構造は、適用される波形に依存することができる。例えば、低い待ち時間を達成するために、１００μｓなどの送信時間間隔（ＴＴＩ）長を使用することができる。例えば、高いデータレートを達成するために、例えば、５０ＭＨｚから２ＧＨｚまでの範囲内の１つである、システム帯域幅を使用することができる。
【００２６】
ＯＦＤＭベースの波形のｍｍＷフレーム構造は、ＬＴＥチャネルとｍｍＷチャネルとの間の調整において柔軟性を提供することができ、および／またはｍＷＴＲＵデバイスにおいて共通機能ブロック共用を可能にすることができる。例えば、ｍｍＷサンプリング周波数は、１．９２ＭＨｚのＬＴＥ最小サンプリング周波数の整数倍として選択することができ、それは、１５ｋＨｚのＬＴＥサブキャリア間隔の整数倍であるｍｍＷ  ＯＦＤＭサブキャリア間隔Δｆ、例えば、Δｆ＝１５×Ｋ  ｋＨｚをもたらすことができる。整数倍Ｋの選択、および／または結果のΔｆは、ドップラ偏移に対する感度、異なるタイプの周波数誤差、および／またはチャネル時間分散などを除去する能力などを考慮することができる。おそらくは、例えば、ドップラ偏移が、サブキャリア間隔に比例して増加したとき、サブキャリア間の直交性は、悪化することがあり、および／またはサブキャリア間干渉（ＩＳＩ）は、増加することがある。
【００２７】
例えば、３０ｋｍ／ｈおよび２８ＧＨｚにおける最大ドップラ偏移は、約７７８Ｈｚであることができる。密な都市圏における例示的な２８ＧＨｚチャネル時間分散測定は、最大２００ｍのセル半径に対して、１００から２００ｎｓの間にあることができるＲＭＳ遅延スプレッドσを示すことができる。９０％コヒーレンス帯域幅は、１００ｋＨｚの１／５０σにあると推定することができ、５０％コヒーレンス帯域幅は、１ＭＨｚの１／５σにあると推定することができる。
【００２８】
１００ｋＨｚから１ＭＨｚまでの間のサブキャリア間隔Δｆは、合理的であることがある。３００ｋＨｚ（Ｋ＝２０）のサブキャリア間隔は、ドップラ偏移および／もしくは他のタイプの周波数誤差に対してロバストであることができ、ならびに／または実施の複雑さを低減することができる。対応するシンボル長（１／Δｆ）は、約３．３３μｓであることができる。
【００２９】
サイクリックプレフィックス（ＣＰ）長は、シンボル間干渉を除去するために、チャネル時間分散の長さ全体にわたるように構成することができる。例えば、ＣＰは、有用なデータを搬送することができず、もしくは搬送することができないことがあり、および／またはいくつかのシナリオにおいては、長いＣＰは、過剰なシステムオーバヘッドを引き起こすことがある。３．３３μｓのＴsymbolのためのＣＰ長の一例は、Ｔsymbolの１／１４である０．２４μｓに選択することができ、および／または対応するＣＰオーバヘッドは、ＴCP／（ＴCP＋Ｔsymbol）によって計算されて、７％であることができる。
【００３０】
ｍｍＷ送信のＴＴＩ長は、おそらくは、例えば、低待ち時間を達成するために、ＬＴＥシステムの１ｍｓのＴＴＩ長と比較して、低減することができる。いくつかのシナリオにおいては、ＬＴＥの１ｍｓのサブフレームタイミングと揃えるために、１ｍｓのｍｍＷサブフレーム長を有することが有益なことがある。ｍｍＷサブフレームは、他のパラメータ、例えば、サブキャリア間隔、シンボル長、ＣＰ長、および／またはＦＦＴサイズなどに、それの長さを結び付けることができる、複数のｍｍＷ  ＴＴＩを含むことができる。
【００３１】
これらの考察および／または他の考察に基づいて、控えめなＣＰ長（４×チャネル遅延スプレッド）を用いる例が、表１に要約されている。ＣＰ長選択は、２００ｎｓよりも低い、潜在的なｍｍＷ周波数バンド上における遅延スプレッドに基づくことを仮定することができる。
【００３２】
【表１】
2019503149.tif 000003
【００３３】
図３は、例示的なＯＦＤＭベースのフレーム構造を示している。図３においては、システム帯域幅は、１ＧＨｚとすることができ、および／または３００ｋＨｚのサブキャリア間隔は、３．３３μｓの対応するシンボル長とともに使用することができる。０．８３３μｓに等しい、Ｔsymbolの１／４の例示的なサイクリックプレフィックス（ＣＰ）長を使用することができる。
【００３４】
本明細書において提示されるフレーム構造例のいくつかは、ＯＦＤＭベースのｍｍＷ波形という仮定に基づくことができ、それは、ＯＦＤＭベースのＬＴＥ小規模セルネットワーク内に組み込むことができる。本明細書において説明されるシステム手順は、数々のタイプのフレーム設計に等しく適用可能とすることができ、および／またはこの特定のフレーム構造によって束縛されると解釈されるべきではなく、および／または他の波形候補に適用することができる。
【００３５】
ＳＣｍＢおよび／またはｍＷＴＲＵ配備は、例えば、ＬＴＥ物理チャネルの代わりに、および／またはそれに加えて、以下のｍｍＷ物理レイヤチャネルおよび／または基準信号のうちの１つまたは複数を利用することができる。
【００３６】
ＳＣｍＢおよび／またはｍＷＴＲＵは、ビーム獲得（捕獲）（beam acquisition）、タイミング／周波数同期、物理ダウンリンク指向性制御チャネル（ＰＤＤＣＣＨ）についてのチャネル推定、ビームトラッキングおよび／または測定などのために使用される、送信ビームごとに送信される一意的な系列、例えば、ビーム固有基準信号（ＢＳＲＳ）を利用することができる。ＢＳＲＳは、ＢＳＲＳ系列インデックスを含むビームアイデンティティ情報（ビーム識別情報）を暗黙的に搬送することができる。異なるタイプのＢＳＲＳが、存在することができる。ＢＳＲＳリソース割り当ては、事前定義することができる。
【００３７】
ＳＣｍＢおよび／またはｍＷＴＲＵは、与えられたアンテナポートに固有のビームペア測定の目的で、動的にスケジュールおよび／または送信される一意的な系列、例えば、適応アンテナ基準信号（ＡＡＲＳ）を利用することができる。ＡＡＲＳは、ビームアイデンティティ情報（ビーム識別情報）を系列インデックス内に暗黙的に埋め込むことができ、および／または同情報を含む小さいペイロードを搬送することができる。
【００３８】
ＳＣｍＢおよび／またはｍＷＴＲＵは、物理ダウンリンク指向性制御チャネル（ＰＤＤＣＣＨ）を利用することができる。ＰＤＤＣＣＨは、ｍＷＴＲＵが、関連する物理ダウンリンク指向性データチャネル（ＰＤＤＤＣＨ）を正しく識別し、復調し、および／またはデコードするための、いくつかまたはすべてのデータ関連制御情報を搬送することができる。ＰＤＤＣＣＨは、ｍｍＷナロービームで、および／もしくはブロードビームで搬送することができ、ならびに／または異なる多重アクセスに適用することができる。例えば、ｍＷＴＲＵ固有のデータ送信が進行中のとき、例えば、セクタおよび／もしくはセルをカバーするダウンリンクｍｍＷブロードビームで送信される共通ＰＤＤＣＣＨ、ならびに／またはナロービームペアで送信される（例えば、送信される）専用ＰＤＤＣＣＨが、存在することができる。専用ＰＤＤＣＣＨは、それと関連するＰＤＤＤＣＨについてのスケジューリング情報をＴＴＩごとに搬送することができ、および／またはビーム固有の情報を搬送することができず、もしくは搬送することができないことがある。共通ＰＤＤＣＣＨは、セクタ／セグメントアイデンティティおよび／またはビームアイデンティティ（ビーム識別）を含む、セル固有の情報を含むことができる。加えて、ｍＷＴＲＵは、共通ＰＤＤＣＣＨを読み、その後にナロービームデータ送信を開始するために、それがナロービームペアリング手順についてスケジュールされているかどうかを決定することができる。
【００３９】
ＳＣｍＢおよび／またはｍＷＴＲＵは、物理ダウンリンク指向性データチャネル（ＰＤＤＤＣＨ）を利用することができる。ＰＤＤＤＣＨは、ｍｍＷ  ＭＡＣレイヤからＭＡＣ  ＰＤＵの形式で受け取られたペイロード情報を搬送することができる。このチャネルのリソース割り当ては、ＰＤＤＣＣＨで搬送されるダウンリンクスケジューリング情報によって決定することができる。ｍＷＴＲＵ宛てのＰＤＤＤＣＨは、例えば、ナロービームペアを用いて、ナロー送信ビームで送信し、および／または適切にペアにされたナロー受信ビームで受信することができる。この空間的孤立のおかげで、異なるビームペア内の異なるＷＴＲＵのためのＰＤＤＤＣＨは、１つまたは複数の時間、周波数、および／または符号リソースの組み合わせを再使用することができる。多重ＰＤＤＤＣＨも、時間、周波数、および／または符号領域などのうちの１つまたは複数における多重アクセスを使用して、１つのビームペアにおいて動作することができる。共通ＰＤＤＤＣＨを使用して、共通ＰＤＤＣＣＨと関連付けられたブロードｍｍＷアンテナパターンでデータを搬送することができる。
【００４０】
ＳＣｍＢおよび／またはｍＷＴＲＵは、ＰＤＤＤＣＨについてのチャネル推定のために、送信内に埋め込まれたシンボル、例えば、復調基準信号（ＤＭＲＳ）を利用することができる。例えば、ＤＭＲＳは、チャネルの正しい補間および／または再構築を保証するために、事前定義されたパターンに従って、時間および／または周波数領域内に配置することができる。
【００４１】
ナロービームペア内のいくつかまたはすべてのチャネルおよび／または基準信号は、同じようにビームフォーミングすることができ、ならびに／または特定および／もしくは単一の物理アンテナポートを介して送信されると見なすことができる。ナロービーム上におけるブロードキャストおよび／またはマルチキャスト情報の搬送を利用することができるが、これらのチャネルの送信の指向性を考えると、ナロービーム上におけるブロードキャスト、マルチキャスト、および／または他のセル固有の情報の搬送は、最適な適用であることができず、または最適な適用であることができないことがある。ｍｍＷダウンリンクデータ送信を用いるＳＣｍＢ配備は、図４に示されるようなチャネルマッピングを採用することができ、ｍｍＷチャネルは、色付き太線で示されている。
【００４２】
ｍＷＴＲＵは、例えば、ｍｍＷ周波数における高い経路損失を補償するために、位相アンテナアレイを使用して、ビームフォーミングゲインを達成することができる。ｍｍＷ周波数においては、短い波長が、デバイス設計のコンパクトなフォームファクタを可能にすることができる。例えば、０．７λなどの大きい間隔を適用することができる。理論的な性能分析においては、０．５λの素子間隔を使用することができる。
【００４３】
位相アンテナは、１つまたは複数の異なるビームフォーミング方法を適用することができる。例えば、完全にデジタル化されたビームフォーミング手法は、専用ＲＦチェーンを有することができる。例えば、ＲＦチェーンは、アンテナ素子についての図５に示されるように、ＲＦ処理、および／またはアナログデジタル変換（ＡＤＣ）を含むことができる。アンテナ素子によって処理された信号は、チャネル容量を最適化するために、位相および振幅において独立に制御することができる。
【００４４】
構成は、アンテナ素子のそれと同じ数のＲＦチェーンおよびＡＤＣを有することができる。ｍＷＴＲＵアンテナは、（例えば、非常に）高い性能を提供することができる。ｍＷＴＲＵアンテナ構成は、実施においてコストおよび／または複雑さを課すことがある。ｍＷＴＲＵアンテナ構成は、動作中に高いエネルギー消費を引き起こすことがある。完全にデジタル化されたビームフォーミングは、初期の５Ｇ配備および／またはｍＷＴＲＵ実施においては、採用することができず、または採用することができないことがあるが、将来のリリースにおいては、使用することができる。
【００４５】
図６は、アナログビームフォーミングの例とすることができる。アナログビームフォーミングにおいては、与えられた位相アンテナアレイ（ＰＡＡ）に対して、ＲＦチェーンを（例えば、ただ１つのＲＦチェーンを）適用することができる。例えば、アンテナ素子は、位相シフタに接続することができる。位相シフタは、ビームフォーミングおよび／またはステアリングについての重みを設定するために、使用することができる。アナログビームフォーミングを使用して、ＲＦチェーンの数を（例えば、デジタルビームフォーミングと比較して）（例えば、著しく）低減することができる。エネルギー消費を著しく低減することができる。
【００４６】
ビームフォーミングにおいては、アンテナ素子における信号の位相を（例えば、位相だけを）調整することができる。図６は、異なるステージにおいて、例えば、ＲＦ、ベースバンド（ＢＢ）アナログ、および／または局所発振器（ＬＯ）において、位相シフトおよび／または合成を実施することができることを示している。本明細書において説明される技法のうちの１つまたは複数は、手法の有効性／効率、例えば、信号損失、位相誤差、および／または電力消費などを評価するために、使用することができる。
【００４７】
ｍＷＴＲＵアナログビームフォーミング方法は、以下のうちの１つまたは複数を含むことができる。ｍＷＴＲＵアナログビームフォーミングアルゴリズムは、固定的なビームのセットを有するビームのグリッド、例えば、固定的なコードブックベースのビームフォーミングを含むことができる。ビームは、事前定義されたコードブックから選択されたビームフォーミング重みベクトルｖ、ｖ∈｛ｖ1，ｖ2，ｖ3．．．ｖN｝を適用して、ｍＷＴＲＵによって形成することができ、ここで、Ｎは、固定的なビームの数を示す。ベクトルは、ある（例えば、１つもしくは複数またはすべての）位相シフタのための事前較正された位相シフトを含むことができ、および／または一意的なアナログビーム方向、例えば、「ビーム」を表すことができる。ビームの数は、ビームフォーミングの半値電力ビーム幅（ＨＰＢＷ）、および／または所望のカバレージに依存することができる。ｍＷＴＲＵアナログビームフォーミングアルゴリズムは、連続的な位相シフトビームフォーミングを含むことができる。例えば、位相シフタの所望の重みは、推定された短期チャネル情報に基づいて計算することができ、および／または位相シフタのために高分解能デジタルアナログ変換器（ＤＡＣ）を使用して変換することができる。連続的な位相シフトビームフォーミングは、チャネル状態を追跡するために、連続的および／または適応的なビームフォーミングを提供することができる。アルゴリズムは、例えば、増加したマルチパス、高い角度スプレッド、および／または低いＷＴＲＵモビリティを有する、１つまたは複数のシナリオにおいて、良好に動作することができる。
【００４８】
ｍＷＴＲＵは、デジタル化されたビームフォーミングおよびアナログビームフォーミングを含む、ハイブリッド手法を利用することができる。例えば、アナログビームフォーミングは、位相アレイアンテナ素子上において実行することができ、アンテナ素子は、位相シフタと関連付けられ、および／または１つのＲＦチェーンに接続される。デジタル化されたビームフォーミングは、例えば、２つ以上のＲＦチェーンが存在するときに、ＲＦチェーンのベースバンド信号上において適用されるデジタルプリコーディングを含むことができる。デジタルプリコーディングを使用して、ＭＩＭＯ方式を実施することができる。
【００４９】
ハイブリッドビームフォーミングの基本システムパラメータについての例は、データストリームの数ＮDATA、ＲＦチェーン（ＴＲＸ）の数ＮTRX、アンテナポートの数ＮAP、アンテナ素子の数ＮAE、および／または位相アンテナアレイの数ＮPAAなどのうちの１つまたは複数を含むことができる。これらのパラメータの構成は、システム機能および／または性能に影響することができる。
【００５０】
例えば、おそらくは、ＮPAA≦ＮAP≦ＮTRX≦ＮAEであるとき、以下のうちの１つまたは複数が、生じることができる。ＰＡＡは、複数のアンテナ素子を備えることができ、例えば、サイズが４×４のＰＡＡは、１６個のアンテナ素子を有する。アンテナポートを定義することができ、および／またはアンテナポート上のシンボルがその上で運ばれるチャネルは、同じアンテナポート上の別のシンボルがその上で運ばれるチャネルから推測することができる。アンテナポート当たりある（例えば、１つまたは複数の）リソースグリッドが、存在することができる。１つまたは複数のセル固有の基準信号は、１つ、２つ、および／もしくは４つのアンテナポートからなる構成をサポートすることができ、ならびに／またはそれぞれ、アンテナポートｐ＝０、ｐ∈｛０，１｝、およびｐ∈｛０，１，２，３｝の上において送信することができる。マルチキャスト−ブロードキャスト単一周波数ネットワーク（ＭＢＳＦＮ）基準信号は、アンテナポートｐ＝４の上において送信することができる。ＰＤＳＣＨと関連付けられた１つまたは複数のＷＴＲＵ固有の基準信号は、アンテナポートｐ＝５、ｐ＝７、ｐ＝８の上において、またはｐ∈｛７，８，９，１０，１１，１２，１３，１４｝のうちの１つもしくは複数の上において送信することができる。
【００５１】
拡張物理ダウンリンク制御チャネル（ＥＰＤＣＣＨ）と関連付けられた１つまたは複数の復調基準信号は、ｐ∈｛１０７，１０８，１０９，１１０｝のうちの１つまたは複数の上において送信することができる。ポジショニング基準信号は、アンテナポートｐ＝６の上において送信することができる。ＣＳＩ基準信号は、１つ、２つ、４つ、もしくは８つのアンテナポートからなる構成をサポートすることができ、ならびに／またはそれぞれ、アンテナポートｐ＝１５、ｐ∈｛１５，１６｝、ｐ∈｛１５，１６，１７，１８｝、およびｐ∈｛１５，１６，１７，１８，１９，２０，２１，２２｝の上において送信することができる。アンテナポートは、このアンテナポートと一意的に関連付けることができ、および／またはアンテナポートを識別するために使用することができる、ビームフォーミングされた基準信号を搬送することができる。アンテナ構成は、例えば、おそらくは、ＴＲＸの数が、アンテナ素子の数に等しいとき、図５に示されるように、（例えば、完全に）デジタル化されたものになることができる。例は、アンテナ素子当たり１つのＲＦチェーンとすることができる。ＰＡＡは、例えば、システム構成に応じて、（図６に示されるような）ＲＦチェーン、および／または複数のＲＦチェーンに接続することができる。図７においては、ＮPAA＜ＮAP＝ＮTRX＜ＮAEであり、サイズが４×４の１つのＰＡＡは、２つのＲＦチェーンに接続され、および／または１つもしくは複数もしくは各々のＲＦチェーンは、１６個の位相シフタからなるセットを有する。ＰＡＡは、方位角平面における＋４５°から−４５°のカバレージ内に、２つのナロービームパターンを形成することができる。図８は、２つのＰＡＡの例であり、および／または１つもしくは複数もしくは各々のＰＡＡは、専用ＲＦチェーンを有することができ、例えば、ＮPAA＝ＮAP＝ＮTRX≦ＮAEである。図８における例は、例えば、方位角平面において、異なる向きにＰＡＡを配置することによって、２つの同時ビーム間において空間独立性を可能にすることができる。揃えられたＰＡＡ配置は、図７における構成と比較して、統合されたより大きいカバレージを提供することができる。２つのＲＦチェーンを有する両方の構成は、２つのデータストリームとともに、ＭＩＭＯを適用することができる。
【００５２】
例えば、おそらくは、ＮAE＞ＮPAA＞ＮAP＝ＮTRXであるとき、図９に示されるように、スイッチを使用することによって、複数のＰＡＡを（例えば、単一の）ＲＦチェーンに接続することができる。ＰＡＡは、方位角平面において＋４５°から−４５°をカバーする、ナロービームパターンを形成することができる。それらは、別々の方向を向くことができる。単一ビームソリューションは、異なる時間段階において異なる方向においてナロービームを使用することによって、（例えば、良好な）カバレージを提供することができる。
【００５３】
例えば、ＮDATA≦ＮTRX≦ＮAEであるとき、以下が、生じることができる。
【００５４】
例えば、ＮDATA＝ＮTRX＝１であるとき、ｍＷＴＲＵは、単一ビーム構成を有することができ、および／または１度に１つのビームを動作させることができる。以下のうちの１つまたは複数が、生じることができる。ｍＷＴＲＵビームフォーミングは、ナロービームパターンを形成することができる。図１０は、最も強い角度方向、例えば、ビーム測定から取得された見通し（ＬＯＳ）経路における、１６×１６  ＰＡＡについての例である。ｍＷＴＲＵは、ブロードビームパターン、例えば、広いメインローブを形成することができる。図１１は、間に強いおよび／または弱いところを含む連続的な角度方向の範囲をカバーする広いメインローブの例である。アンテナゲインは、ブロードビームパターンを用いると、（例えば、かなり）低減することがあり、および／またはリンクバジェットは、悪くなることがある。
【００５５】
例えば、ＮDATA＝１＜ＮTRXであるとき、ｍＷＴＲＵは、同時ビームパターンを有することができる。ビームパターンは、異なることができ、および／または異なる用途のために使用することができる。例えば、ＮTRX＝２であるとき、ｍＷＴＲＵは、異なる２つの同時ビームパターンを有することができ、および／または異なる用途のために使用することができる。以下のうちの１つまたは複数を適用することができる。ｍＷＴＲＵは、２つのナロービームパターンを異なる角度着信方向に配置して、１つのデータストリームを受信することができる。例えば、コヒーレントビーム合成は、空間ダイバーシティのために使用することができ、ならびに／または閉塞効果および／もしくは弱いＬＯＳ状態を軽減することができる。ｍＷＴＲＵは、異なる用途のために、１つのナロービーム、および／または１つのブロードビームを形成することができる。例えば、ナロービームは、データ送信のために使用することができ、ブロードビームは、制御シグナリング用とすることができる。
【００５６】
例えば、おそらくは、１＜ＮDATA＝ＮTRXであるとき、送信は、例えば、高ＳＮＲチャネル状態において、容量を増加させるために、ＭＩＭＯを適用することができる。ｍＷＴＲＵは、２つのナロービームパターンを異なる角度着信方向に配置して、２つのデータストリームを並列して受信することができる。
【００５７】
ＳＣｍＢビームフォーミング方式のうちの１つまたは複数は、固定的なビーム、適応ビームフォーミング（例えば、コードブックベースおよび／もしくは非コードブックベース）、ならびに／または古典的なビームフォーミング、例えば、到来方向（ＤｏＡ）推定を含むことができる。１つまたは複数の方式は、異なる手法を使用することができ、および／またはあるシナリオにおいて良好に機能することができる。例えば、ＤｏＡ推定は、より小さい角度スプレッドを使用することができ、および／またはｍＷＴＲＵは、ＤｏＡ正確性を保証するために、ＬＴＥアップリンク基準信号を送信することができる（例えば、必要があることがある）。固定的なビームシステムは、ビーム循環および／または切り換えを必要とすることがある。
【００５８】
本明細書において説明される例のうちの１つまたは複数は、ｍＷＴＲＵアンテナ構成および／またはビームフォーミング構成を仮定した言葉で説明することができる。ｍＷＴＲＵアンテナ構成および／またはビームフォーミング構成は、図６に示されるようなアナログビームフォーミングを用いる単一ビームｍＷＴＲＵアンテナ構成に基づくことができる。デジタルビームフォーミングおよび／またはハイブリッドビームフォーミングなどの他のビームフォーミング方法を使用する方法および／または技法も、適用することができる。
【００５９】
ＬＴＥ／ＬＴＥ−Ａおよび／またはＥ−ＰＤＣＣＨが、発展してきた。Ｒｅｌ−８においては、ＲＥ、ＲＥＧ、ＣＣＥ、および／またはＰＤＣＣＨは、以下の通りとすることができる。ダウンリンク送信のための最も小さい時間−周波数ユニットは、リソース要素（ＲＥ）と呼ばれることがある。アンテナポートｐのためのリソースグリッドにおける（例えば、１つもしくは複数または各々の）要素は、リソース要素と呼ばれることがあり、および／またはスロット内においてインデックスペア（ｋ，ｌ）によって一意的に識別することができ、ここで、ｋおよび／またはｌは、それぞれ、周波数領域および／または時間領域におけるインデックスとすることができる。ＰＤＣＣＨ（物理ダウンリンク制御チャネル）は、スケジューリング割り振りおよび／または他の制御情報を搬送することができる。４つの連続するリソース要素からなるグループは、リソース要素グループ（ＲＥＧ）と呼ばれることがある。物理制御チャネルは、１つまたは複数の連続する制御チャネル要素（ＣＣＥ）の集約上で送信することができ、制御チャネル要素は、９つのＲＥＧに対応する。
【００６０】
Ｒｅｌ−１１においては、ＥＰＤＣＣＨ  ＷＴＲＵ固有の探索空間は、以下の通りとすることができる。ＥＰＤＣＣＨは、周波数領域ＩＣＩＣおよび／またはビームフォーミングゲインを達成するために、Ｒｅｌ−１１  ＬＴＥアドバンストにおいて導入された。これ以降、ＥＰＤＣＣＨ、ｅＰＤＣＣＨ、および／またはＥ−ＰＤＣＣＨは、交換可能に使用することができる。また、ＥＲＥＧおよび／またはＥＣＣＥは、それぞれ、ｅＲＥＧおよび／またはｅＣＣＥと交換可能に使用することができる。
【００６１】
Ｒｅｌ−１１においては、ＰＲＢ構成は、以下の通りとすることができる。Ｒｅｌ−１１においては、ＷＴＲＵ固有の探索空間のためのｅＰＤＣＣＨリソースは、ＰＤＳＣＨリージョンにおけるＰＲＢのサブセットとして構成することができる。ｅＰＤＣＣＨリソースは、ＷＴＲＵ固有の方法で構成することができ、および／または最大２つのｅＰＤＣＣＨリソースセットが、ＷＴＲＵのために構成されることができる。ｅＰＤＣＣＨリソースセットは、構成に従って、２つ、４つ、および／もしくは８つのＰＲＢペアを含むことができ、ならびに／または局所化されたリソースセットおよび／もしくは分散されたリソースセットとして構成することができる。
【００６２】
Ｒｅｌ−１１においては、ｅＲＥＧは、以下の通りに定義することができる。ｅＰＤＣＣＨリソースとして構成される（例えば、１つもしくは複数または各々の）ＰＲＢペアにおいて、通常のＣＰおよび／または拡張されたＣＰにかかわりなく、１６個のｅＲＥＧを定義することができる。ｅＲＥＧのためのＲＥは、周波数を最初とする方式で、循環的に割り当てることができ、および／またはアンテナポート｛１０７，１０８，１０９，１１０｝などの復調ＲＳを避けてレートマッチングすることができる。チャネル推定性能は、ＰＲＢペアにおけるＲＥロケーションに従って、異なることがあるので、ｅＲＥＧにわたるチャネル推定性能のランダム化が、生じることがある。アンテナポート１０７および／または１０８は、拡張されたＣＰのために定義されるので（例えば、定義されるだけなので）、ｅＲＥＧのためのＲＥは、周波数を最初とする方式で、循環的に割り当てることができ、および／またはアンテナポート｛１０７，１０８｝などの復調ＲＳを避けてレートマッチングすることができる。
【００６３】
ｅＣＣＥは、以下の通りに定義することができる。ｅＣＣＥは、ｅＰＤＣＣＨリソースセット内において、４つおよび／または８つのｅＲＥＧからなるグループとして定義することができる。したがって、ｅＰＤＣＣＨリソースセット当たりのｅＣＣＥの数（ＮeCCE,set）は、ｅＰＤＣＣＨリソースセットのために構成されるＰＲＢペアの数（ＮPRB.set）、および／またはｅＣＣＥを形成するためにグループ化されるｅＲＥＧの数（ＮeREG）の関数として、ＮeCCE,set＝１６×ＮPRB,set／ＮeREGのように定義することができる。局所化されたｅＣＣＥ（Ｌ−ｅＣＣＥ）、および／または分散されたｅＣＣＥ（Ｄ−ｅＣＣＥ）などの、ｅＣＣＥの２つのタイプを、ｅＰＤＣＣＨリソースセットのモードに従って、定義することができる。Ｌ−ｅＣＣＥを形成するために、同じＰＲＢペア内に配置された４つおよび／または８つのｅＲＥＧを一緒にグループ化することができる。他方、Ｄ−ｅＣＣＥを形成するために、異なるＰＲＢペア内のｅＲＥＧをグループ化することができる。おそらくは、ｅＰＤＣＣＨリソースセットのために構成されたｅＰＤＣＣＨ送信に従って、Ｌ−ｅＣＣＥおよび／またはＤ−ｅＣＣＥを形成するために、ｅＰＤＣＣＨリソースセット内のある（例えば、１つもしくは複数またはすべての）ｅＲＥＧを使用することができる。例えば、ｅＰＤＣＣＨリソースセットを、局所化されたｅＰＤＣＣＨとして構成することができる場合、Ｌ−ｅＣＣＥを形成するために、ｅＰＤＣＣＨリソースセット内のある（例えば、１つもしくは複数またはすべての）ｅＲＥＧを使用することができる。言い換えると、ｅＰＤＣＣＨリソースセット内には、Ｌ−ｅＣＣＥおよび／またはＤ−ｅＣＣＥが、存在することができる。おそらくは、例えば、１つまたは複数のシナリオにおいて、ある（例えば、必要とされる）有効符号化レートを使用することができるように、ｅＣＣＥ当たり（例えば、十分な）数のＲＥが利用可能であることができるので、ＴＤＤにおいては、通常のサブフレームおよび／または特別なサブフレーム構成３、４、８のケースにおいて、ｅＣＣＥを形成するために、例えば、４つのｅＲＥＧをグループ化することができる。
【００６４】
アンテナポートマッピングは、以下の通りとすることができる。通常のＣＰおよび／または拡張されたＣＰのために、それぞれ、アンテナポート｛１０７，１０８，１０９，１１０｝および｛１０７，１０８｝を使用することができる。（例えば、１つもしくは複数または各々の）ｅＰＤＣＣＨ送信モードは、異なるシステムおよび／またはチャネル環境をターゲットとするので、ｅＰＤＣＣＨ送信モード（例えば、局所化されたｅＰＤＣＣＨおよび／または分散されたｅＰＤＣＣＨ）に従って、アンテナポートマッピングルールは、異なることがある。例えば、分散されたｅＰＤＣＣＨのためのアンテナポートマッピングは、それはオープンループ送信のために導入されたので、ダイバーシティゲインを最大化するように設計することができる。他方、局所化されたｅＰＤＣＣＨのためのアンテナポートマッピングルールは、ＷＴＲＵ固有のビームフォーミングゲインおよびマルチユーザＭＩＭＯゲインを利用するように定義することができる。
【００６５】
分散されたｅＰＤＣＣＨについては、チャネル推定ゲインを改善するために、｛１０７，１０８，１０９，１１０｝から２つの（例えば、２つだけ、または２つ以上の）アンテナポート｛１０７，１０９｝を使用することができ、一方、局所化されたｅＰＤＣＣＨについては、ある（例えば、１つもしくは複数またはすべての）アンテナポートを使用することができる。これは、１つのＰＲＢペアは、最大４つのＷＴＲＵとともに共用されることができるので、ＷＴＲＵ固有のビームフォーミングは、より多数のアンテナポートを使用する（例えば、必要とする）ことがあるという事実のせいとすることができる。これは、例えば、ＰＲＢペア内において、最大４つのＷＴＲＵのＷＴＲＵ固有のビームフォーミングを可能にすることができる。
【００６６】
基準信号系列は、以下の通りとすることができる。事前定義された系列（例えば、疑似ランダム（ＰＮ）および／またはｍ系列など）は、セル間および／またはセル内干渉を最小化するために、ダウンリンクＲＳとともに多重化することができる。これは、チャネル推定の正確性、および／またはマルチユーザ空間多重化ゲインの増加を改善することができる。ＥＰＤＣＣＨアンテナポート｛１０７，１０８，１０９，１１０｝のいくつか（例えば、いずれか）について、基準信号系列ｒ（ｍ）は、
【００６７】
【数１】
2019503149.tif 000004
【００６８】
によって定義することができ、
【００６９】
【数２】
2019503149.tif 000005
【００７０】
は、ダウンリンクシステム帯域幅のためのＲＢの最大数を表し、ｃ（ｉ）は、疑似ランダム系列を表す。疑似ランダム系列ジェネレータは、
（例えば、１つもしくは複数または各々のサブフレーム）の開始時に、
【００７１】
【数３】
2019503149.tif 000006
【００７２】
を用いて初期化することができる。
【００７３】
【数４】
2019503149.tif 000007
【００７４】
は、（例えば、１つもしくは複数または各々の）ＥＰＤＣＣＨリソースセットごとに独立に構成することができ、
【００７５】
【数５】
2019503149.tif 000008
【００７６】
が、使用されることができる。
【００７７】
ＷＴＲＵ固有の探索空間は、以下の通りとすることができる。Ｒｅｌ−１１においては、ＷＴＲＵ固有の探索空間は、ＥＰＤＣＣＨのために導入する（例えば、導入するだけである）ことができる。共通探索空間は、ＰＤＣＣＨリージョンに配置することができる。ダウンリンク制御シグナリング受信のためにＷＴＲＵ監視挙動は、以下のうちの１つとして、ダウンリンクサブフレームにおいて定義することができる。ＷＴＲＵは、ＥＰＤＣＣＨにおいて、ＷＴＲＵ固有の探索空間を、および／またはＰＤＣＣＨにおいて、共通探索空間を監視することができ、例えば、ＥＰＤＣＣＨ監視サブフレームは、より高位のレイヤのシグナリングを介して構成することができる。ＷＴＲＵは、ＰＤＣＣＨにおいて、ＷＴＲＵ固有の探索空間および／または共通探索空間を監視することができ、おそらくは、サブフレームが、ｅＰＤＣＣＨサブフレームを監視するために構成されたとしても、例えば、ｅＰＤＣＣＨが、そのサブフレームにおいて利用可能でないときは、ＷＴＲＵ固有の探索空間のフォールバックを使用することができる。ｅＰＤＣＣＨ  ＲＥおよび／または他の信号の間でいくつかの衝突が、生じることがある。ＷＴＲＵは、ＷＴＲＵ固有の探索空間を求めて、ＰＤＣＣＨを監視することができる。
【００７８】
おそらくは、ＲＥの利用可能な数が、閾値よりも小さい（ｎEPDCCH＜１０４である）ことがあるときは、有効符号化レートを維持するために、集約レベルを高めることができる。例えば、ｎEPDCCH＜１０４であるときの局所化送信のためのサポート可能なｅＰＤＣＣＨフォーマットは、ＮECCE∈｛２，４，８，１６｝とすることができ、一方、他のケースにおいては、ＮECCE∈｛１，２，４，８｝を使用することができる。ｅＰＤＣＣＨ送信モードに従って、集約レベルのセットは、異なることができる。
【００７９】
衝突ハンドリングを実行することができる。ｅＰＤＣＣＨ  ＲＥは、アンテナポート｛１０７，１０８，１０９，１１０｝によって占有されないＰＲＢペア内のＲＥとして、定義することができる。図１〜図２４は、他の信号との衝突のない、ＣＰ長に従った、ＰＲＢペア内におけるｅＰＤＣＣＨ  ＲＥ定義の例を示すことができ、通常のＣＰおよび／または拡張されたＣＰについて、それぞれ、１４４個および／または１２８個の利用可能なＲＥをもたらす。ｅＰＤＣＣＨリソースは、ＰＤＳＣＨリージョン内に構成することができる。ｅＰＤＣＣＨのためのＲＥは、他の信号、例えば、ＣＳＩ−ＲＳ、ＣＲＳ、ＰＲＳ、ＰＢＣＨ、ＳＣＨ、および／またはＰＤＣＣＨと衝突することがある。ＲＥが他の信号と衝突するときのＷＴＲＵ挙動は、以下のうちの１つまたは複数として定義することができる。ｅＰＤＣＣＨのための符号化されたビットは、ＣＳＩ−ＲＳ、ＣＲＳ、および／またはＰＤＣＣＨと衝突するＲＥを避けてレートマッチングすることができる。サブフレーム内においてＰＢＣＨおよびＳＣＨのために使用されるＰＲＢペアは、ｅＰＤＣＣＨのために使用することができず、または使用することができないことがある。ｅＰＤＣＣＨのために利用可能なＲＥは、例えば、ｅＰＤＣＣＨのために構成されたＰＲＢペア内において、他の信号が送信されるときは、より小さくなることがある。
【００８０】
送信および／または受信ビームフォーミングは、例えば、６ＧＨｚ超の周波数における高い経路損失を克服するために、制御チャネル送信／受信に適用することができる。結果のビームフォーミングされたリンクは、空間フィルタリングと見なすことができ、および／または形成されたビームペア内の着信角度経路を（例えば、着信角度経路だけを）受信するようにＷＴＲＵを制限することができる。
【００８１】
レガシセルラシステムは、制御チャネル送信のために、無指向性および／またはセル全域ビームに依存することができる。ＷＴＲＵの観点からは、制御チャネルの配置は、例えば、制御リージョン内に、良好に定義することができる。より高い周波数においては、（例えば、１つもしくは複数または各々の）基地局は、セルをカバーするために、複数の制御チャネルビームを有することができる。ＷＴＲＵは、それらの制御チャネルビームのサブセットを受信することができる（例えば、することができるだけである）ことがある。サブフレーム構造内において候補制御チャネルビームおよび／またはそれらのロケーションを識別するための１つまたは複数の技法を、効率的なＷＴＲＵ動作のために、定義することができる。
【００８２】
ビームフォーミングが用いられるシステムにおける１つまたは複数のｍＢおよび／またはＷＴＲＵは、能力の多様なセット、例えば、異なる数のＲＦチェーン、異なるビーム幅、および／または異なる数のＰＡＡなどを有することができる。複数のＲＦチェーンを用いる１つまたは複数のｍＢは、同じ制御シンボルにおいて、制御チャネルビームを送信することができる。１つもしくは複数または多数のＲＦチェーンを用いる１つまたは複数のＷＴＲＵは、受信ビームパターンを使用して、同じ制御シンボルを受信することができる。例えば、１つのＲＦチェーンを用いる、１つまたは複数のｍＢは、時間領域（例えば、異なるシンボルおよび／または異なるサブフレーム）において、制御チャネルビームを多重化することができる（例えば、する必要がある）。ＲＦチェーンを用いる１つまたは複数のｍＢは、時間および／または空間領域において、制御チャネルビームを多重化することができる。
【００８３】
ビームフォーミングされた制御チャネル設計のためのフレームワークは、ｍＢおよび／またはＷＴＲＵの様々な能力をサポートするために、ならびに／または制御チャネルビームの時間および／もしくは空間領域多重化をサポートするために使用することができる。
【００８４】
ＬＴＥにおける共通基準信号設計は、セル全域送信を仮定することができる。マルチビームシステムについては、（例えば、１つもしくは複数または各々の）制御チャネルビームを発見し、識別し、測定し、および／またはデコードするために、基準信号設計に対する変更を使用することができる。マルチビームシステムにおいては、ビーム間の干渉は、全体的なセル容量を悪化させることがあり、そのため、ビーム間干渉を軽減するための追加のメカニズムが、例えば、セル内および／またはセル間シナリオに対して、有益なことがある。
【００８５】
時間および／または周波数探索空間に加えて、ビーム探索空間を考慮するために、ＷＴＲＵ監視を定義することができる。
【００８６】
ダウンリンク制御チャネルに対する拡張は、ナローデータビームのスケジューリングをサポートするために、有益なことがある。例えば、おそらくは、大きい帯域幅が利用可能であり、および／またはＷＴＲＵが空間的に分布することができるとき、高いリソース利用を達成するために、１つまたは複数のメカニズムが、有益なことがある。
【００８７】
ｍＢ、ＳＣｍＢ、ｍｍＷ  ｅＮＢ、ｅＮＢ、セル、小規模セル、Ｐｃｅｌｌ、および／またはＳｃｅｌｌは、交換可能に使用することができる。動作という言葉は、送信および／または受信と交換可能に使用することができる。コンポーネントキャリアおよび／またはｍｍＷキャリアは、サービングセルと交換可能に使用することができる。
【００８８】
ｍｍＷ  ｅＮＢは、バンド（例えば、免許要バンドおよび／または免許不要バンド）において、１つまたは複数のｍｍＷチャネルを送信および／または受信することができる。ｍｍＷ  ｅＮＢは、バンド（例えば、免許要バンドおよび／または免許不要バンド）において、１つまたは複数の信号を送信および／または受信することができる。ｅＮＢを１つまたは複数のＷＴＲＵで置き換えることができ、それでもまだ本明細書において説明された技法と矛盾しない。ＷＴＲＵをｅＮＢで置き換えることができ、それでもまだ本明細書において説明された技法と矛盾しない。ダウンリンク（ＤＬ）をＵＬで置き換えることができ、それでもまだ説明された技法と矛盾しない。ＵＬをＤＬで置き換えることができ、それでもまだ本明細書において説明された技法と矛盾しない。
【００８９】
チャネルは、中心および／またはキャリア周波数、ならびに帯域幅を有することができる、周波数バンドを指すことができる。免許要スペクトルは、オーバラップすることができず、またはオーバラップすることができないことがある、１つまたは複数のチャネルを含むことができる。免許不要スペクトルは、オーバラップすることができず、またはオーバラップすることができないことがある、１つまたは複数のチャネルを含むことができる。チャネル、周波数チャネル、無線チャネル、および／またはｍｍＷチャネルは、交換可能に使用することができる。チャネルへのアクセスは、チャネルの使用（例えば、その上での送信および／もしくは受信、ならびに／または使用）と同じとすることができる。
【００９０】
チャネルは、ｍｍＷチャネルおよび／または信号を、例えば、アップリンク物理チャネルおよび／または信号を指すことができる。チャネルは、ｍｍＷチャネルおよび／または信号を、例えば、ダウンリンク物理チャネルおよび／または信号を指すことができる。ダウンリンクチャネルおよび／または信号は、以下のうちの、すなわち、ｍｍＷ同期信号、ｍｍＷブロードキャストチャネル、ｍｍＷセル基準信号、ｍｍＷビーム基準信号、ｍｍＷビーム制御チャネル、ｍｍＷビームデータチャネル、ｍｍＷハイブリッドＡＲＱインジケータチャネル、ｍｍＷ復調基準信号、ＰＳＳ、ＳＳＳ、ＤＭＲＳ、ＣＲＳ、ＣＳＩ−ＲＳ、ＰＢＣＨ、ＰＤＣＣＨ、ＰＨＩＣＨ、ＥＰＤＣＣＨ、および／またはＰＤＳＣＨなどのうちの１つまたは複数を含むことができる。アップリンクチャネルおよび／または信号は、以下のうちの、すなわち、ｍｍＷ  ＰＲＡＣＨ、ｍｍＷ制御チャネル、ｍｍＷデータチャネル、ｍｍＷビーム基準信号、ｍｍＷ復調基準信号、ＰＲＡＣＨ、ＰＵＣＣＨ、ＳＲＳ、ＤＭＲＳ、および／またはＰＵＳＣＨなどのうちの１つまたは複数を含むことができる。チャネルおよびｍｍＷチャネルは、交換可能に使用することができる。チャネルおよび信号は、交換可能に使用することができる。
【００９１】
データ／制御は、以下のうちの、すなわち、データ、制御信号、および／またはチャネルなどのうちの１つまたは複数を意味することができる。制御は、同期を含むことができる。データ／制御は、ｍｍＷデータ／制御とすることができる。データ／制御、データ／制御チャネル、および／または信号は、交換可能に使用することができる。チャネルおよび信号は、交換可能に使用することができる。制御チャネル、制御チャネルビーム、ＰＤＣＣＨ、ｍＰＤＣＣＨ、ｍｍＷ  ＰＤＣＣＨ、ｍｍＷ制御チャネル、指向性ＰＤＣＣＨ、ビームフォーミングされた制御チャネル、空間制御チャネル、制御チャネルスライス、および／または高周波数制御チャネルという用語は、交換可能に使用することができる。データチャネル、データチャネルビーム、ＰＤＳＣＨ、ｍＰＤＳＣＨ、ｍｍＷ  ＰＤＳＣＨ、ｍｍＷデータチャネル、指向性ＰＤＳＣＨ、ビームフォーミングされたデータチャネル、空間データチャネル、データチャネルスライス、および／または高周波数データチャネルという用語は、交換可能に使用することができる。
【００９２】
チャネルリソースは、例えば、時間、周波数、符号、および／または空間リソースなどの、リソース（例えば、３ＧＰＰ  ＬＴＥおよび／またはＬＴＥ−Ａリソース）とすることができる。チャネルリソースは、例えば、少なくともときどきは、１つまたは複数のチャネルおよび／または信号を搬送する。チャネルリソースは、チャネルおよび／または信号と交換可能に使用することができる。
【００９３】
ｍｍＷビーム基準信号、ビーム測定のためのｍｍＷ基準リソース、ｍｍＷ測定基準信号、ｍｍＷチャネル状態測定基準信号、ｍｍＷ復調基準信号、ｍｍＷサウンディング基準信号、基準信号、ＣＳＩ−ＲＳ、ＣＲＳ、ＤＭ−ＲＳ、ＤＲＳ、測定基準信号、測定のための基準リソース、ＣＳＩ−ＩＭ、および／または測定ＲＳは、交換可能に使用することができる。ｍｍＷセル、ｍｍＷ小規模セル、ＳＣｅｌｌ、セカンダリセル、ライセンスアシステッドセル、免許不要セル、および／またはＬＡＡセルは、交換可能に使用することができる。ｍｍＷセル、ｍｍＷ小規模セル、ＰＣｅｌｌ、プライマリセル、ＬＴＥセル、および／または免許要セルは、交換可能に使用することができる。干渉、および干渉プラス雑音は、交換可能に使用することができる。
【００９４】
ＷＴＲＵは、１つまたは複数の受信されたＴＤＤ  ＵＬ／ＤＬ構成に従って、１つまたは複数のサブフレームのＵＬおよび／またはＤＬ方向を決定することができる。ＷＴＲＵは、１つまたは複数の構成されたＴＤＤ  ＵＬ／ＤＬ構成に従って、１つまたは複数のサブフレームのＵＬおよび／またはＤＬ方向を決定することができる。ＵＬ／ＤＬ、およびＵＬ−ＤＬは、交換可能に使用することができる。
【００９５】
ビームフォーミングされた制御およびデータチャネルのための本明細書において説明される技法は、おそらくは、周波数バンド、使用（例えば、免許要、免許不要、共用）、アンテナ構成（例えば、フェーズドアレイ、および／もしくはパッチ、および／もしくはホーンなど）、ＲＦ構成（例えば、単一および／または複数のＲＦチェーン）、使用されるビームフォーミング方法（例えば、デジタル、アナログ、および／もしくはハイブリッド、および／もしくはコードブックベースなど）、ならびに／または配備（例えば、マクロ、小規模セル、異種ネットワーク、デュアル接続性、リモート無線ヘッド、キャリアアグリゲーション）に関係なく、任意のシステムに適用可能とすることができる。ｃｍＷ（センチ波）、および／もしくはＬＴＥ／ＬＴＥ−Ａ／ＬＴＥエボリューションを、ｍｍＷ（ミリ波）で置き換えることができ、それでもまだ本明細書において説明された技法と矛盾しない。
【００９６】
スケジューリング間隔は、サブフレーム、および／またはスロット、および／またはフレーム、および／またはスケジュール可能なスライス、および／または制御チャネル周期性、および／または他の任意の事前定義された時間ユニットを指すことができる。ギャップ、および／またはガード期間、および／またはサイレンス期間、および／または切り換え期間、および／または送信の不在、および／またはＤＴＸ期間は、交換可能に使用することができる。
【００９７】
チャネル、ビーム、および／またはチャネルビームという用語は、交換可能に使用することができる。アンテナパターン、位相重み、ステアリングベクトル、コードブック、プリコーディング、放射パターン、ビームパターン、ビーム、ビーム幅、ビームフォーミングされた送信、アンテナポート、仮想アンテナポート、基準信号と関連付けられた送信、指向性送信、および／または空間チャネルは、交換可能に使用することができる。
【００９８】
ＲＥＧおよびＣＣＥという用語は、一般に、複数の時間、周波数、符号、および／もしくは空間リソースを指すことができ、ならびに／またはＬＴＥ数値／文脈によって限定することができず、または限定することができないことがある（例えば、ＬＴＥ  ＲＥＧおよびＬＴＥ  ＣＣＥは、本明細書において説明される技法の文脈においては、ＲＥＧおよびＣＣＥのタイプと見なすことができる）。放射パターンは、放射される電磁場の角度分布、および／または遠距離場リージョンにおける電力レベルを指すことができる。
【００９９】
ビームは、アンテナアレイの送信放射パターンおよび受信ゲインパターンのローブ、例えば、メイン／サイド／グレーティングローブのうちの１つとすることができる。ビームは、ビームフォーミング重みベクトルを用いて表すことができる空間方向を表すことができる。ビームは、基準信号、アンテナポート、ビームアイデンティティ（ＩＤ）、および／またはスクランブリング系列番号などのうちの１つまたは複数を用いて識別することができ、および／または１つまたは複数と関連付けることができる。ビームは、特定の時間に送信および／または受信することができる。ビームは、特定の周波数で送信および／または受信することができる。ビームは、特定の符号で送信および／または受信することができる。ビームは、特定の空間リソースで送信および／または受信することができる。ビームは、デジタル的に、および／またはアナログ方式で形成することができる（ハイブリッドビームフォーミング）。アナログビームフォーミングは、固定的なコードブックおよび／または連続的な位相シフトに基づくことができる。ビームは、無指向性および／または準無指向性送信を含むことができる。２つのビームは、最も高い放射電力の方向によって、および／またはビーム幅によって区別することができる。
【０１００】
１つまたは複数の基準信号は、１つもしくは複数の探索空間、および／または１つもしくは複数のアンテナポートと関連付けることができる。１つまたは複数の探索空間は、１つもしくは複数のビーム探索空間、および／または１つもしくは複数のアンテナポート探索空間と関連付けることができる。
【０１０１】
いくつかのシナリオにおいては、ＷＴＲＵは、無線通信システムネットワークノードから、おそらくは、動的に、１つまたは複数の探索空間を受信するように構成することができる。いくつかのシナリオにおいては、ＷＴＲＵは、１つまたは複数の探索空間が、ＷＴＲＵ上において事前定義されるように構成することができる。
【０１０２】
データチャネルビームは、以下のうちの、すなわち、データチャネル、データチャネルビーム、ＰＤＳＣＨ、ｍＰＤＳＣＨ、ｍｍＷ  ＰＤＳＣＨ、ｍｍＷデータチャネル、指向性ＰＤＳＣＨ、ビームフォーミングされたデータチャネル、空間データチャネル、データチャネルスライス、および高周波数データチャネルなどのうちの１つまたは複数を送信するために使用することができる。データチャネルビームは、以下のうちの、すなわち、基準信号、アンテナポート、ビームアイデンティティ（ＩＤ）、スクランブリング系列番号、および／もしくはデータチャネル番号などのうちの１つもしくは複数を用いて識別することができ、ならびに／または１つもしくは複数と関連付けることができる。データチャネルビームは、特定の時間に送信および／または受信することができる。データチャネルビームは、特定の周波数で送信および／または受信することができる。データチャネルビームは、特定の符号で送信および／または受信することができる。データチャネルビームは、特定の空間リソースで送信および／または受信することができる。
【０１０３】
制御チャネルビームは、以下のうちの、すなわち、制御チャネル、ＰＤＣＣＨ、ｍＰＤＣＣＨ、ｍｍＷ  ＰＤＣＣＨ、ｍｍＷ制御チャネル、指向性ＰＤＣＣＨ、ビームフォーミングされた制御チャネル、空間制御チャネル、制御チャネルスライス、および高周波数制御チャネルなどのうちの１つまたは複数を送信するために使用することができる。制御チャネルは、１つまたは複数のユーザのためのＤＣＩを搬送することができる。制御チャネルは、ダウンリンクにおいては、ＰＨＩＣＨおよびＰＣＦＩＣＨを、アップリンクにおいては、ＰＵＣＣＨを搬送することができる。制御チャネルビームは、以下のうちの、すなわち、基準信号、アンテナポート、ビームアイデンティティ（ＩＤ）、スクランブリング系列番号、および制御チャネル番号などのうちの１つもしくは複数を用いて識別することができ、ならびに／または１つもしくは複数と関連付けることができる。制御チャネルビームは、特定の時間に送信および／または受信することができる。制御チャネルビームは、特定の周波数で送信および／または受信することができる。制御チャネルビームは、特定の符号で送信および／または受信することができる。制御チャネルビームは、特定の空間リソースで送信および／または受信することができる。制御チャネルビームは、セル固有および／またはＷＴＲＵ固有とすることができる。
【０１０４】
共通チャネルは、複数のＷＴＲＵに役立つ情報を搬送する送信を指すために使用することができる。共通チャネルという用語は、共用チャネルと交換可能に使用できる。
【０１０５】
半値電力ビーム幅（ＨＰＢＷ）は、ローブの最大値の方向、放射強度が最大値の２分の１になる２つの方向の間の角度を含む放射パターンカットを指すことができる。ビームフォーミングされた制御／データチャネルについての正確なビーム幅は、指定することができず、または指定することができないことがあり、ｍＢおよび／またはＷＴＲＵ実施に依存することができる。ｍＢは、様々な能力を用いて、ＷＴＲＵをサポートすることができる。ＷＴＲＵは、様々な能力を用いて、ｍＢにおいて機能することができる。
【０１０６】
制御チャネルビーム持続時間は、制御チャネルビームによって占有される、スケジューリング間隔内におけるＯＦＤＭシンボルの数とすることができる。
【０１０７】
制御リージョンは、スケジューリング間隔内において送信される制御チャネルビームのいくつかまたはすべてによって占有される、スケジューリング間隔内におけるＯＦＤＭシンボルの数とすることができる。
【０１０８】
固定的なコードブックベースのアナログビームフォーミングは、固定的なビームのセットを含むことができる、ビームのグリッドを指すことができる。ビームは、事前定義されたコードブックから選択されたビームフォーミング重みベクトルｖ、ｖ∈｛ｖ1，ｖ2，ｖ3．．．ｖN｝を適用することによって形成することができ、ここで、Ｎは、固定的なビームの数を表す。ビームの数は、ビームフォーミングの半値電力ビーム幅（ＨＰＢＷ）、および所望のカバレージに依存することができる。
【０１０９】
連続的な位相シフトアナログビームフォーミングは、チャネル状態を追跡するために、連続的および適応的なビームフォーミングを提供することができる。位相シフタの所望の重みは、推定されるチャネル情報、例えば、角度情報に基づいて、計算することができる。位相シフタの所望の重みは、位相シフタに適用するために、高分解能デジタルアナログ変換器（ＤＡＣ）を使用して変換することができる。
【０１１０】
アンテナポートを定義することができる。アンテナポート上のシンボルがその上で運ばれるチャネルは、同じアンテナポート上の別のシンボルがその上で運ばれるチャネルから推測することができる。時間−周波数リソースグリッドは、アンテナポート当たり利用可能であると見なすことができる。例えば、（例えば、１つもしくは複数または各々の）アンテナポートは、（例えば、１つもしくは複数または各々の）アンテナポート上において、時間−周波数リソースを独立した送信に対して使用することができるように、他のアンテナポートに対して直角であると見なすことができる。１つまたは複数のアンテナポート上において、符号多重化も使用することができる。
【０１１１】
ビームフォーミングは、ビルディングブロックを含む。例示的なサブフレームは、以下の構造を有することができる。サブフレーム、および／またはスケジューリング間隔、および／またはスロット、および／または事前定義された時間ユニットは、複数のシンボルを含むことができる。１つまたは複数のシンボルは、１つまたは複数の制御信号／チャネル／情報を送信し、および／もしくは搬送し、および／もしくは含み、および／もしくはマッピングするために使用することができ、ならびに／または受信するように構成することができる。１つまたは複数のシンボルは、１つまたは複数のデータチャネルを送信し／搬送し／含むことができ、および／または受信するように構成することができる。
【０１１２】
ビームフォーミングされた制御および／またはデータチャネルは、以下のうちの１つまたは複数とすることができる。制御および／またはデータチャネルは、特定の放射パターンおよび／またはビームを使用して、送信することができる。制御チャネルビームは、以下のうちの、すなわち、一意的な基準信号、ステアリングベクトル、スクランブリング符号、アンテナポート、時間、符号、空間リソース、周波数リソース、および／または制御チャネルアイデンティティなどのうちの１つまたは複数と関連付けることができる。データチャネルビームは、以下のうちの、すなわち、一意的な基準信号、ステアリングベクトル、スクランブリング符号、アンテナポート、時間、符号、空間リソース、周波数リソース、および／または制御チャネルアイデンティティなどのうちの１つまたは複数と関連付けることができる。ｍＢおよび／またはセルは、複数のビームフォーミング制御および／またはデータチャネルを送信することができる。ビームフォーミングされた制御および／またはデータチャネルは、時間において多重化することができる。
【０１１３】
１つまたは複数のビームフォーミングされたデータチャネルを有するデータリージョンが、機能することができる。データチャネルが送信されるサブフレーム内の１つまたは複数のシンボルは、データリージョンと呼ばれることがある。サブフレーム内においては、データリージョンは、時間において多重化された複数のデータチャネルビームを含むことができる。例えば、特定のビームにおけるデータチャネルは、１つまたは複数のシンボルを占有することができる。同じサブフレーム内の残りのシンボルは、他のビームにおけるデータチャネルを送信するために使用することができる。データリージョン内のデータチャネルビームは、可変のビーム幅を取ることができる。ＷＴＲＵのための最大のデータチャネルビーム幅は、それの制御チャネルビーム幅と同じ広さとすることができる。ＷＴＲＵは、送信された１つまたは複数のデータチャネルを受信することができる。ＷＴＲＵは、サブフレーム内において、および／または異なるサブフレームにわたって、１つもしくは複数のビーム、および／またはビーム幅を使用することができる。複数のＷＴＲＵは、サブフレーム内に、同じデータチャネルビーム内に、および／または異なるデータチャネルビームにわたって、時間多重化することができる。サブフレーム内における最小のスケジュール可能な時間リソースは、シンボルおよび／またはシンボルのグループとすることができる。スケジューリング粒度は、サブフレームよりも小さくすることができ、例えば、新しいＤＣＩフォーマットは、シンボルレベル／シンボルグループで、割り当て情報を搬送することができる。
【０１１４】
システムは、１つまたは複数のビームフォーミングされた制御チャネルを有する制御リージョンを含むことができる。制御チャネルが送信されるサブフレーム内の１つまたは複数のシンボルは、セル固有の制御リージョンおよび／または全体的な制御リージョンと呼ばれることがある。サブフレーム内においては、セル固有の制御リージョンは、時間において多重化された複数の制御チャネルビームを含むことができる。特定のビームのための制御チャネルが送信されるサブフレーム内の１つまたは複数のシンボルは、ビーム固有の制御リージョンと呼ばれることがある。制御リージョンという用語は、セル固有の制御リージョンおよび／またはビーム固有の制御リージョンを意味することができる。制御リージョンサイズは、固定的であることができ、または柔軟であることができる。制御リージョンおよびデータリージョンは、重なり合うことができる。１つまたは複数のシンボルは、制御および／またはデータチャネルを搬送することができる。制御および／またはデータチャネルは、周波数および／または符号および／または空間領域において、多重化することができる。
【０１１５】
１つまたは複数の探索空間は、１つまたは複数のダウンリンク（ＤＬ）制御チャネルを監視するために使用されるように構成することができる。１つまたは複数の探索空間は、１つまたは複数のＤＬ制御チャネルを受信するために使用されるように構成することができる。１つまたは複数の探索空間のうちの少なくとも１つの探索空間は、１つまたは複数の基準信号のうちの少なくとも１つの基準信号に対応することができる。１つまたは複数の基準信号のうちの少なくとも１つの基準信号を求めて、制御リージョンの少なくとも部分を監視することができる。制御リージョンの少なくとも部分内における少なくとも１つの基準信号を検出することができる。おそらくは、例えば、少なくとも１つの基準信号の検出時に、少なくとも１つのＤＬ制御チャネルを求めて、少なくとも１つの基準信号に対応する少なくとも１つの探索空間を監視することができる。
【０１１６】
システムは、ギャップおよび／または切り換え期間を含むことができる。ギャップ、および／またはガード期間、および／またはサイレンス期間、および／または切り換え期間、および／または送信の不在、および／またはＤＴＸ期間は、２つの連続するシンボル間に配置することができる。２つの連続するシンボルは、異なるビーム方向、および／または放射パターン、および／またはステアリングベクトルを用いて、送信を搬送することができる。異なるギャップタイプを識別することができる。以下の例のうちの１つまたは複数、すなわち、２つの制御シンボル間および／もしくは制御シンボルのグループ間のギャップ、２つのデータシンボル間および／もしくはデータシンボルのグループ間のギャップ、ならびに／または制御シンボルとデータシンボルとの間（例えば、最後の制御シンボルと最初のデータシンボルとの間、および／もしくは最初の制御シンボルと最後のデータシンボルとの間）のギャップなどは、配置に応じて、識別することができる。
【０１１７】
異なるギャップタイプは、異なる持続時間で事前構成することができる。同じギャップタイプは、異なるサブフレームにおいて、異なる持続時間で事前構成することができる。ギャップは、２つの連続するシンボル間に選択的に配置することができる。２つの連続するシンボルは、異なる放射パターンを用いて送信することができる。２つの連続するシンボルは、異なるビームパターンを用いて送信することができる。２つの連続するシンボルは、異なる方向を用いて送信することができる。２つの連続するシンボルは、異なるチャネルタイプを用いて送信することができる。ギャップは、制御シンボルとデータシンボルとの間に選択的に配置することができる。同じサブフレーム内のギャップは、異なる持続時間を有することができる。ギャップは、サブフレームのいくつかまたはすべてにおいては存在することができず、または存在することができないことがある。ギャップは、制御シンボル間に配置することができ、データシンボルにおいては配置することができず、または配置することができないことがある。ギャップは、データシンボル間に配置することができ、制御シンボルにおいては配置することができず、または配置することができないことがある。制御および／またはデータリージョン内において、ギャップは、シンボルのサブセット間に選択的に配置することができる。
【０１１８】
ＷＴＲＵの観点から、ギャップを定義することができる。ギャップ期間（例えば、ＷＴＲＵのための制御シンボルとデータシンボルとの間のギャップ）の間は、ＤＬ上において受信するように、ＷＴＲＵに求めることができず、または求めることができないことがある。ＷＴＲＵは、ギャップ期間を利用して、制御チャネルを、例えば、ギャップ期間の開始前に受信された制御チャネルをデコードすることができる。ＷＴＲＵは、ギャップ期間を利用して、それの受信ビームを切り換えることができる。ＷＴＲＵは、ダウンリンクデータチャネルを受信するために、ギャップ期間を利用して、新しいステアリングベクトルを適用することができる。ダウンリンクデータチャネルは、ダウンリンク制御チャネルを受信するために使用された受信ビームおよび／またはステアリングベクトルとは異なることができる。ＷＴＲＵは、ギャップ期間（例えば、ＷＴＲＵのためのデータシンボル間および／またはデータシンボルのグループ間のギャップ）を利用して、それの受信ビームを切り換えることができる。ＷＴＲＵは、（例えば、同じまたは異なる）サブフレーム内において先行するダウンリンクデータチャネルを受信するために使用された受信ビームおよび／またはステアリングベクトルとは異なることができる、ダウンリンクデータチャネルを受信するために、ギャップ期間（例えば、ＷＴＲＵのためのデータシンボル間および／またはデータシンボルのグループ間のギャップ）を利用して、新しいステアリングベクトルを適用することができる。
【０１１９】
ｍｍＷ制御チャネルは、例えば、物理リソースへの制御チャネルビームマッピングを容易にするように、設計することができる。セル内の１つまたは複数の制御チャネルは、ビームフォーミングすることができる。セル内の１つまたは複数の制御チャネルは、サブフレーム内において、異なる制御シンボルおよび／または制御シンボルのグループ内に配置することができる。
【０１２０】
例えば、ｍＢは、スイープ動作を利用して、制御ビームのすべてまたはいくつかを調べることができる。ｍＢは、サブフレーム内において、制御チャネルビームを、例えば、すべてのサブフレーム内において、１つもしくは複数またはすべての制御チャネルビームを送信することができる。ｍＢは、サブフレーム内において、制御チャネルを受信することができる。例えば、セルカバレージ全体は、すべてのサブフレーム内において、制御チャネルを受信することができる。ｍＢは、例えば、１つの制御ビームから開始して、セル内の制御ビームのいくつか（例えば、１つもしくは複数またはすべて）を一定の順序で調べる、スイープ動作を利用することができる。スイープ動作は、サブフレーム内の（例えば、制御リージョン内だけの）選択されたシンボル（例えば、特定のシンボルだけ）を調べることができる。ｍＢは、複数のサブフレームを利用して、制御チャネルビームのすべてまたはいくつかを送信することができる。例えば、サブフレームは、制御チャネルビームの部分的スイープを含むことができる。１つまたは複数のサブフレームは、セル全体をカバーする制御チャネルビームの完全スイープのために使用することができる。ｍＢは、スイープ動作について一定の順序に従うことができる。例えば、それは、制御チャネル番号および／またはＢＲＳ系列番号に基づいた順序で、制御チャネルビームを送信することができる。ｍＢは、スイープについてランダムな順序に従うことができる。ランダム順序は、ハッシュ関数から生成することができる。ハッシュ関数は、制御チャネル番号および／またはサブフレーム番号などを使用することができる。
【０１２１】
制御チャネルビームおよび／または制御シンボルの間のマッピングは、事前定義することができ、ならびに／または以下のうちの、すなわち、ブロードキャストチャネル（例えば、ＭＩＢ、ＳＩＢ−ｘ）、より高位のレイヤのシグナリング（例えば、ＲＲＣ／ＭＡＣ）、Ｌ１信号／チャネル、および／もしくは他の任意の共通チャネルなどのうちの１つまたは複数を介して、伝達することができる。制御チャネルビームおよび制御シンボルグループの間のマッピングは、事前定義することができ、以下のうちの、すなわち、ブロードキャストチャネル（例えば、ＭＩＢ、ＳＩＢ−ｘ）、より高位のレイヤのシグナリング（例えば、ＲＲＣ／ＭＡＣ）、Ｌ１信号／チャネル、および他の任意の共通チャネルなどのうちの１つまたは複数を介して、伝達することができる。ＷＴＲＵは、ブラインドデコーディングによって、制御チャネルビームから制御シンボルへのマッピングを決定することができる。例えば、ＷＴＲＵは、制御リージョン内において、事前定義されたＢＲＳ系列を探索することができ、ＷＴＲＵは、例えば、受信されたＢＲＳ信号品質（例えば、ＲＳＲＰ、ＳＮＲなど）に基づいて、制御チャネルビームからシンボルへのマッピングを決定することができる。
【０１２２】
ｍＢは、ビームのサブセットを選択することができる。ｍＢは、サブフレーム内において、制御チャネルビームのサブセットを送信することができる。サブセットは、以下の基準のうちの、すなわち、セル内におけるＷＴＲＵおよび／もしくはビームの分布、セル内におけるＷＴＲＵおよび／もしくはビームのアクティビティレベル（例えば、ＷＴＲＵのバッファステータス、ＷＴＲＵについてのトラフィックパターン）、ＷＴＲＵグルーピング、ＷＴＲＵサービス要件、ビームフォーミングを用いるもしくは用いない制御チャネルの数、スケジューリングアルゴリズム、セル内およびセル間干渉、ならびに／または制御チャネルのタイプ（例えば、共通制御および／もしくはＷＴＲＵ固有の制御）などのうちの１つまたは複数によって、決定することができる。ｍＢは、サブフレーム内において、（例えば、ただ１つの）制御チャネルビームを送信することができる。サブフレーム内のデータリージョンは、同じ制御チャネルビーム、および／または制御チャネルビームに関連する他の任意のデータチャネルビーム、例えば、制御チャネルビームに関連するナローデータチャネルビームを使用する送信を含むことができる。
【０１２３】
制御チャネルビームと、サブフレームと関連付けられた（例えば、サブフレーム内の、および／またはサブフレーム間にわたる）シンボルおよび／またはシンボルグループとの間のマッピングは、固定的および／または柔軟であることができる。制御チャネルビーム選択モード（例えば、サブセット送信および／または完全スイープ送信）とは無関係に、以下を適用することができる。
【０１２４】
制御チャネルビームと、サブフレームと関連付けられた、例えば、サブフレーム内の、および／またはサブフレーム間にわたる、シンボルおよび／またはシンボルグループとの間のマッピングは、固定的であることができる。固定的なマッピングにおいては、制御チャネルビーム、例えば、すべての制御チャネルビームは、サブフレーム内の事前定義されたシンボルおよび／またはシンボルグループ内に配置され、および／またはその内において送信することができる。制御チャネルビームとシンボル番号との間のマッピングは、ある（例えば、１つもしくは複数またはすべての）サブフレーム内において、同じであることができる。例えば、制御チャネルビーム１は、（例えば、すべての）サブフレーム内において、シンボル番号１の間に送信することができる。事前定義されたハッシュ関数に従って、制御チャネルビームに対して、シンボルホッピングを使用することができる。例えば、関数は、制御チャネル番号、セルＩＤ、ＢＲＳ系列ＩＤ、サブフレーム番号、シンボル番号などを使用することができる。ＷＴＲＵは、例えば、ＰＢＣＨビームマッピングに暗黙的に基づいて、制御チャネルビームとシンボル／シンボルグループとの間のマッピングを決定することができる。ＷＴＲＵは、以下のうちの、すなわち、ブロードキャストチャネル（例えば、ＭＩＢ、ＳＩＢ−ｘ）、より高位のレイヤのシグナリング（例えば、ＲＲＣ／ＭＡＣ）、およびＬ１信号／チャネルなどのうちの１つまたは複数を使用する、明示的な構成に基づいて、制御チャネルビームとシンボル／シンボルグループとの間のマッピングを決定することができる。ＷＴＲＵは、セルＩＤおよび／またはビームＩＤの事前定義された関数に基づいて、制御チャネルビームとシンボル／シンボルグループとの間のマッピングを決定することができる。制御チャネルビームと制御シンボル／シンボルグループとの間の多対一マッピングを定義することができる。
【０１２５】
固定的なマッピング構造を用いる場合、アクティブなＷＴＲＵを有さない制御チャネルビームは、空白および／または空の制御シンボルを有することがある。空白および／または空の制御シンボルは、データチャネルビームをマッピングするために、回収および／または再使用して、例えば、リソース利用を改善することができる。データチャネルビームは、元の空白および／または空のシンボルの前に発生した制御チャネルビームによって、スケジュールすることができる。データチャネルビームは、元の空白および／または空のシンボルの後に発生した制御チャネルビームによって、スケジュールすることができる。ＷＴＲＵは、制御チャネルデコーディングが完了する前に、完全なサブフレームをバッファすることができる。ＰＤＳＣＨは、再使用される（例えば、空および／または空白の）制御シンボルにマッピングすることができる。再使用される制御シンボルは、関連するＰＤＣＣＨに先行することができる。
【０１２６】
制御チャネルビームと、サブフレームと関連付けられた、例えば、サブフレーム内の、および／またはサブフレーム間にわたる、シンボルおよび／またはシンボルグループとの間のマッピングは、柔軟であることができる。柔軟なマッピングにおいては、制御チャネルビームは、サブフレーム内の（例えば、任意の）シンボルおよび／またはシンボルグループ内に配置され、および／またはその内において送信することができる。サブフレーム内の複数の制御チャネルビームを、例えば、時間多重化される、異なるシンボルを使用して、送信することができる。制御チャネルビームとシンボル／シンボルグループとの間のマッピングは、異なるサブフレームごとに様々であることができる。ｍＢは、サブフレーム内において、制御チャネルビームのサブセットを選択的に送信することができる。送信される制御チャネルビームの数は、異なるサブフレームごとに様々であることができる。制御チャネルビームによって占有される制御シンボルの数は、異なるサブフレームごとに様々であることができる。サブフレーム内において異なる制御チャネルビームによって占有される制御シンボルの数は、様々であることができる。
【０１２７】
制御チャネルビームと、フレーム構造内のサブフレームと関連付けられた、例えば、サブフレーム内の、および／またはサブフレーム間にわたる、シンボルおよび／またはシンボルグループとの間のマッピングは、固定的および柔軟なマッピングのハイブリッドとすることができる。ｍＢは、いくつかのビームタイプ（例えば、共通制御ビーム、および／または無指向性ビーム、および／またはＷＴＲＵ固有の制御ビーム）に対しては、固定的なマッピングを使用することができる。ｍＢは、他のビームタイプ（例えば、ＷＴＲＵ固有の制御ビーム、および／または共通制御ビーム、および／または無指向性ビーム）に対しては、柔軟なマッピングを使用することができる。ｍＢは、いくつかのサブフレームに対しては固定的なマッピングを、他のサブフレームに対しては柔軟なマッピングを使用することができる。異なるサブフレームのためのマッピングフォーマットは、以下のうちの、すなわち、ブロードキャストチャネル（例えば、ＭＩＢ、ＳＩＢ−ｘ）、より高位のレイヤのシグナリング（例えば、ＲＲＣ／ＭＡＣ）、および／またはＬ１信号／チャネルなどのうちの１つまたは複数を使用して、明示的に伝達することができる。異なるサブフレームのためのマッピングフォーマットは、あるチャネルの存在によって暗黙的に知ることができる。例えば、ＰＢＣＨを有するサブフレームは、固定的なマッピングを使用することができる。柔軟なマッピングは、デフォルトモードとすることができ、固定的なマッピングは、事前定義された周期性で、いくつかの（例えば、特定の）サブフレーム内において適用することができる。
【０１２８】
例えば、制御チャネルビームＲＳおよび／または制御シンボルの間の固定的なマッピングは、特定のサブフレームにおいて、ＷＴＲＵ測定を支援することができる。ｍＢは、アイドルモードにあるＷＴＲＵのためのビームのサブセットについては、固定的なマッピングを、接続モードにあるＷＴＲＵについては、柔軟なマッピングを使用することができる。ｍＢは、接続モードにあるＷＴＲＵ、およびアイドルモードにあるＷＴＲＵのためのビームのサブセットについては、固定的なマッピングを使用することができる。ｍＢは、セルの負荷が軽いときは（例えば、アクティブなＷＴＲＵの数が小さいときは）、固定的なマッピングを使用し、セルの負荷が高くなったときは、柔軟なマッピングに切り換わることができる。ＷＴＲＵは、以下のうちの、すなわち、ブロードキャストチャネル（例えば、ＭＩＢ、ＳＩＢ−ｘ）、より高位のレイヤのシグナリング（例えば、ＲＲＣ／ＭＡＣ）、Ｌ１信号／チャネル、および／または他の任意の共通チャネルなどのうちの１つまたは複数において受信された構成から、制御チャネルビームのついてのマッピングフォーマットを決定することができる。１つまたは複数のＷＴＲＵは、以下のうちの、すなわち、ブロードキャストチャネル（例えば、ＭＩＢ、ＳＩＢ−ｘ）、より高位のレイヤのシグナリング（例えば、ＲＲＣ／ＭＡＣ）、および／もしくはＬ１信号／チャネル、ならびに／または他の任意の共通チャネルなどのうちの１つまたは複数において受信された構成から、制御チャネルビームマッピングにおける変更／切り換えを決定することができる。
【０１２９】
ｍｍＷ制御チャネルビームは、様々な制御チャネルビームを有することができる。ｍｍＷ制御チャネルビームは、１つまたは複数のＷＴＲＵを宛先とする複数の制御チャネルを搬送することができる。制御チャネルビームは、以下のうちの、すなわち、ダウンリンク制御情報（ＤＣＩ）［例えば、ＤＣＩはスケジューリンググラント（ＵＬおよびＤＬ）を含むことができる］、ＵＬ制御チャネル割り振り、ビーム切り換えコマンド、電力制御コマンド、および／もしくは他の任意の制御情報、より高位のレイヤのメッセージ（ＭＡＣ、ＲＲＣ）、小さいペイロード（例えば、ＳＩＢ／ページングなどのブロードキャストメッセージ）、ならびに／または１つもしくは複数のＷＴＲＵのための復調、測定のためのセル固有および／もしくはビーム固有の基準信号などのうちの１つまたは複数を搬送することができる。制御チャネルビームによって占有される最小の時間領域リソースは、１つのシンボルとすることができる。制御チャネルビームによって占有される最大の時間領域リソースは、（例えば、ＭＩＢ／ＳＩＢ−ｘにおいて）事前構成することができ、および／またはビーム固有のＰＣＦＩＣＨを使用して動的に伝達することができる。制御チャネルビームのドエルタイムは、（例えば、ＭＩＢ／ＳＩＢ−ｘにおいて）事前構成することができ、および／またはビーム固有のＰＣＦＩＣＨを使用して動的に伝達することができる。共通制御チャネルビームによって占有される時間領域リソース（例えば、シンボルの数）は、（例えば、ＭＩＢ／ＳＩＢ−ｘにおいて）固定的であることができる。ＷＴＲＵ固有の制御チャネルビームは、動的であることができる（例えば、ビーム固有のＰＣＦＩＣＨ）。
【０１３０】
ｍｍＷ制御ビームは、１つまたは複数のＰＤＣＣＨを搬送することができる。ＰＤＣＣＨは、１つまたは複数のＷＴＲＵに対する／向けた宛先とすることができる。ＰＤＣＣＨは、１つまたは複数のＣＣＥ（制御チャネル要素）の集約上で送信することができ、例えば、制御チャネル要素は、２つ以上のＲＥＧ（リソース要素グループ）に対応することができる。例えば、ＣＣＥの集約レベルに基づいて、異なるＰＤＣＣＨフォーマットを定義することができる。ＰＤＣＣＨは、例えば、リソース要素の異なるグループの階層を使用して、送信することができる。リソースグループのレベルに対する基本リソースユニットの割り当て数は、ＰＤＣＣＨリンク適応方式および／または他の検討事項と関連付けることができる。ＲＥの１つまたは複数の特徴／特性は、ビームＩＤおよび／またはビームタイプの関数とすることができる。ＣＣＥの１つまたは複数の特徴／特性は、ビームＩＤおよび／またはビームタイプの関数とすることができる。
【０１３１】
共通制御チャネルビーム、および／またはＷＴＲＵ固有の制御チャネルビームは、異なるＰＤＣＣＨフォーマットおよび／または集約レベルを使用することができる。ＷＴＲＵ固有の制御チャネルビーム上には、固定的な集約レベルが、存在することがある。ＣＣＥ当たりのＲＥＧの数は、異なるビームタイプごとに様々であることができる。例えば、共通制御チャネルビームは、ＣＣＥ当たりより多数のＲＥＧを有することができる。リソースブロック構造および／またはサブキャリア間隔は、異なるビームタイプごとに様々であることができる。例えば、共通制御チャネルビームを搬送するシンボル、および／またはＷＴＲＵ固有の制御ビームを搬送するシンボルは、異なるサブキャリア間隔を使用することができる。共通制御チャネルビームは、セル固有のアイデンティティ（例えば、セルＩＤ）、および／またはビーム固有のアイデンティティ（例えば、ビームＩＤ）によって、スクランブルすることができる。ＷＴＲＵ固有の制御チャネルビームは、以下のうちの、すなわち、セル固有のアイデンティティ（例えば、セルＩＤ）、ビーム固有のアイデンティティ（例えば、ビームＩＤ）、および／またはＷＴＲＵ固有のアイデンティティ（例えば、Ｃ−ＲＮＴＩ）などのうちの１つまたは複数によって、スクランブルすることができる。制御チャネルビームのために使用される１つまたは複数の変調方式および／または符号化レートは、ビームタイプに固有であることができる。例えば、共通制御チャネルは、固定的なおよび／または事前構成された変調方式および／または符号化レートを使用することができる。ＷＴＲＵ固有の制御チャネルビームは、動的なＭＣＳ適応を使用することができる。動的なＭＣＳ適応は、ビームＰＣＦＩＣＨを使用して伝達することができる。ビームタイプは、ＷＴＲＵ固有であることができる。例えば、ＷＴＲＵは、共通制御チャネルビームを使用することができる。ＷＴＲＵは、ＷＴＲＵ固有の制御チャネルビームを使用することができる。ＷＴＲＵは、共通制御チャネルスケジューリング情報および／またはＷＴＲＵ固有のスケジューリング情報を搬送するビームを使用することができる。共通制御チャネルビームが送信されるサブフレームの部分は、共通制御リージョンと呼ばれることがある。ＷＴＲＵ固有の制御チャネルビームが送信されるサブフレームの部分は、専用制御リージョンと呼ばれることがある。
【０１３２】
以下の例は、制御チャネルビーム配置および／またはリソース構造を示す、サブフレーム構成である。示される異なる制御チャネル配置についての例示的な図は、網羅的なものではなく、および／または他の制御チャネル配置が、使用されることができる。図は、網羅的であることを意図しておらず、例えば、すべてのチャネルが、図に描かれているわけではない。明瞭にする目的で、および／または説明の目的で、例は、ＤＬサブフレームに関して説明されることがあり（例えば、ＤＬサブフレームだけが示され）、および／またはＵＬサブフレームは、無視されることがある。ＤＬ動作に関して説明された１つまたは複数の技法は、アップリンク動作にも等しく適用可能であることができる。ｍＢにおけるワイド送信ビームは、Ｂ１、Ｂ２、Ｂ３、Ｂ４などと呼ばれることがある。ナロー送信ビームは、（例えば、Ｂ１内の）Ｂ１１、Ｂ１２、（例えば、Ｂ２内の）Ｂ２１、Ｂ２２などと呼ばれることがある。
【０１３３】
図１２においては、ｍＢは、サブフレーム当たり１つまたは複数のワイドビーム制御チャネルを送信することができる。例えば、サブフレーム１は、制御チャネルビームＢ１および／またはＢ２を搬送することができ、サブフレーム２は、制御チャネルビームＢ３を搬送することができるなどである。（例えば、１つもしくは複数または各々の）制御チャネルビームは、１つまたは複数のＷＴＲＵのためのＤＣＩを搬送することができる。サブフレーム内の（例えば、１つもしくは複数または各々の）制御チャネルビームは、何らかの一意的な内容を搬送することができる。例えば、（例えば、ただ１つの）制御チャネルビームにおいて、ＷＴＲＵのためのＤＣＩ（例えば、ＷＴＲＵのための特定のＤＣＩ）を搬送することができる。サブフレーム内の制御チャネルビームは、同じＤＣＩ内容を搬送することができる。ＴＴＩ当たりの制御チャネルビームの数は、様々であることができる。例えば、それは、ＴＴＩ当たり１つの制御チャネルビームから、セル内における制御チャネルビームの最大利用可能数までの範囲にわたることができる。（例えば、１つもしくは複数または各々の）制御チャネルビームの長さ／持続時間は、（例えば、１つのシンボルからより多くのシンボルまで）様々であることができる。サブフレーム内のデータリージョンは、１つまたは複数のＷＴＲＵのためのＰＤＳＣＨを搬送することができ、例えば、異なるＷＴＲＵのためのＰＤＳＣＨ送信は、時間、周波数、および／または空間領域において多重化することができる。例えば、データリージョン内において、複数のＰＤＳＣＨビームを送信することができる。データビームのビーム幅は、以下のうちの、すなわち、ＷＴＲＵロケーション、スループット要件、および／または干渉検討事項などのうちの１つまたは複数に基づいて、調整することができる。制御チャネルビームと制御リージョン内のシンボル番号との間のマッピングは、柔軟であることができる。ＷＴＲＵは、例えば、ＰＢＣＨおよび／または無指向性ＰＣＦＩＣＨチャネルから、制御チャネル構成についての支援情報を受信することができる。
【０１３４】
図１３においては、ｍＢは、サブフレーム当たり１つ（例えば、正確に１つ）のワイドビーム制御チャネルを送信することができる。例えば、サブフレーム１は、制御チャネルビームＢ１および／またはＢ２を搬送することができ、サブフレーム２は、制御チャネルビームＢ３を搬送することができるなどである。ＷＴＲＵは、事前選択された制御チャネルビームの可能な発生を求めて、あるサブフレーム（例えば、あるサブフレームだけ）を監視するように構成することができる。
【０１３５】
図１４においては、ｍＢは、サブフレーム内のいくつかまたはすべての制御チャネルビームをスイープすることができる。例えば、（例えば、１つもしくは複数または各々の）サブフレームは、制御チャネルビームＢ１、Ｂ２、Ｂ３、および／またはＢ４を搬送することができる。（例えば、１つもしくは複数または各々の）制御チャネルビームは、１つまたは複数のＷＴＲＵのためのＤＣＩを搬送することができる。より低いＳＮＲを有するＷＴＲＵは、ある（例えば、すべての）制御チャネルビームにおいて繰り返される、それらのＤＣＩを有することができる。より高いＳＮＲを有するＷＴＲＵは、制御チャネルビームのサブセットにおいて送信される、それらのＤＣＩを有することができる。制御チャネルビームと制御シンボルとの間のマッピングは、固定的であることができる。（例えば、制御チャネルに代わって、および／または制御チャネルに加えて）制御チャネルビームのためのＢＲＳをスイープすることができる。
【０１３６】
図１５においては、例えば、ＷＴＲＵについてのブラインドデコーディングの試みを減らすために、シンボルマッピングに対する制御チャネルビームを事前定義することができる。ＷＴＲＵは、事前選択された制御チャネルビームを搬送するシンボル（例えば、シンボルだけ）をデコードすることを試みることができる。ｍＢは、いくつかの制御チャネルシンボルにおいて、例えば、制御チャネルビームによって占有することができず、または占有することができないことがある。制御チャネルシンボルにおいて、データチャネルビームをマッピングし／配置し／送信することができる。ＷＴＲＵは、それが、適切な制御シンボルにおいて、事前選択された制御チャネルビームをデコードするまで、例えば、可能なデータチャネルについてのシンボルをバッファし始めることができる。
【０１３７】
図１６においては、例えば、制御チャネルビームの数がセル内において高くなったときに、制御オーバヘッドを低減するために、制御チャネルビームから制御シンボルへのマッピングのために、多対一マッピングを利用することができる。図１６においては、Ｂ１および／またはＢ５は、シンボル１にマッピングすることができる。例えば、仮定が、１つのＲＦチェーンがｍＢ用であることができるというものであるとき、制御シンボル１において、Ｂ１および／またはＢ５を送信することができる。制御シンボル１をデコードするために、Ｂ１制御チャネルビームを有するＷＴＲＵを使用する（例えば、必要とする）ことができる。例えば、制御チャネルビームのブロッキング確率を低減させるために、ハッシュ関数を使用することができる。ハッシュ関数は、制御チャネルビームの同じセットを同じ制御シンボルにマッピングすることを回避することができる。ハッシュは、以下のうちの、すなわち、サブフレーム番号、システムフレーム番号、制御チャネルビームＩＤ、セルＩＤ、および／または制御シンボル番号などのうちの１つまたは複数の関数とすることができる。
【０１３８】
図１７は、制御チャネルビーム生成のための論理アーキテクチャの例である。図１７は、異なるマッピング／選択機能の間の関係の例を示している。
【０１３９】
ｍｍＷ  ＰＤＣＣＨは、異種のビームタイプを使用することができる。ＷＴＲＵ固有の制御チャネルについては、ユーザのグループに対して、および／または１つもしくは複数もしくはすべてのユーザの制御チャネル、例えば、ユーザ固有のＤＬ制御情報（ＤＣＩ）を搬送することができるＰＤＣＣＨに対して、ワイドビームを構成し、および／または割り振ることができる。ＷＴＲＵ固有の制御チャネルについては、個々のＷＴＲＵに対して、１つまたは複数のナロービームを構成し、および／または割り振ることができる。例えば、ＷＴＲＵのクラスタをカバーするためにワイドビームを使用することができ、および／または個々のＷＴＲＵのためにナロービームを使用することができるように、１つまたは複数のビームを構成することができる。表２は、異種のビームタイプについてのいくつかの割り振りおよび／または構成の例である。共通制御チャネルについては、個々のＷＴＲＵおよび／またはＷＴＲＵグループのために、ワイドビームを使用することができる。個々のＷＴＲＵ（例えば、個々のＷＴＲＵだけ）のために、ナロービームを使用することができる。例えば、ビーム構成に応じて、共通制御のためのＷＴＲＵ固有のビームとして、ナロービームを使用することができる。共通制御のためのＷＴＲＵのグループに対して、ワイドビーム（例えば、ワイドビームだけ）を使用することができる。ＷＴＲＵ固有の制御チャネルについては、ＷＴＲＵ固有の制御のためのＷＴＲＵ固有のビームとして、ナロービームを使用することができる。ＷＴＲＵ固有の制御のためのＷＴＲＵのグループに対して、ワイドビーム（例えば、ワイドビームだけ）を使用することができる。
【０１４０】
【表２】
2019503149.tif 000009
【０１４１】
例えば、ＷＴＲＵの容易な追跡を可能にするために、制御チャネルのためのＷＴＲＵ固有のビームとして、ワイドビームを構成し、および／または使用することができる。制御チャネルは、共通制御チャネルとすることができる。制御チャネルは、ＷＴＲＵ固有の制御チャネルとすることができ、例えば、ＰＤＣＣＨおよび／またはｅＰＤＣＣＨなどによって搬送される共通ＤＣＩとすることができる。これは、ＷＴＲＵの容易な追跡を可能にすることができる。これは、ときとして、ビームフォーミングゲインを低下させることがある。ＷＴＲＵの容易な追跡は、有益であることができる。ＷＴＲＵの容易な追跡は、ビームフォーミングゲインがあまり関心事項にならずにいることができる場合に、有益であることができる。ビームフォーミングゲインは、ＷＴＲＵがｅＮＢおよび／またはＡＰに近いときは、あまり関心事項にならずにいることができる。例えば、高いビームフォーミングゲインを可能にするために、制御チャネルのためのＷＴＲＵ固有のビームとして、ナロービームを構成すること、および／または使用する（例えば、使用するだけである）ことができる。例えば、高いビームフォーミングゲインは、ＷＴＲＵがｅＮＢおよび／またはＡＰから遠く離れているときに、有益であることができる。例えば、高いビームフォーミングゲインは、ＷＴＲＵがセルエッジ付近にいるときに、有益であることができる。制御チャネルは、共通制御チャネルおよび／またはＷＴＲＵ固有の制御チャネルとすることができる。ＷＴＲＵ固有の制御チャネルは、ＰＤＣＣＨおよび／またはｅＰＤＣＣＨなどによって搬送されるＷＴＲＵ固有のＤＣＩとすることができる。
【０１４２】
異なるＷＴＲＵ密度（例えば、ｍＢに関連する与えられた方向／エリアにおけるＷＴＲＵの数）をカバーするために、異なるビーム幅を有するビームを使用することができる。ある幅を有するどのビームがどのＷＴＲＵ密度をカバーすべきかについてのペアリングは、地勢におけるＷＴＲＵの密度分布に依存することができる。例えば、高密度エリアについては、より狭いビーム幅を有するビームを構成し、および／または使用することができる。低密度エリアについては、中間および／またはより大きいビーム幅を有するビームを構成し、および／または使用することができる。
【０１４３】
例えば、ビーム当たりのＷＴＲＵ密度（例えば、ビーム内のＷＴＲＵの数）が一様および／または一定であることができるように、ビームをＷＴＲＵに割り当てることができる。これは、例えば、与えられた数のアクティブなＷＴＲＵをサポートするための、アナログビーム内におけるデジタルビームフォーミングの使用を容易にすることができる。アナログビームの数は、減らすことができる。例えば、複数の制御チャネルを、同じビームおよび／または周波数リソースにおいて、同時に送信することができるとき、制御オーバヘッドを軽減することができる。制御のための（例えば、ビームスイーピングのための）ＯＦＤＭシンボルの数、および／またはデータのためのＯＦＤＭシンボルの数の間で、トレードオフが、発生することがある。オーバヘッドとスループットとの間の異なる妥協は、特定の配備シナリオに基づいて、検討することができる。
【０１４４】
例えば、ネットワーク動作の柔軟性を改善し、および／または制御オーバヘッドを低減するために、異なるビーム幅を有する異種のビームタイプを構成し、および／または使用することができる。
【０１４５】
異種のビームタイプは、以下のうちの、すなわち、共通および／もしくはＷＴＲＵ固有のチャネルのための異なるビーム幅を有する異種のビームタイプ、異なる時間段階における同じＷＴＲＵのための異なるビーム幅を有する異種のビームタイプ、異なるＷＴＲＵのための異なるビーム幅を有する異種のビームタイプ、ならびに／またはＷＴＲＵのロケーションに応じたＷＴＲＵのグループのための異なるビーム幅を有する異種のビームタイプなどのうちの１つまたは複数をサポートできる。異なるビーム幅を有する異種のビームタイプは、共通制御および／またはＷＴＲＵ固有の制御チャネルのために構成し、および／または使用することができる。異なるビーム幅を有する異種のビームタイプは、異なる時間段階における同じＷＴＲＵのために構成し、および／または使用することができる。異なるビーム幅を有する異種のビームタイプは、同じおよび／または異なる時間段階における異なるＷＴＲＵのために構成し、および／または使用することができる。異なるビーム幅を有する異種のビームタイプは、ＷＴＲＵのグループ、例えば、様々なＷＴＲＵのロケーションを有するＷＴＲＵのグループのために構成し、および／または使用することができる。制御オーバヘッド、例えば、データのためのＯＦＤＭシンボルの数に対する制御のためのＯＦＤＭシンボルの数、および／またはデータのためのＯＦＤＭシンボルの数に対するビームスイーピング（beam sweeping：ビーム掃引）のために必要とされるビームの数を、減らすことができる。
【０１４６】
例えば、（例えば、任意の）与えられた時間において、１つのＲＦチェーンおよび／または（例えば、１つの）ビームが形成されたとき、以下のビーム構成のうちの１つまたは複数を検討することができる。
【０１４７】
ビームスイーピング（beam sweeping：ビーム掃引）は、同種のビームタイプ（例えば、同種のワイドビーム）を使用することができる。（例えば、１つもしくは複数または各々の）ビームは、３６０／Ｎ度をカバーする同じビーム幅を有することができ、Ｎは、制御チャネルのためのＯＦＤＭシンボルの数である。例えば、１つもしくは複数または各々のビームは、Ｎ＝３である場合、一度に１２０度をカバーする。ビームスイーピングサイクルは、３６０度をカバーすることができる。同種のビームタイプは、ＷＴＲＵの一様な角度分布のためのものであることができる。同種のビームタイプは、例えば、ＷＴＲＵの非一様な角度分布に対しては、あまり効率的にならないことがある。
【０１４８】
異種のビームタイプは、例えば、ＷＴＲＵの非一様な角度分布に対して、効率的であることができる。ビームスイーピングは、異種のビームタイプ（例えば、異種のワイドビーム）を使用することができる。１つもしくは複数または各々のビームは、異なるビーム幅を有することができるが、依然として、３６０／Ｎ度をカバーし、Ｎは、制御チャネルのためのＯＦＤＭシンボルの数である。１つもしくは複数または各々のビームは、一度に１２０度よりも大きくまたは小さくカバーすることができ、および／または完全なビームスイーピングサイクルは、３６０度をカバーする。例えば、Ｎ＝３である場合、ビームは、６０、１２０、および／または１８０度のビーム幅を有することができる。ｅＮＢは、それが、制御チャネルを（例えば、１つもしくは複数または各々の）ＷＴＲＵに送信するとき、ビーム当たりのＷＴＲＵの数を一様および／または一定に保つことができる。制御チャネルのための一様な探索空間を維持することができる。探索空間は、いくつかのビームに対して過剰利用され、および／または他のビームに対して過少利用されることを回避することができる。
【０１４９】
例えば、２つ以上のＲＦチェーンが、ハイブリッドビームフォーミングのために利用されるとき、ビーム当たりのＷＴＲＵの数は、一定および／またはほぼ一定に保つことができる。ビーム（例えば、１つもしくは複数または各々のビーム）内において、空間多重化のためのランクの数は、制限されることがある。ビーム当たりのそのようなランクの下におけるＷＴＲＵの数の保持は、将来の進化のための空間多重化を可能にするように実行することができる。
【０１５０】
ビームスイーピングは、ナロービームを使用することができる。ビームは、狭いビーム幅を有することができるが、制御チャネルのためのＮ個のＯＦＤＭシンボル内において、ＷＴＲＵをカバーすることができる。例えば、１つもしくは複数または各々のビームは、狭いビーム幅を有することができるが、制御チャネルのためのＮ個のＯＦＤＭシンボル内において、１つもしくは複数またはすべてのＷＴＲＵをカバーすることができる。１つもしくは複数または各々のビームは、一度に１つのＷＴＲＵをカバーすることができ、完全なビームスイーピングサイクルは、Ｎ個のＷＴＲＵをカバーすることができる。Ｋ個のＷＴＲＵに対して、Ｎ≧Ｋである場合、１つのビームスイーピングサイクルは、ＴＴＩ内において、Ｋ個のＷＴＲＵに制御チャネルを配信することができる。Ｎ＜Ｋである場合、１つのビームスイーピングサイクルは、ＴＴＩ内において、Ｋ個のＷＴＲＵのうちの１つもしくは複数またはすべてに、１つもしくは複数またはすべての制御チャネルを配信することができず、または配信することができないことがある。残りのＫ−Ｎ個のＷＴＲＵに制御チャネルを配信するために、別の１つおよび／または複数のＴＴＩを使用する（例えば、必要とする）ことができる。ビームスイーピングのためにいくつのＴＴＩを使用する（例えば、必要とする）ことができるかは、Ｎおよび／またはＫに依存することができる。Ｋ個すべてのＷＴＲＵに、１つもしくは複数またはすべての制御チャネルを配信するために、Ｋ／Ｎ個のビームスイーピングサイクルおよび／またはＴＴＩを必要とすることができる。この例は、Ｎ≧Ｋである場合も機能することができる。この例は、Ｎ＜Ｋであるときは、あまり効率的にならないことがある。例えば、制御のためのＯＦＤＭシンボルの数が増加したとき、オーバヘッドが、増加することがある。例えば、ユーザおよび／またはＫの数が減少したとき、サポートすることができるＷＴＲＵの数は、制限されることがある。ビームスイーピングは、複数のＴＴＩにわたって実行されることがあり、待ち時間（例えば、追加の待ち時間）を導入する。
【０１５１】
ビームスイーピングは、異種のビームタイプ（例えば、異種のワイド／ナロービーム）を使用することができる。ビームは、広いおよび／または狭いビーム幅を有することができるが、制御チャネルのためのＮ個のＯＦＤＭシンボル内において、ＷＴＲＵをカバーすることができる。例えば、１つもしくは複数または各々のビームは、１つもしくは複数または各々の広いおよび／または狭いビーム幅を有することができるが、制御チャネルのためのＮ個のＯＦＤＭシンボル内において、１つもしくは複数またはすべてのＷＴＲＵをカバーすることができる。１つもしくは複数または各々のビームは、一度に１つまたは複数のＷＴＲＵをカバーすることができ、完全なビームスイーピングサイクルは、Ｎ個のＷＴＲＵをカバーすることができる。Ｋ個のＷＴＲＵに対して、Ｎ≧Ｋである場合、１つのビームスイーピングサイクルは、ＴＴＩ内において、Ｋ個のＷＴＲＵに制御チャネルを配信することができる。Ｎ＜Ｋである場合、１つのビームスイーピングサイクルは、ＴＴＩ内において、Ｋ個のＷＴＲＵのうちの１つもしくは複数またはすべてに、１つもしくは複数またはすべての制御チャネルを配信することができる。例えば、Ｎ−１個のナロービームは、Ｎ−１個のＷＴＲＵに、制御を配信することができ、および／または最後のビーム（ワイドビーム）は、残りのＫ−Ｎ＋１個のＷＴＲＵに、制御を配信することができる。残りのＫ−Ｎ個のＷＴＲＵに制御チャネルを配信するために、別の１つおよび／もしくは複数のＴＴＩを使用しなくて（例えば、必要としなくて）よく、または使用しなくて（例えば、必要としなくて）よいことがある。いくつのナロービームおよび／またはワイドビームを使用する（例えば、必要とする）ことができるかは、設計検討事項、ならびに／またはＮおよび／もしくはＫに依存することができる。異種のビームタイプの使用は、制御オーバヘッドを低下させ、待ち時間を低下させ、および／またはサポートすることができるＷＴＲＵの数を増加させることができる。
【０１５２】
異種のビームについて考察することができる。異種のビームは、１つまたは複数の異なる特徴および／または特性、例えば、ビーム幅、送信電力、ローブの数、および／またはアクティブなアンテナ素子の数などと関連付けられた複数のビームとすることができる。異なるビーム幅を有するビームおよび／またはナロービームは、同じセルおよび／またはｅＮＢのために使用することができる。制御情報および／またはＰＤＣＣＨを搬送するナロービームは、個々のＷＴＲＵのために使用することができる。ワイドビームは、制御チャネルおよび／またはＰＤＣＣＨのグループのために使用することができる。異種のビームタイプ、例えば、ワイドおよび／またはナロービームを使用することができる。ワイドビームのために異種のビーム幅を使用することができる。例えば、ビームスイーピングが必要とされるとき、異なるビームタイプおよび／またはビーム幅を使用することができる。例えば、３つのビームについて、ビーム１、２、および／または３は、それぞれ、ビーム幅ｘ、ｙ、および／またはｚを有することができる。一様な設定については、ビーム１、２、および／または３は、ビーム幅ｘ＝ｙ＝ｚを有することができる。非一様な設定については、ｘ、ｙ、および／またはｚは、互いに等しくすることができず、または等しくすることができないことがある。ｘ、ｙ、および／またはｚの設定に応じて、異なるビーム幅を有するワイドビームおよび／またはナロービームを構成し、および／または形成することができる。
【０１５３】
ビームフォーミング基準信号（ＢＲＳ）をサポートするために、アンテナポートは、ＢＲＳを送信するように設計することができる。ビーム固有のアンテナポートを設計し、および／または割り当てることができる。アンテナポートは、共通制御および／またはＷＴＲＵ固有の制御情報を送信するために使用することができるビームに対して設計することができる。アンテナポートは、ＢＲＳと呼ばれる基準信号と関連付けることができる。ＢＲＳは、制御チャネルを復調するために使用することができる。アンテナポートは、例えば、ＢＲＳ間の相互干渉を回避するために、時間、周波数、符号、および／またはそれらの任意の組み合わせにおいて、互いに直交であることができる。設計は、ＢＲＳについての偶数／奇数パターンを使用することができる。偶数および／または奇数ＢＲＳは、異なる周波数および／または時間グリッド内に割り当てることができる。偶数ＢＲＳ（Ｅ−ＢＲＳ）は、同じ周波数および／または時間グリッド内に配置することができる。奇数ＢＲＳ（Ｏ−ＢＲＳ）は、同じ周波数および／または時間グリッド内に配置することができる。Ｅ−ＢＲＳおよび／またはＯ−ＢＲＳは、異なるリソース、例えば、互いに直交するリソース内に割り当てることができる。制御チャネルについては、制御ビームＲＳ（ＣＢＲＳ）を使用することができる。偶数ＣＢＲＳ（Ｅ−ＣＢＲＳ）は、同じ周波数および／または時間グリッド内に配置することができる。奇数ＣＢＲＳ（Ｏ−ＣＢＲＳ）は、同じ周波数および／または時間グリッド内に配置することができる。Ｅ−ＣＢＲＳおよび／またはＯ−ＣＢＲＳは、異なるリソース、例えば、互いに直交するリソース内に割り当てることができる。データチャネルについては、データＢＲＳを使用することができる。
【０１５４】
偶数ビームにおいて、ＥＡＰは、制御チャネルのためのＥ−ＣＢＲＳを送信することができる。奇数ビームにおいて、ＯＡＰは、制御のためのＯ−ＣＢＲＳを送信することができる。ＥＡＰおよび／またはＯＡＰは、直交リソース内に存在することができる。Ｅ−ＣＢＲＳおよび／またはＯ−ＣＢＲＳは、直交リソース内に存在することができる。ＥＡＰおよび／もしくはＯＡＰの間、またはＥ−ＣＢＲＳおよび／もしくはＯ−ＣＢＲＳの間の相互干渉は、回避することができる。
【０１５５】
（例えば、２つのＢＲＳ（Ｅ−ＣＢＲＳ、Ｏ−ＣＢＲＳ）の代わりに、および／またはそれらに加えて）１つまたは複数（例えば、ただ１つ）のＢＲＳを使用することができる。例えば、１つのＢＲＳを他の設計よりも効率的にするために、（例えば、完璧な）空間分離を達成することができる。偶数ビームにおけるＢＲＳおよび／またはＥ−ＣＢＲＳは、制御チャネルのためにアクティブであることができる。奇数ビームにおけるＢＲＳおよび／またはＯ−ＣＢＲＳは、制御チャネルのためにアクティブであることができず、またはアクティブであることができないことがある。奇数ビームにおけるＢＲＳおよび／またはＯ−ＣＢＲＳは、データのために再使用することができる。Ｏ−ＣＢＲＳは、制御のためにアクティブであることができ、および／またはＥ−ＣＢＲＳは、制御のためにアクティブであることができず、もしくはアクティブであることができないことがある。Ｅ−ＣＢＲＳは、データのために再使用することができる。例えば、完璧な空間分離を達成することができず、または達成することができないことがあるときは、偶数および／または奇数ビームにおけるＣＢＲＳは、データのために再使用することができず、または再使用することができないことがある。ビームのサイドローブは、空間分離に関連することができる。例えば、ビームのサイドローブは、完璧な空間分離を妨げることがある。ＢＲＳおよび／またはＣＢＲＳのためのアンテナポートを設計するとき、アンテナパターンを考慮することができる。ＢＲＳおよび／またはＣＢＲＳのためのアンテナポートを設計するとき、サイドローブを考慮することができる。データビームのためのアンテナポートおよび／またはＢＲＳ設計は、類似していることがある。
【０１５６】
空間分離および／またはリソース再使用ファクタは、チャネル設計の効率に関連することができる。例えば、Ｅ−ＣＢＲＳおよび／またはＯ−ＣＢＲＳは、２つについてのリソース再使用ファクタが考慮されるとき、それらの間の相互干渉を回避することができる。２つについてのリソース再使用ファクタは、効率的と見なすことができる。例えば、完璧な空間分離が達成可能であるときは、リソース再使用ファクタＱ＝１であると見なすことができる。例えば、完璧な空間分離を達成することができず、または達成することができないことがあるときは、再使用ファクタＱは、２以上になるように設定することができる。例えば、制御チャネルのための順次的なビームスイーピングについては、再使用ファクタは、１になるように設定することができる。例えば、並列的なビームスイーピングおよび／または送信については、リソース再使用ファクタは、２以上になるように設定することができる。並列的なビームスイーピングおよび／または送信は、例えば、並列的に送信される２つ以上のビームが、制御のためのＮ個のＯＦＤＭシンボルを介して、同時にＫ個のＷＴＲＵにわたってスイープするときに、発生することができる。例えば、空間分離が完璧でないときは、並列的なビーム送信中、ビーム間の潜在的な相互干渉が、発生することがある。リソース再使用ファクタは、２以上になるように設定することができる。
【０１５７】
マルチレイヤビームフォーミングについては、例えば、ワイドビームおよび／またはナロービームが共存することができるときは、ワイドおよび／またはナロービームのためのＢＲＳの間の直交性を可能にするために、周波数／時間グリッドにおける何らかのオフセットを適用することができる。例えば、それらが同時に役立てられることができ（例えば、役立てられなければならず）、２つの（例えば、ただ２つの）ビームが利用可能であり、ならびに／または２つのビームがワイドビームおよび／もしくはナロービームを含むことができるときは、ナロービームは、ＷＴＲＵグループの中の１つのＷＴＲＵの役に立つことができ、一方、ワイドビームは、ＷＴＲＵグループの中の残りのＷＴＲＵの役に立つことができる。ナロービームおよび／またはワイドビームは、重なり合うことができる。ナロービームおよび／またはワイドビームは、例えば、それらの間の空間分離が生じないときは、共存を可能にするために、ＦＤＭを使用することができる。ナロービームおよび／またはワイドビームに対して、ＦＤＭを使用するＢＲＳを適用することができる。
【０１５８】
ＢＲＳと関連付けられた１つまたは複数の技法を、データＢＲＳおよび／または制御ＢＲＳに適用することができる。制御チャネルをデコードすることができる。例えば、制御チャネルをデコードするために、ＣＢＲＳを介して、チャネル推定を実行することができる。
【０１５９】
例えば、偶数ビームにおいては、チャネル推定および／または制御チャネル復調のために、エネルギー検出を使用することができる。例えば、偶数ビームにおいては、Ｅ−ＣＢＲＳは、オンにすることができ、および／またはＯ−ＣＢＲＳは、オフにすることができる。ビームインデックスは、前もってデコードされないことがある。制御チャネルをデコードするために、エネルギー検出を使用して、どのアンテナポートがチャネル推定のために使用されるかを決定することができる。
【０１６０】
例えば、偶数／奇数ＢＲＳが使用されるときは、データチャネルをデコードするために、チャネル推定を実行することができる。ビームインデックスは、制御チャネルにおいて、すでにデコードされていることがある。以下のうちの１つまたは複数によって、偶数／奇数ビームインデックスを取得することができる。偶数ビームにおいては、例えば、ビームエッジにおけるＢＲＳの間の相互干渉を回避するために、偶数ＤＢＲＳは、オンであることができ、奇数ＤＢＲＳは、オフであることができる。エネルギー検出を使用して、どのアンテナポートをチャネル推定のために使用することができるかを決定することができる。それは、奇数ビームについても同様である。偶数ビームにおいては、偶数ＤＢＲＳは、オンであることができ、奇数ＤＢＲＳは、オンであることができるが、データのために使用することができ、冗長データは、制御のためとすることができ、および／またはいくつかの短い制御メッセージを搬送することができる。ビームエッジにおけるＲＳおよび／またはデータ／その他の間の相互干渉が、発生することがある。それは、奇数ビームについても同様である。
【０１６１】
ＷＴＲＵは、ブラインドエネルギー検出に依存することができず、または依存することができないことがある。おそらくは、例えば、ＷＴＲＵが正しいエネルギーレベルを検出することができず、または検出することができないことがある場合であっても、ＷＴＲＵは、偶数／奇数ＤＢＲＳの間で決定することができる。制御チャネルデコーディングの後にデータ復調を実行することができるという仮定が、存在することができる。制御チャネルデコーディングにおいて、１つまたは複数のビームインデックスを取得する（例えば、すでに取得している）ことができる。
【０１６２】
（例えば、１つもしくは複数または各々の）セルは、複数の、例えば、１つもしくは複数または各々のワイドビームに対して１つの、ＰＤＣＣＨリージョンを有することができる。（例えば、１つもしくは複数または各々の）ＰＤＣＣＨは、ビーム固有のＢＲＳ系列を搬送することができる。制御チャネルシンボルにおけるＢＲＳ  ＲＥマッピングは、ＰＣＩの関数とすることができる。制御チャネルシンボルにおけるＢＲＳ  ＲＥマッピングは、ビームインデックスの関数とすることができる。ＢＲＳにおいて搬送される系列は、関係付けられたＰＢＣＨによって提供することができる。
【０１６３】
ＷＴＲＵは、ＰＤＣＣＨを監視することができる。ＷＴＲＵは、制御シンボルロケーションにおいて、サービングビームと関連付けられたＢＲＳを検出することができる。制御シンボルロケーションは、固定的であることができる。例えば、制御シンボルロケーションが、固定的でなく、および／または可変であるときは、ＷＴＲＵは、セルＰＣＦＩＣＨによって定義される（例えば、１つもしくは複数またはすべての）制御シンボルにおいて、ＢＲＳ検出動作を実行することができる。例えば、おそらくは、制御シンボルロケーションが、固定的でないことがあり、および／または可変であることがあるときは、ＷＴＲＵは、ビーム固有のＰＣＦＩＣＨによって定義されるある制御シンボル（例えば、その制御シンボルだけ）において、ＢＲＳ検出動作を実行することができる。ＷＴＲＵは、測定されたＢＲＳＲＰを、実施依存の閾値と比較することができる。例えば、ＢＲＳＲＰが、閾値よりも大きいときは、ＷＴＲＵは、ＰＤＣＣＨデコーディングを実行することができる。例えば、おそらくは、半静的なグラントが構成されない限り、ＷＴＲＵは、現在のＴＴＩ内においてはＤＬ／ＵＬグラントは受信されないと仮定することができる。
【０１６４】
ＰＤＣＣＨ  ＢＲＳのためのサブフレーム構造および／または配置を設計することができる。順次的なビームスイーピングについて、図１８は、制御ＢＲＳについての例示的なサブフレーム構造および／または配置とすることができる。リソースは、図１８に示すことができる。図１８における例示的なサブフレームは、３つの制御シンボルと、その後に続くいくつかのデータシンボルを示している。ビームを、ビーム１、２、および／または３（例えば、Ｂ１、Ｂ２、および／またはＢ３）の順序によって、順次的に３つの制御シンボルにわたってスイープさせることができる。
【０１６５】
図１９は、周波数および／または時間の２つの次元における例示的なリソース割り当てとすることができる。ＢＲＳは、（例えば、１つもしくは複数または各々の）制御シンボルにおいて使用することができ、ならびに／または周波数にわたって一様に（および／もしくは非一様に）配置することができる。図１９は、ＢＲＳが、１つもしくは複数またはすべての制御シンボルにわたって、周波数において同じロケーションを有することができることを示している。他の割り当てを使用することができ、例えば、ＢＲＳは、異なる制御シンボルにわたって、周波数において異なるロケーションに存在することができる。ＢＲＳは、スタッガードパターンおよび／または設計を用いることができる。
【０１６６】
図２０は、並列的なビームスイーピングのための例示的な制御ＢＲＳサブフレーム構造および／または配置とすることができる。リソースは、ブロック図でも示すことができる。図２０における例示的なサブフレームは、３つの制御シンボルと、その後に続くいくつかのデータシンボルを示している。１つまたは複数のビームを、ビーム１＆２、３＆４、および／または５＆６（例えば、Ｂ１／Ｂ２、Ｂ３／Ｂ４、および／またはＢ５／Ｂ６）の順序によって、順次的に３つの制御シンボルにわたってスイープさせることができる。制御シンボルにおいて、並列的なビームを使用することができる。制御シンボルにおいて、２つの並列的なビームを同時に使用することができる。例えば、合計６つのビームを、３つの制御シンボルにわたってスイープさせることができる。制御チャネルによってカバーされるユーザの数は、並列的なビーム送信および／またはスイーピングを使用することによって、増加させることができる。システムの容量は、増加することができる。
【０１６７】
図２１は、周波数および時間の２つの次元における例示的なリソース割り当てとすることができる。ＢＲＳは、制御シンボルにおいて使用することができ、ならびに／または周波数にわたって一様に（および／もしくは非一様に）配置することができる。ＢＲＳは、連続的および／または非連続的に配置することもできる。例えば、Ｏ−ＢＲＳおよび／またはＥ−ＢＲＳは、Ｏ−ＢＲＳ／Ｅ−ＢＲＳのペア内に、連続的に配置することができる。Ｏ−ＢＲＳ／Ｅ−ＢＲＳのペアは、周波数にわたって一様および／または非一様に配置することができる。Ｏ−ＢＲＳおよび／またはＥ−ＢＲＳは、Ｏ−ＢＲＳ／Ｅ−ＢＲＳのペア内に、非連続的に配置することができる。Ｏ−ＢＲＳ／Ｅ−ＢＲＳのペアは、周波数にわたって一様および／または非一様に配置することができる。例は、Ｏ−ＢＲＳ／Ｅ−ＢＲＳペアが、１つもしくは複数またはすべての制御シンボルにわたって、周波数において同じロケーションを有することを示すことができる。例えば、ＢＲＳが、異なる制御シンボルにわたって、周波数において異なるロケーションに存在することができるときは、他の割り当てを使用することもできる。ＢＲＳは、スタッガードパターンおよび／または設計を用いることができる。
【０１６８】
ｍｍＷ  ＰＣＦＩＣＨの設計は、例えば、セル固有の制御リージョン、および／またはビーム固有の制御リージョンを含むことができる。サブフレームにおいては、１つまたは複数のビームフォーミングされた制御チャネルは、制御リージョン内において時間多重化された１つまたは複数の制御シンボルの間に、送信することができる。全体的な制御リージョンサイズ／長さ／持続時間は、以下のうちの、すなわち、送信のために選択された制御チャネルビームの数、（例えば、１つもしくは複数または各々の）制御チャネルビームによって占有される制御シンボルの数、ビーム固有の制御リージョンの事前定義された最大サイズ／長さ／持続時間、および／またはセル固有の制御リージョンの事前定義された最大サイズ／長さ／持続時間などのうちの１つまたは複数の関数とすることができる。
【０１６９】
制御チャネルビームの数、および／またはサブフレーム内における制御チャネルビームの最大数は、固定的であることができる。制御チャネルビームの数は、セルカバレージ内における制御チャネルビームの総数以下であることができる。制御シンボルの数は、制御チャネルビームの数、および／または制御チャネルビーム当たりのシンボルの数の関数とすることができる。制御シンボルの数、および／またはサブフレーム内における制御シンボルの最大数は、固定的であることができる。部分的スイープ機能、および／または制御チャネルビームサブセット選択機能は、以下のうちの、すなわち、サブフレーム内における制御シンボルの数、および／または制御チャネルビーム当たりの制御シンボルの数などのうちの１つまたは複数に基づいて、制御チャネルビームを選択することができる。データシンボルに対する制御シンボルの比は、事前定義された値（例えば、制御オーバヘッドパーセンテージ）以下になるように構成することができる。制御チャネルビーム当たりの制御シンボルの数は、制御チャネルビーム内におけるＷＴＲＵの数、ならびに／または制御チャネルビームのタイプ（例えば、共通制御チャネルビーム、および／もしくはＷＴＲＵ固有の制御ビーム）の関数とすることができる。
【０１７０】
制御リージョンの少なくとも部分は、制御リージョンの数々の部分の一部であることができる。制御リージョンの部分の数は、制御リージョンのために構成されるシンボルの数の関数とすることができる。制御リージョンの部分の数は、制御リージョンのために使用されるシンボルの数の関数とすることができる。
【０１７１】
セル固有の制御リージョン構成を示すことができる。ＷＴＲＵは、ブロードキャストチャネル（例えば、ＭＩＢ、ＳＩＢ−ｘ）、および／または他の任意の共通チャネルから、セル固有の制御リージョンの表示および／または構成を受信することができる。構成は、ＷＴＲＵ固有とすることができる。構成は、専用シグナリング（例えば、ＭＡＣおよび／またはＲＲＣメッセージ）を使用して、伝達することができる。物理チャネル／信号（例えば、セルＰＣＦＩＣＨ）を定義することができる。物理チャネル／信号は、例えば、セル固有の制御リージョンについての、構成を搬送することができる。新しい物理チャネル／信号は、サブフレーム内の１つまたは複数の事前定義されたシンボル内に配置することができる。セルＰＣＦＩＣＨは、無指向性ビームおよび／またはワイドビームを用いて送信することができる。セルＰＣＦＩＣＨは、ナロービームを用いて送信することができる。セルＰＣＦＩＣＨは、ワイドビーム内に２つ以上の繰り返しを含むことができる。セルＰＣＦＩＣＨは、ナロービーム内に２つ以上の繰り返しを含むことができる。ＷＴＲＵは、セルＰＣＦＩＣＨ繰り返しからのエネルギーを蓄積して、ＳＮＲを増加させることができる。セルＰＣＦＩＣＨは、例えば、ワイドおよび／またはナロービームを使用して送信されるとき、カバレージを提供するために、異なる方向において繰り返すことができる。セルＰＣＦＩＣＨは、例えば、ワイドおよび／またはナロービームを使用して送信されるとき、カバレージを提供するために、異なるビーム幅で繰り返すことができる。セルＰＣＦＩＣＨのために使用されるビームは、同期チャネル（ＰＳＳおよび／もしくはＳＳＳならびに／または他の任意の信号）のうちの１つまたは複数のために使用されるビームと同じとすることができる。セルＰＣＦＩＣＨのために使用されるビームは、ＰＢＣＨのために使用されるビームと同じとすることができる。１つまたは複数のＷＴＲＵは、同じビーム内においてＰＳＳを搬送するシンボルからの事前定義されたオフセットを適用することによって、セルＰＣＦＩＣＨシンボルのロケーションを決定することができる。
【０１７２】
少なくとも１つのＤＬ制御チャネルは、１つまたは複数の直交周波数分割多重（ＯＦＤＭ）シンボルを介して伝達することができる。少なくとも１つのＤＬ制御チャネルをその上で伝達することができる１つまたは複数のＯＦＤＭシンボルは、制御リージョン内に配置することができる。ＷＴＲＵは、物理制御フォーマットインジケータチャネル（ＰＣＦＩＣＨ）を介して、制御リージョン内の１つまたは複数のＯＦＤＭシンボルの数を取得することができる。いくつかのシナリオにおいては、ＰＣＦＩＣＨは、同期チャネルのビームを介して、および／または物理ブロードキャストチャネル（ＰＢＣＨ）のビームを介して、取得することができる。
【０１７３】
ＷＴＲＵは、同じビーム内においてＳＳＳを搬送するシンボルからの事前定義されたオフセットを適用することによって、セルＰＣＦＩＣＨシンボルのロケーションを決定することができる。１つまたは複数のＷＴＲＵは、同じビーム内においてＰＢＣＨを搬送するシンボルからの事前定義されたオフセットを適用することによって、セルＰＣＦＩＣＨシンボルのロケーションを決定することができる。サブフレーム（例えば、すべてのサブフレーム）内に、別のチャネル／ビームセルＰＣＦＩＣＨの時間および／または周波数ロケーションを含むことができるときは、関係性（例えば、２つのチャネル／ビームの間の事前定義されたオフセット）を使用して、チャネル／ビームの時間および／または周波数ロケーションを決定することができる。ｎ個のサブフレームおよび／またはサブフレーム（例えば、ｎ個おきのサブフレームおよび／またはすべてのサブフレーム）内に、別のチャネル／ビームセルＰＣＦＩＣＨの時間および／または周波数ロケーションを含むことができるときは、関係性（例えば、２つのチャネル／ビームの間の事前定義されたオフセット）を使用して、チャネル／ビームの時間および／または周波数ロケーションを決定することができる。セルＰＣＦＩＣＨは、サブフレーム内の事前定義されたロケーション、例えば、サブフレームの先頭数個のシンボル内において送信することができる。
【０１７４】
おそらくは、例えば、少なくとも１つの基準信号の検出時に、少なくとも１つのデータチャネルを求めて、少なくとも１つの基準信号に対応する少なくとも１つの探索空間を監視することができる。少なくとも１つの探索空間は、持続時間を有することができる。少なくとも１つのデータチャネルの時間ロケーションは、おそらくは、例えば、少なくとも１つの基準信号、または持続時間に基づいて、決定することができる。
【０１７５】
セル固有の制御リージョンサイズは、固定的であることができる。セル固有の制御リージョンサイズは、セル固有の制御リージョンの最大サイズ／長さ／持続時間を示すことができる。セル固有の制御リージョンサイズは、半静的であることができる。セル固有の制御リージョンサイズは、ｎ個のサブフレームについてのセル固有の制御リージョンのサイズ／長さ／持続時間を示すことができる。ｎは、対応するＭＩＢ／ＳＩＢ−ｘの、および／または他の共通チャネル（例えば、他の任意の共通チャネル）の周期性以上であることができる。セル固有の制御リージョンサイズは、そのサブフレーム内で送信される、ある（例えば、１つもしくは複数またはすべての）制御チャネルビームのビーム固有の制御リージョンサイズの総和以上であることができる。セル固有の制御リージョンサイズは、最大のビーム固有の制御リージョンサイズおよび／またはサブフレーム内における制御チャネルビームの最大数の積と等しくすることができる。最大のビーム固有の制御リージョンサイズ、および／またはサブフレーム内における制御チャネルビームの最大数は、規格において事前定義することができる。最大のビーム固有の制御リージョンサイズ、および／またはサブフレーム内における制御チャネルビームの最大数は、共通／ブロードキャストチャネルにおいて構成することができる。例えば、セル固有の制御リージョンサイズが、そのサブフレーム内で送信される、ある（例えば、１つもしくは複数またはすべての）制御チャネルビームのビーム固有の制御リージョンサイズの総和以上であるときは、制御リージョン内における１つまたは複数のシンボルは、データチャネルを搬送することができる。ＷＴＲＵは、セル固有の制御リージョンのための２つ以上の構成を受信することができる。例えば、１つの構成は、柔軟なマッピングを用いるサブフレームに対して適用することができる。１つの構成は、固定的なマッピングを用いるサブフレームに対して適用することができる。
【０１７６】
１つまたは複数のＷＴＲＵは、柔軟なマッピングのための（例えば、柔軟なマッピングのためだけの）構成を受信することができ、および／またはＷＴＲＵは、事前定義された構成（例えば、セル固有の制御リージョンについての固定長および／または最大長）を、固定的なマッピングに対して適用することができる。構成は、共通制御チャネルに対して適用することができ、および／または構成は、ＷＴＲＵ固有の制御チャネルに対して適用することができる。セル固有の制御リージョン構成、例えば、セルＰＣＦＩＣＨは、動的であることができる。セル固有の制御リージョン構成、例えば、セルＰＣＦＩＣＨは、（例えば、すべての）サブフレームごとに様々であることができる。セルＰＣＦＩＣＨは、サブフレーム内における共通制御リージョンの存在を示すことができる。セルＰＣＦＩＣＨは、サブフレーム内における共通制御リージョンの終了および／または開始を示すことができる。ＷＴＲＵは、共通制御リージョンによって占有されない制御リージョンの残りは、専用制御リージョンとすることができることを仮定することができる。
【０１７７】
セル固有の制御リージョン構成は、内容を有することができる。構成は、セル固有の制御リージョンのサイズ／持続時間／期間の長さを含むことができ、および／または識別することができる。長さは、以下のうちの、すなわち、サブフレーム、タイムスロット、および／またはＯＦＤＭシンボルの数などのうちの１つまたは複数で表現することができる。１つまたは複数のＷＴＲＵは、セル固有の制御リージョンの開始を、サブフレーム内の最初のシンボルであると仮定することができる。ＷＴＲＵは、セル固有の制御リージョンの最初および／または最後のシンボルについての明示的な表示を受信することができる。セル固有の制御リージョン構成において送信される値は、論理値とすることができる。セル固有の制御リージョン構成において送信される値は、セル固有の制御リージョンの実際の持続時間／長さ／期間への事前定義されたマッピングを有することができる。ＷＴＲＵは、セル固有の制御リージョン構成の表示を使用して、セル固有の制御リージョンの終了を計算し、および／または決定することができる。ＷＴＲＵは、セル固有の制御リージョン構成の表示を使用して、データリージョンの開始を計算し、および／または決定することができる。構成は、サブフレームにおいて（例えば、現在のサブフレームにおいて、および／またはｎ個の後続するサブフレームにおいて、および／またはいくつかもしくはすべてのサブフレームにおいて）送信される制御チャネルビームの数を含む／識別することができる。構成は、制御チャネルビームに対して適用されるマッピングのタイプ（例えば、固定的および／または柔軟なマッピング）を含む／識別することができる。構成は、サブフレーム内で送信されるある（例えば、１つもしくは複数またはすべての）制御チャネルビームのビーム識別情報（例えば、ＲＳ系列ＩＤ、アンテナポート番号、および／または制御チャネル番号）を含むことができる。サブフレームは、現在のサブフレーム、ｎ個の後続するサブフレーム、および／またはある（例えば、１つもしくは複数もしくはすべての）サブフレームとすることができる。
【０１７８】
ビーム固有の制御リージョン構成を示すことができる。１つまたは複数のＷＴＲＵは、ブロードキャストチャネル（例えば、ＭＩＢ、ＳＩＢ−ｘ）から、ビーム固有の制御リージョンサイズについての表示および／または構成を受信することができる。ＷＴＲＵは、他の任意の共通チャネル／信号から、ビーム固有の制御リージョンサイズについての表示および／または構成を受信することができる。ビーム固有の制御リージョンサイズ／長さ／持続時間は、一定値として事前定義することができる。一定値は、最大値として扱うことができる。セル内における異なるビームは、異なるビーム固有の制御リージョン構成を有することができる。ビーム固有の制御リージョンサイズ／長さ／持続時間は、半静的であることができる。ビーム固有の制御リージョン構成は、セル内における異なるビームごとに様々であることができる。例えば、共通制御チャネルビームは、ＷＴＲＵ固有の制御チャネルビームについての構成とは異なる構成を有することができる。共通制御チャネルについてのビーム固有の制御リージョン構成は、固定的および／または半静的であることができる。ＷＴＲＵ固有の制御チャネルビームについてのビーム固有の制御リージョン構成は、動的であることができる。
【０１７９】
構成は、ＷＴＲＵ固有および／またはビーム固有であることができる。構成は、専用シグナリング（例えば、ＭＡＣおよび／またはＲＲＣメッセージ）を使用して、伝達することができる。専用シグナリングが存在しない場合、ＷＴＲＵは、ＭＩＢ／ＳＩＢ−ｘにおける構成、および／または事前定義された値を適用することができる。物理チャネル／信号（例えば、ビームＰＣＦＩＣＨ）を定義することができる。物理チャネル／信号は、ビーム固有の制御リージョンについての構成を搬送することができる。セルおよび／またはｍＢは、同じサブフレーム内において、複数のビームＰＣＦＩＣＨを送信することができる。ビームＰＣＦＩＣＨは、特定のビームパターンおよび／またはビーム幅を用いて送信することができる。ビームＰＣＦＩＣＨは、対応するビーム固有の制御リージョン構成を搬送することができる。特定のビームについてのビーム固有の制御リージョン構成は、サブフレームにわたって様々であることができる。サブフレーム内におけるビームについてのビームＰＣＦＩＣＨは、そのサブフレーム内における対応する制御チャネルビーム（例えば、同様の特性および／または特徴を有するビーム）の存在に基づいて、条件付きで送信することができる。ビームＰＣＦＩＣＨ送信は、制御チャネルビーム送信と結合することができる。制御チャネルおよび／またはビームＰＣＦＩＣＨは、例えば、ビームドエルタイム内に、送信することができる。ビームＰＣＦＩＣＨのために使用されるビームは、それについての構成を提供／伝達することができる対応する制御チャネルと同じであることができる。ビームＰＣＦＩＣＨは、時間多重化することができる（例えば、ＰＤＣＣＨ内の異なるシンボルおよび／または最初の数個のシンボル）。ビームＰＣＦＩＣＨは、制御チャネル送信と周波数多重化することができる（例えば、ＣＣＥ、ＲＥ、および／またはＲＢ）。
【０１８０】
ｍＢは、ある（例えば、１つもしくは複数またはすべての）ビームＰＣＦＩＣＨを送信することができ、および／またはある順序で制御チャネルビームを送信することができる。ｍＢは、例えば、セルＰＣＦＩＣＨが、ワイドおよび／またはナロービームを用いて送信されるときは、ビームＰＣＦＩＣＨ、および／またはセルＰＣＦＩＣＨ、および／または制御チャネルを多重化することができる。ｍＢは、例えば、セルＰＣＦＩＣＨが、ワイドおよび／またはナロービームを用いて送信されるときは、ビームＰＣＦＩＣＨ、および／またはセルＰＣＦＩＣＨ、および／または制御チャネルを多重化することができる。ビームＰＣＦＩＣＨは、セル固有の構成および／またはビーム固有の制御リージョン構成を搬送することができる。ビームＰＣＦＩＣＨは、制御チャネルビームによって使用されるビームパターンとは異なるビームパターンを用いて、送信することができる。（例えば、１つの）ビームＰＣＦＩＣＨは、複数の制御チャネルビームについての構成を搬送することができる。ＷＴＲＵは、ビームＰＣＦＩＣＨの存在を決定することができる。例えば、ＷＴＲＵは、セルＰＣＦＩＣＨ内のビットおよび／またはビットマップによって示される、ビームＰＣＦＩＣＨの存在を決定することができる。ＷＴＲＵは、セルＰＣＦＩＣＨ内の（例えば、１つもしくは複数または各々の）制御ビームについてのビットおよび／またはビットマップによって示される、ビームＰＣＦＩＣＨの存在を決定することができる。
【０１８１】
ビーム固有の制御リージョン構成は、内容を有することができる。ＷＴＲＵは、ビーム固有の制御リージョン構成からビーム固有の探索空間を決定することができる。ビーム固有の制御リージョン構成は、以下のうちの、すなわち、ある（例えば、１つもしくは複数またはすべての）ビームに共通の（例えば、単一の）ビーム固有の制御リージョンサイズ、（例えば、１つもしくは複数または各々の）ビームごとに別々のビーム固有の制御リージョンサイズ、および／または類似の制御リージョンサイズを有するビームのグループとしてのビーム固有の制御リージョンサイズなどのうちの１つまたは複数を含むことができる。構成は、ビーム固有の制御リージョンサイズ／持続時間／期間の長さを含むこと、および／または識別することができる。サイズは、以下のうちの、すなわち、サブフレーム、タイムスロット、および／またはＯＦＤＭシンボルの数などのうちの１つまたは複数で表現することができる。１つまたは複数のＷＴＲＵは、ビーム固有の制御リージョンの最初および／または最後のシンボルについての明示的な表示を受信することができる。ビーム固有の制御リージョン構成において送信される値は、論理値とすることができる。ビーム固有の制御リージョン構成において送信される値は、ビーム固有の制御リージョンの実際の持続時間／長さ／期間への事前定義されたマッピングを有することができる。ＷＴＲＵは、ビーム固有の制御リージョン構成の表示を使用して、例えば、ビーム固有の制御リージョンの終了を計算し、および／または決定することができる。ＷＴＲＵは、ビーム固有の制御リージョン構成の表示を使用して、例えば、データリージョンの開始を計算し、および／または決定することができる。
【０１８２】
構成は、サブフレームにおいて（例えば、現在のサブフレームにおいて、および／またはｎ個の連続するサブフレームにおいて、および／またはある（例えば、１つもしくは複数またはすべてのサブフレームにおいて））、対応する制御チャネルビームを搬送する、制御シンボルの数を含むこと／識別することができる。構成は、制御チャネルビームに対して適用されるマッピングのタイプ（例えば、固定的および／または柔軟）を含むこと／識別することができる。構成は、サブフレームにおいて（例えば、現在のサブフレームにおいて、および／またはｎ個の連続するサブフレームにおいて、および／またはすべてのサブフレームにおいて）送信される、対応する制御チャネルビームのビーム識別情報（例えば、ＲＳ系列ＩＤ、および／またはアンテナポート番号、および／または制御チャネル番号）も含むことができる。
【０１８３】
ＷＴＲＵ監視は、アイドルモードにおいて実行することができる。監視は、共通制御チャネルビームを選択することができる。ＷＴＲＵは、（例えば、アイドルモードにおいて）アクティブなデータ転送に関わることができず、または関わることができないことがある。例えば、ＷＴＲＵは、監視を実行するための１つまたは複数の共通制御チャネルビームを選択するときに、アイドルモードにあることができる。ＷＴＲＵは、１つまたは複数の共通制御チャネルビームを監視することができる。ＷＴＲＵは、システム情報を受信するために、１つまたは複数の共通制御チャネルビームを監視することができる。ＷＴＲＵは、メッセージをページングするために、１つまたは複数の共通制御チャネルビームを監視することができる。ＷＴＲＵは、粗いビーム追跡／ビームフォーミングを実行するために、１つまたは複数の共通制御チャネルビームを監視することができる。ＷＴＲＵは、ビームトレーニングを受信するために、１つまたは複数の共通制御チャネルビームを監視することができる。ＷＴＲＵは、監視のための１つまたは複数の共通制御チャネルビームを選択することができる。ＷＴＲＵは、ビームフォーミングされたＲＳ上において測定を実行することができる。ＲＳは、ビーム評価目的で、共通制御チャネルビームと多重化することができず、または多重化することができないことがある。共通制御チャネルビームは、ＷＴＲＵ固有のビームとは異なる基準信号によって検出し／測定し／識別することができる。ある（例えば、１つもしくは複数またはすべての）共通制御チャネルビームは、セル固有とすることができる同じ基準信号と関連付けることができる。
【０１８４】
（例えば、１つもしくは複数または各々の）共通制御チャネルビームは、異なる基準信号系列と関連付けることができる。ＷＴＲＵは、ある（例えば、１つもしくは複数またはすべての）共通制御チャネルビームを選択することができる。ＷＴＲＵは、測定された信号品質（例えば、ＲＳＲＰ、ＳＮＲ、ＳＩＮＲ、ＲＳＲＱなど）が閾値を上回ることができる、ある共通制御チャネルビームを選択することができる。ＷＴＲＵは、監視目的で、測定された信号品質に基づいて、（例えば、最良の）ビームを選択することができる。ＷＴＲＵは、サブフレームの制限されたセット上において、例えば、ＰＢＣＨおよび／または同期チャネルを送信することができるサブフレーム上において、信号品質測定を実行することができる。ＷＴＲＵは、例えば、制御チャネルビームおよび／または制御シンボルの間に固定的なおよび／または事前定義されたマッピングが存在する、サブフレーム上において、信号品質測定を実行することができる。
【０１８５】
ＷＴＲＵは、異種の制御チャネルビームを使用して、同期ビームおよび／または制御チャネルビームの間の明示的および／または暗黙的な関係性を受信することができる。１つまたは複数のＷＴＲＵは、異種の制御チャネルビームを使用して、ＰＢＣＨビームおよび／または制御チャネルビームの間の明示的および／または暗黙的な関係性を受信することができる。ＷＴＲＵのセル選択および／または再選択は、ＰＢＣＨビームに基づくことができる。１つまたは複数のＷＴＲＵのセル選択および／または再選択は、同期ビームに基づくことができる。ＷＴＲＵは、本明細書における監視を実行するために、関係付けられたサービングＰＢＣＨに基づいて、あるタイプの制御チャネルビームを選択することができる。ＷＴＲＵは、本明細書における監視を実行するために、関係付けられたサービング同期ビームタイプに基づいて、あるタイプの制御チャネルビームを選択することができる。例えば、ＰＢＣＨ／同期ビーム、および／または同じビーム上の対応する制御チャネルの間に、事前構成されたオフセットを定義することができる。オフセットは、時間（例えば、サブフレーム、シンボル）および／または周波数に関するものであることができる。
【０１８６】
１つまたは複数のＷＴＲＵは、同じビーム上において、例えば、フレーム構造内の事前構成されたロケーションにおいて、ＰＢＣＨを探索することによって、制御チャネルビームの存在を決定することができる。ＷＴＲＵは、ビーム固有の基準信号を使用して、ビームタイプの存在を検出することができる。ビーム固有の基準信号は、セルＩＤの関数として定義することができる。１つまたは複数のＷＴＲＵは、発見信号、および／またはＰＢＣＨを介するセル内におけるビームの数から、セルＩＤを決定することができる。ＷＴＲＵは、セルに関連付けられたビーム基準信号のセットから、セルＩＤを決定することができる。ビーム基準信号は、セルＩＤおよび／またはビームの数の事前定義された関数によって、セルに関連付けることができる。ビーム固有の基準信号は、ビームタイプおよび／またはビームを識別することができる。ＷＴＲＵは、現在のサービングＰＢＣＨビームタイプおよび／または検出されたＰＢＣＨビームタイプよりも狭いビームと関連付けられた（例えば、それに属する）制御チャネルビームを監視することができる。
【０１８７】
共通制御チャネルビームは、探索空間を有することができる。（例えば、１つもしくは複数または各々の）サービングセルおよび／またはｍＢ内の制御リージョンは、１つまたは複数の制御チャネルビームを搬送する１つまたは複数の制御シンボルを含むことができる。（例えば、１つもしくは複数または各々の）制御チャネルビームの制御リージョンは、シンボルの数が固定的および／または可変であることができる、１つまたは複数のシンボルを含むことができる。（例えば、１つもしくは複数または各々の）制御チャネルビームの制御リージョンは、１つまたは複数のシンボルを含むことができ、シンボルおよび／またはシンボルグループ（例えば、正確なシンボルおよび／またはシンボルグループ）は、マッピング関数に依存することができる。共通探索空間は、以下のうちの、すなわち、ｍＢによって送信される共通制御チャネルビームの数、ＷＴＲＵによって選択される共通制御チャネルの数、ビーム固有の制御リージョンサイズ／持続時間、全体的な制御リージョン持続時間、セルの帯域幅、および／または集約レベルなどのうちの１つまたは複数の関数とすることができる。共通制御チャネルビームのために使用されるシンボル内において、制御チャネルに対して、例えば、中心周波数の周りのｎ個のキャリア、偶数／奇数ＲＢ、ハッシュ関数、および／または他の任意のパターンにマッピングされるＰＤＣＣＨ候補に対して、周波数領域マッピングを明示的に提供することができる。ビームフォーミングされた制御チャネルを有する共通探索空間は、例えば、制御チャネルビーム選択機能によって決定される、１つまたは複数の共通制御チャネルビーム上における、ＰＤＣＣＨ候補のセットとして定義することができる。制御チャネルビーム上において、１つまたは複数のＷＴＲＵは、１つまたは複数の集約レベルによって定義されるＰＤＣＣＨ候補のセットを求めて、対応するビーム固有の制御リージョンを監視することができる。
【０１８８】
図２２は、共通制御チャネルビームおよび／または関連する探索空間の例である。ＷＴＲＵは、監視を実行することができる。ＷＴＲＵは、アイドルモードにおいて、共通探索空間を監視することができる。ＷＴＲＵは、例えば、共通制御チャネルビーム間のマッピングが、知られ、ならびに／または制御チャネルビームＩＤおよび／もしくはシンボルマッピングに関して構成されることができるとき、事前定義されたサブフレームのセット上において監視を実行することができる。ＷＴＲＵは、制御リージョン内のシンボルロケーションにおける共通制御チャネルビームの存在を求めて、あるサブフレーム（例えば、すべてのサブフレームおよび／または事前構成されたサブフレーム）を探索することができる。ＷＴＲＵは、知られた基準信号系列（例えば、セル固有および／またはビーム固有とすることができる信号系列）を相関させることによって、サブフレームを探索することができる。共通制御チャネルビーム、および／またはＷＴＲＵ固有の制御チャネルビームに対して、異なる基準信号系列を定義することができる。（例えば、１つもしくは複数または各々の）ビームは、おそらくは、共通制御チャネルビーム内に、それ自体の基準信号系列を有することができる。共通制御チャネルビーム内において、１つまたは複数のビーム（例えば、すべてのビーム）は、セル固有の系列を使用することができる。ＷＴＲＵは、例えば、受信基準信号電力が閾値を上回ることができるとき、ビーム固有の制御リージョン内において、共通探索空間を監視することができる。基準信号系列は、セル固有とすることができる。セル内の共通制御チャネルビームのいくつかまたはすべては、同じ情報を搬送することができる。ＷＴＲＵは、いくつかまたはすべての共通制御チャネルから受け取ったエネルギーを累積して、ＳＮＲを高めることができる。
【０１８９】
ＷＴＲＵは、接続モードにおいて、監視を実行することができる。ＷＴＲＵは、制御チャネルビームを割り振ることによって、接続モードにおいて、監視を実行することができる。ＷＴＲＵは、接続モードにおいて、制御情報を受信するために、１つまたは複数の制御チャネルビームを監視することができる。制御チャネルビームは、ＷＴＲＵ固有の制御チャネルビームとすること、および／またはセル固有の共通制御チャネルビームとすることができる。ＷＴＲＵが監視することができる制御チャネルビームのセットは、サービング制御チャネルビームと呼ばれることがある。１つまたは複数のＷＴＲＵには、１つまたは複数のサービング制御チャネルビームを割り振ることができる。ＷＴＲＵは、ｍＢからのいくつかまたはすべての制御チャネルビームを、サービング制御チャネルと見なすことができる。ＷＴＲＵは、アイドルモード動作中に選択された制御チャネルビームを、例えば、接続モード動作のためのＷＴＲＵ固有の制御チャネルビームと見なすことができる。ＷＴＲＵは、専用シグナリング（例えば、Ｌ１、および／またはＭＡＣ、および／またはＲＲＣメッセージ）を使用して、サービング制御チャネルビーム構成を受信することができる。１つまたは複数のＷＴＲＵは、以下のうちの、すなわち、ＵＬおよび／もしくはＤＬグラント、ビーム切り換えコマンド、ハンドオーバコマンド、より高位のレイヤのメッセージ、および／もしくは小さいペイロード、ならびに／または他の任意の制御情報のうちの１つまたは複数を求めて、接続モードにおいて、１つまたは複数のサービング制御チャネルを監視することができる。１つまたは複数のＷＴＲＵは、事前定義されたビーム基準信号の存在によって、共通制御チャネルビームを、ＷＴＲＵ固有の制御チャネルビームから区別することができる。
【０１９０】
ＷＴＲＵは、接続モード中に共通チャネル（例えば、ページングおよび／またはＳＩＢ）を受信するために、セル固有の共通制御チャネルビームを監視することができる。ＷＴＲＵは、共通制御チャネルビームを自律的に選択することができる。ＷＴＲＵは、サービング制御チャネル内において受信された専用シグナリング（例えば、Ｌ１、および／またはＭＡＣ、および／またはＲＲＣメッセージ）に基づいて、共通制御チャネルビームを選択することができる。ＷＴＲＵは、共通チャネル（例えば、ページングおよび／またはＳＩＢ）を求めて、サービング制御チャネルビームを監視することができる。１つまたは複数のＷＴＲＵは、現在のサービング制御チャネルビームに暗黙的および／または明示的に関係付けられた共通制御チャネルビームを選択することができる。
【０１９１】
ＷＴＲＵは、ビーム固有の探索空間を有することができる。サービングセルおよび／またはｍＢ内の制御リージョンは、１つまたは複数の制御シンボルを含むことができる。制御シンボルは、１つまたは複数の制御チャネルビームを搬送することができる。（例えば、１つもしくは複数または各々の）制御チャネルビームの制御リージョンは、１つまたは複数のシンボルを含むことができる。例えば、シンボルの数は、固定的および／または可変とすることができる。正確なシンボルおよび／またはシンボルグループは、マッピング機能に依存することができる。
【０１９２】
ＷＴＲＵ固有の探索空間は、以下のうちの、すなわち、ｍＢによって送信される制御チャネルビームの数、ＷＴＲＵによって選択された、および／もしくはＷＴＲＵに割り振られた制御チャネルの数、ビーム固有の制御リージョンサイズ／持続時間、全体的な制御リージョン持続時間、セルの帯域幅、集約レベル、ＷＴＲＵ  ＩＤ、サブフレーム番号、ならびに／またはサブフレームなどのうちの１つまたは複数の関数とすることができる。ＷＴＲＵ固有の探索空間は、ＷＴＲＵによって選択された／ＷＴＲＵに割り振られたあるサービング制御チャネルビームのビーム固有の探索空間の和集合として定義することができる。ビーム固有の探索空間は、ビーム固有の制御リージョン内のＰＤＣＣＨ候補のセットとして定義することができる。ビーム固有の制御リージョンは、対応するビームを送信するために使用される、および／または対応するビームにマッピングされる、１つまたは複数の制御シンボルおよび／またはシンボルグループとして定義することができる。制御チャネルビーム当たりのシンボルの数は、静的、半静的、および／または動的とすることができる。（例えば、１つもしくは複数または各々の）サービング制御チャネルビーム上において、ＷＴＲＵは、１つまたは複数の集約レベルによって定義されるＰＤＣＣＨ候補のセットを求めて、対応するビーム固有の制御リージョンを監視することができる。制御チャネルビームのために使用されるシンボル内において、（例えば、中心周波数の周りのｎ個のキャリア、および／または偶数／奇数ＲＢ、および／またはハッシュ関数、および／または他の任意のパターンにマッピングされる）ＰＤＣＣＨ候補に対して、周波数領域マッピングおよび／または制限を明示的および／または暗黙的に定義することができる。ＷＴＲＵは、異なる制御チャネルビームに対して集約レベルの異なるセットで構成することができる。ビーム内のＷＴＲＵ固有の探索空間は、ビームＩＤ、ＷＴＲＵ  ＩＤ、シンボル番号、サブフレーム番号などの関数とすることができる。
【０１９３】
図２３は、ＷＴＲＵビーム固有の探索空間の例である。ＷＴＲＵは、監視を実行することができる。ＷＴＲＵは、接続モードにおいて、それらのＷＴＲＵ固有の探索空間を監視することができる。ＷＴＲＵは、接続モードにおいて、共通探索空間を監視することができる。ＷＴＲＵは、例えば、１つまたは複数のサービング制御チャネルビームの存在に基づいて、条件付きの監視を実行することができる。１つまたは複数のＷＴＲＵは、以下のうちの、すなわち、事前構成されたビーム固有の基準信号系列、セル固有の基準信号系列、および／または制御リージョン内のビームタイプ固有の基準信号系列などのうちの１つまたは複数を相関させることによって、ＷＴＲＵ固有の制御チャネルビームの存在を求めて、あるサブフレームおよび／または１つもしくは複数の事前構成されたサブフレームを探索することができる。１つまたは複数のＷＴＲＵは、制御チャネルビームと制御シンボルロケーションとの間のマッピングで構成することができる。ＷＴＲＵは、（例えば、１つもしくは複数または各々の）シンボルロケーション内において、構成された制御チャネルビームを（例えば、それだけを）探索することができる。ＷＴＲＵは、例えば、受信基準信号電力が閾値を上回ることができるとき、検出されたビーム固有の探索空間内において、ＰＤＣＣＨ候補を監視することができる。
【０１９４】
ＷＴＲＵは、いくつかもしくはすべてのサブフレーム内において、および／または１つもしくは複数のサービング制御チャネルビームを送信することができる構成されたサブフレーム内において、ビーム固有の探索空間を監視することができる。ＷＴＲＵは、サブフレームのすべてもしくはいくつか内において、または１つもしくは複数の共通制御チャネルビームを送信することができる構成されたサブフレーム内において、共通探索空間を監視することができる。例えば、事前構成されたサブフレーム内の制御リージョンは、１つまたは複数（例えば、２つ）の部分を含むことができ、例えば、一方は、共通制御チャネルビームのためのものであり、および／または他方は、ＷＴＲＵ固有の制御チャネルビームのためのものである。１つまたは複数のＷＴＲＵは、共通制御リージョン内において、共通探索空間を、ならびに／または専用制御リージョン内において、ＷＴＲＵ固有および／もしくはビーム固有の探索空間を監視することができる。
【０１９５】
ＷＴＲＵは、本明細書において説明されたような１つまたは複数の技法を使用して、監視を実行することができる。ＷＴＲＵは、以下のうちの１つまたは複数を行うことによって、ＷＴＲＵ固有の制御チャネルビーム、および／または共通制御チャネルビームを決定することができる。ＷＴＲＵ固有の制御チャネルビームは、ｍＢによって構成することができる。ＷＴＲＵ固有の制御チャネルビームは、セル選択中に選択することができる。ＷＴＲＵ固有の制御チャネルビームは、ＷＴＲＵによって自律的に選択すること、および／またはランダムアクセス手順中にｍＢに示すことができる。共通制御チャネルビームは、ＷＴＲＵによって自律的に選択することができる（例えば、ＰＢＣＨ／同期ビームとの関係性）。共通制御チャネルビームは、現在のサービング制御チャネルビームに暗黙的に関係付けられたＷＴＲＵによって、選択することができる（例えば、ＷＴＲＵ固有のビームと共通制御チャネルビームとの間の多対一マッピング）。ｍＢは、接続モードにおいて、ＷＴＲＵのための共通制御チャネルビームをオーバライドすることができる。
【０１９６】
ＷＴＲＵは、以下のうちの１つまたは複数を通して、ビームマッピング機能に基づいて、監視するサブフレームを決定することができる。ＷＴＲＵは、ビームからサブフレームへのマッピングで、（ＭＩＢ／ＳＩＢ−ｘ、および／または専用シグナリングで）事前構成することができる。ＷＴＲＵは、例えば、１つまたは複数のサービング制御チャネルビーム、および／または共通制御チャネルビームを送信することができる場合、それらのサブフレーム（例えば、それらのサブフレームだけ）を監視することができる。ＤＲＸモードからウェイクアップしたときのＷＴＲＵは、例えば、サービング制御ビームへの固定的なマッピングを事前構成することができる場合、それらのサブフレーム（例えば、それらのサブフレームだけ）を監視することができる。ＷＴＲＵは、柔軟なマッピング、例えば、ビームとサブフレームとの間のエニーツーエニー（ａｎｙ  ｔｏ  ａｎｙ）マッピングを仮定および／または構成することができ、（例えば、１つもしくは複数または各々の）サブフレームは、複数の制御チャネルビームを含む。１つまたは複数のＷＴＲＵは、サービング制御チャネルビームおよび／または共通制御チャネルビームを求めて、ある（例えば、１つもしくは複数またはすべての）ＤＬサブフレームを監視することができる。ＤＲＸモードからウェイクアップし、および／または有効な割り当てを受信すると、ＷＴＲＵは、サービング制御チャネルビームを求めて、ある（例えば、１つもしくは複数またはすべての）サブフレームを監視し続けることができる。ＷＴＲＵは、共通制御チャネルビームを求めて、特定のサブフレームを、および／またはＷＴＲＵ固有の制御チャネルビームを求めて、ある（例えば、１つもしくは複数またはすべての）サブフレームを監視することができる。
【０１９７】
ＷＴＲＵは、サブフレーム内における全体的な制御リージョンを決定することができる。ＷＴＲＵは、ＭＩＢ／ＳＩＢ−ｘから、サブフレーム内における全体的な制御リージョンサイズ／持続時間を決定することができる。ＷＴＲＵは、固定的なパラメータから、サブフレーム内における全体的な制御リージョンサイズ／持続時間を決定することができる。ＷＴＲＵは、セルＰＣＦＩＣＨを介して動的に伝達される、サブフレーム内における全体的な制御リージョンサイズ／持続時間を決定することができる。
【０１９８】
ＷＴＲＵは、以下のうちの１つまたは複数によって、ビーム固有の探索空間を決定することができる。全体的な制御リージョン内において、ＷＴＲＵは、１つまたは複数のビーム固有の制御リージョンを仮定することができる。（例えば、１つもしくは複数または各々の）監視される制御チャネルビームについて、ＷＴＲＵは、セルＰＣＦＩＣＨにおける明示的なシグナリングによって、それらの制御ビームの存在、および／または制御チャネルビームについての開始シンボルを決定する（例えば、最初に決定する）ことができる。監視される制御チャネルビームについて、ＷＴＲＵは、閾値を上回るビーム固有のＢＲＳを検出することによって、それらの制御ビームの存在、および／または制御チャネルビームについての開始シンボルを決定することができる。監視される制御チャネルビームについて、ＷＴＲＵは、例えば、セル固有のＢＲＳが使用されるとき、ブラインドデコーディングを実行することができる。ＷＴＲＵは、例えば、ある（例えば、１つもしくは複数またはすべての）サービング制御チャネルビームについてのＢＲＳが閾値を下回るときは、そのサブフレーム内においてＤＣＩは受信されないと仮定することができる。ＷＴＲＵは、ビームを搬送する（例えば、１つもしくは複数または各々の）制御シンボルに追加されるビーム固有のプリアンブルに基づいて、ビームを識別することができる。プリアンブルは、以下のうちの、すなわち、ビームＩＤ、セルＩＤ、および／またはＷＴＲＵ  ＩＤなどのうちの１つまたは複数の関数とすることができる。
【０１９９】
１つまたは複数のＷＴＲＵは、ＢＲＳに基づいた測定を利用して、制御チャネルビームの特徴／特性、例えば、特定の制御チャネルタイプおよび／またはビームの存在、制御チャネルビームの長さなどを決定することができる。ある（例えば、１つもしくは複数またはすべての）検出された制御チャネルビームについて、ＷＴＲＵは、ＭＩＢ／ＳＩＢ−ｘから、ビーム固有の制御リージョンサイズ／持続時間、および／またはビーム固有の制御リージョンにおける最後のシンボルを決定することができる。ある（例えば、１つもしくは複数またはすべての）検出された制御チャネルビームについて、ＷＴＲＵは、固定的なパラメータから、ビーム固有の制御リージョンサイズ／持続時間、および／またはビーム固有の制御リージョンにおける最後のシンボルを決定することができる。ある（例えば、１つもしくは複数またはすべての）検出された制御チャネルビームについて、ＷＴＲＵは、ビーム固有の制御リージョンサイズ／持続時間を決定することができ、および／またはビーム固有の制御リージョンにおける最後のシンボルは、ビームＰＣＦＩＣＨを介して動的に伝達することができる。１つまたは複数のＷＴＲＵには、制御チャネルビームとビーム固有の制御リージョンのシンボルロケーションとの間の固定的なマッピングを（例えば、明示的に）提供することができる。１つまたは複数のＷＴＲＵには、制御チャネルビームとビーム固有の制御リージョンのサイズ／持続時間との間の固定的なマッピングを（例えば、明示的に）提供することができる。全体的な制御リージョンは、共通制御リージョン、および／または専用制御リージョンに分割することができる。
【０２００】
（例えば、１つもしくは複数または各々の）検出されたビーム固有の制御リージョン内において、１つまたは複数のＷＴＲＵは、以下のうちの１つまたは複数を行うことができる。ＷＴＲＵは、周波数および／または時間領域制限を適用することができる（例えば、中心のｎ個のキャリア、および／もしくは特定のＲＢ、および／もしくは他の任意のパターン、ならびに／または存在する場合、非ＰＤＣＣＨチャネル（例えば、ＰＨＩＣＨ、ビームＰＣＩＦＩＣＨ、同期／ＰＢＣＨ）を除去する）。ビーム固有の探索空間内において、いくつか（例えば、追加の）ＷＴＲＵ固有の探索空間を構成することができる。例えば、開始ＣＣＥは、異なるＷＴＲＵごとに（例えば、ＷＴＲＵ  ＩＤ、  ビームタイプ、ビームＩＤ、サブフレーム番号、シンボル番号などに基づいて）、異なることができる。ＷＴＲＵは、（例えば、１つもしくは複数または各々の）ビーム固有の制御リージョン内のＲＥＧを、ＣＣＥの１つのセットにグループ化することができる。ＣＣＥの（例えば、１つもしくは複数または各々の）セット内において、ＷＴＲＵは、（例えば、１つもしくは複数または各々の）ビームタイプおよび／またはビームのために構成された集約レベルに基づいて、１つまたは複数のＰＤＣＣＨ候補を監視することができる。ＤＣＩ  ＣＲＣは、ＷＴＲＵ  ＩＤ（例えば、ＣＲＮＴＩ）、ならびに／または共通ＩＤ（例えば、ＳＩ＿ＲＮＴＩおよび／もしくはページングＲＮＴＩ）に加えて、ビームＩＤを用いて、スクランブルすることができる。ＷＴＲＵ固有の制御チャネルビームのとき、ＷＴＲＵ固有の探索空間は、固定的な開始ＣＣＥ、使用される集約レベルの明示的な表示などを事前構成することによって、簡略化（例えば、さらに簡略化）することができる。
【０２０１】
ＤＬデータは、スケジューリングを実行することができる。ＷＴＲＵは、サービング制御チャネルビームのいくつか（例えば、少なくとも１つ）においてＰＤＣＣＨを検出すると、ＷＴＲＵに宛てられた、データ用のＤＬグラント、および／または他のいくつか（例えば、任意）のより高位のレイヤの情報を示すことができる。ＷＴＲＵは、ＤＣＩによって示されたリソース内の対応するデータチャネルビームのデコードを試みることができる。ＷＴＲＵは、例えば、データビーム固有のアイデンティティがＤＣＩメッセージ内に含まれないとき、データ送信のためにサービング制御チャネルビームを使用することができると仮定することができる。ＷＴＲＵは、例えば、データビーム固有のアイデンティティがＤＣＩメッセージ内に含まれない場合、最後に示されたデータチャネルビームを仮定することができる。ＷＴＲＵは、例えば、データビーム固有のアイデンティティがＤＣＩメッセージ内に含まれない場合、より高位のレイヤの構成によって示されるデータチャネルを仮定することができる。ＰＤＳＣＨのスクランブリング初期化は、以下のうちの、すなわち、割り当てを搬送する制御チャネルビームＩＤ、ＤＬデータチャネルビームのビームＩＤ、ＷＴＲＵ固有のＲＮＴＩ（例えば、Ｃ−ＲＮＴＩおよび／もしくはＳＰＳ−ＲＮＴＩ）、固定的なＲＮＴＩ（例えば、ＳＩ−ＲＮＴＩおよび／もしくはページングＲＮＴＩ）、ならびに／またはビームタイプなどのうちの１つまたは複数の関数とすることができる。
【０２０２】
サブサブフレームスケジューリングは、サブフレーム内における複数の割り当てを可能にすることによって、リソース割り当てを実行することができる。より高い周波数における追加の経路損失を補償するために、ビームフォーミングを使用する（例えば、必要とする）ことができる。より高い周波数における大きい帯域幅、および／またはアナログビームフォーミングを与えると、サブフレームおよび／またはスケジューリング間隔内において、異なるビームを用いる１つまたは複数のＷＴＲＵを多重化することができる。１つまたは複数の制御チャネルは、ワイドビームを用いて送信することができる。（例えば、１つもしくは複数または各々の）制御チャネルビームは、同じサブフレーム内の、１つまたは複数のＷＴＲＵのための１つまたは複数のナローデータビームをスケジュールすることができる。
【０２０３】
サブフレーム内における最小のスケジュール可能な時間リソースは、シンボルおよび／またはシンボルのグループとすることができる。スケジューリング粒度は、サブフレームおよび／またはスケジューリング間隔よりも小さくすることができる。例えば、開始オフセット（例えば、シンボルオフセット）、繰り返し情報（例えば、サブフレーム当たりのＷＴＲＵ当たり２つ以上のデータチャネル）、および／または空間情報（例えば、送信ビームＩＤ）などを示すための、シンボルレベル／シンボルグループにおける割り当て情報を搬送するために、新しい（例えば、新規および／またはこれまで未使用の）ＤＣＩフォーマットを定義することができる。
【０２０４】
サブフレーム内において、データリージョンは、時間において多重化された複数のデータチャネルビームを含むことができる。例えば、データチャネルは、いくつかのシンボルを占有することができ、ならびに／または同じサブフレーム内の残りのシンボルは、同じおよび／もしくは異なるＷＴＲＵを宛先とする他のデータチャネルビームによって使用することができる。ＷＴＲＵには、同じサブフレーム内の複数のデータチャネルリソースを割り当てることができる。データチャネルリソースの（例えば、１つもしくは複数または各々の）セットは、異なるデータビームと関連付けることができる。
【０２０５】
ＷＴＲＵのためにｍＢが使用することができるダウンリンクデータビームを識別することができる。ＷＴＲＵは、ダウンリンクデータチャネル受信のために、受信ビームパターンを使用することができる。ＷＴＲＵは、ダウンリンク制御チャネルビーム受信のために、ダウンリンクデータチャネルビーム受信のために使用される受信ビームパターンと比較して、異なる受信ビームパターンを使用することができる。ｍＢは、ＷＴＲＵが受信ビームをしかるべく切り換えることを可能にするために、データチャネルビームに対応する送信ビームＩＤを含むことができる。１つまたは複数のＷＴＲＵは、グラントを搬送するＰＤＣＣＨおよび／または実際のデータチャネルリソースの間において、ギャップおよび／またはデコーディング期間を使用する（例えば、必要とする）ことができる。データビームは、ＷＴＲＵ固有の制御チャネルビームと同じとすることができるので、例えば、ＷＴＲＵ固有の制御チャネルビームが使用されるとき、送信ビームＩＤは、ＷＴＲＵによって暗黙的に決定することができる。
【０２０６】
データチャネルビーム情報は、リソース割り当て情報と結合することができる。例えば、ＤＣＩは、時間（例えば、シンボル、シンボルグループ）および／または周波数（例えば、ＲＢ）に関するリソース割り当てを搬送するＰＤＣＣＨにおいて、送信ビーム識別情報を含むことができる。ｍＢは、同じサブフレーム内におけるＰＤＣＣＨの最後のシンボルとＰＤＳＣＨの最初のシンボルとの間に、ギャップおよび／またはガード期間を明示的に提供することができる。ガード期間は、ＷＴＲＵの観点から、定義することができる。ｍＢは、ガード期間内のシンボルを使用して、他のＷＴＲＵをスケジュールすることができる。ＷＴＲＵは、ＰＤＣＣＨとＰＤＳＣＨとの間にオフセットを仮定する（例えば、常に仮定する）ことができる。例えば、サブフレームｎ内のＰＤＣＣＨは、サブフレームｎ＋ｋ内にＰＤＳＣＨを割り当てることができる。ｋの値は、動的とすることができ、ならびに／またはより高位のレイヤのシグナリング（ＭＡＣおよび／もしくはＲＲＣ）によって構成することができ、ならびに／またはＤＣＩメッセージ内に含まれることができ、ならびに／または事前定義された定数であることができる。ＷＴＲＵは、現在のサブフレーム内にデータをバッファするために、ｋ＝０を仮定することができる。ＤＣＩ内のｋの値に応じて、ＷＴＲＵは、現在のサブフレーム内において（ｋがｋ＝０および／もしくはＤＣＩ内に含まれない場合）、ならびに／またはサブフレームｎ＋ｋにおいて（ｋがＤＣＩ内に含まれる場合）、ＰＤＳＣＨロケーションを決定することができる。
【０２０７】
少なくとも１つの探索空間は、ダウンリンク制御情報（ＤＣＩ）を含むことができる。おそらくは、例えば、少なくとも部分的にＤＣＩに基づいて、少なくとも１つのデータチャネルを監視することができる。おそらくは、例えば、少なくとも部分的にＤＣＩに基づいて、少なくとも１つのデータチャネルの受信のための少なくとも１つのビームを識別することができる。
【０２０８】
データチャネルビーム情報、および／または空間情報は、リソース割り当て（例えば、時間／周波数、コード）情報とは無関係であることができる。空間情報（例えば、データチャネル送信ビーム識別情報）は、対応するＤＬビームのためのビーム固有の基準信号から導出することができる。空間情報は、対応するアンテナポートのためのビーム固有の基準信号から導出することができる。空間情報は、対応するステアリングベクトルおよび／またはコードブックインデックスのためのビーム固有の基準信号から導出することができる。空間情報は、時間および／または周波数リソース割り当て情報から切り離された、ＲＲＣ構成／ＭＡＣ  ＣＥ／ＤＣＩを使用して、伝達することができる。空間情報は、示されたデータチャネルビーム上における実際のデータ送信の前に、ｍＢとＷＴＲＵとの間の不一致を防止するために、ＷＴＲＵによって送達確認することができる。空間情報、ならびに／またはリソース割り当て情報（例えば、時間および／もしくは周波数）は、割り当てられたリソースに対して、事前定義されたおよび／または構成されたオフセットを有することができる。空間情報は、有効期間および／または有効期間の満了時と関連付けることができる。ＷＴＲＵは、ビーム測定、および／またはビーム追跡、および／またはビーム報告（例えば、ＣＳＩ）のうちの１つまたは複数を実行すること（例えば、実行することを求められる）ことができる。
【０２０９】
共通チャネルは、別個の空間情報を使用して、スケジュールすることができる。ＷＴＲＵ固有のチャネルは、結合された空間情報を使用して、スケジュールすることができる。共通チャネルは、結合された空間情報を使用して、スケジュールすることができる。ＷＴＲＵ固有のチャネルは、別個の空間情報を使用して、スケジュールすることができる。同じセル内の異なるＷＴＲＵは、異なる構成（例えば、結合および／または別個）を使用して、スケジューリング情報を受信することができる。
【０２１０】
ＤＣＩは、フォーマットおよび／または内容を有することができる。ＤＬデータチャネルグラントのためのダウンリンク制御情報は、以下のうちの、すなわち、空間情報、時間リソース情報、および／または周波数リソース情報などのうちの１つまたは複数を含むことができる。空間情報は、以下のうちの、すなわち、暗黙的なデータチャネルビームアイデンティティ（例えば、関連するデータチャネルＲＳ系列番号、関連する制御チャネルＲＳ系列番号、および／もしくはＷＴＲＵ測定報告におけるインデックス）、および／または特定のデータチャネルビームにマッピングすることができる明示的なデータチャネルＩＤ、ＤＬ送信と関連付けられたＵＬ制御チャネルビーム構成、および／またはサービング制御チャネルビームを求めて監視する制御シンボルのセットなどのうちの１つまたは複数を含むことができる。時間および／または周波数リソース情報は、以下のうちの、すなわち、空間情報内において示されるダウンリンクデータチャネルビームに対応するリソース割り当て情報、サブフレーム内におけるＰＤＳＣＨについての開始シンボルロケーション、（シンボルの数を単位とする）持続時間、周波数／リソースブロック情報、ならびに／または時間および／もしくは周波数における事前構成されたシンボルグループ／リソースグループに対するインデックスなどのうちの１つまたは複数を含むことができる。
【０２１１】
空間情報は、Ｌ２３シグナリング（例えば、ＲＲＣおよび／もしくはＭＡＣ  ＣＥ）、ならびに／または（例えば、ＤＣＩにおける）Ｌ１シグナリングを使用して、伝達することができる。ＷＴＲＵは、空間情報を搬送するＤＬ  ＰＤＳＣＨに対応するＡＣＫを送信した後、空間情報を有効であると見なすことができる。ＷＴＲＵは、それらが異なる空間情報を有するＲＲＣ／ＭＡＣ  ＣＥ／ＤＣＩを受信するまで、空間情報が有効であると仮定することができる。時間および／または周波数リソース情報は、（例えば、ＤＣＩにおける）Ｌ１シグナリングを使用して、伝達することができる。時間および／または周波数リソース情報内のスケジューリング情報は、リソース情報が受信されたサブフレームについて（例えば、それだけについて）有効とすることができる。異なるＤＣＩフォーマットを定義することができる。例えば、２つの異なるＤＣＩフォーマットを定義することができ、一方は、時間および／もしくは周波数リソース情報を有し、ならびに／または他方は、時間および／もしくは周波数リソース情報、および／もしくは空間情報を有する。ＤＣＩフォーマットは、時間および／もしくは周波数リソース情報を含むことができ、ならびに／または他のＤＣＩフォーマットは、空間情報を含むことができる。
【０２１２】
ＤＬのために、ビームを合成することができる。ダウンリンクデータ送信については、複数の空間情報は、Ｌ２３シグナリング（例えば、ＲＲＣおよび／もしくはＭＡＣ  ＣＥ）、ならびに／または（例えば、ＤＣＩにおける）Ｌ１シグナリングを使用して、ＷＴＲＵに伝達することができる。ＤＣＩおよび／またはＬ２３メッセージは、空間情報当たり、以下のうちの、すなわち、シンボルロケーション、持続時間、リソースブロック構成、ＷＴＲＵ固有の基準信号ＩＤおよび／もしくはビームＩＤ、アンテナポート番号、ならびに／またはＨＡＲＱ情報（例えば、冗長バージョン）などのうちの１つまたは複数を搬送することができる。空間情報（例えば、１つもしくは複数または各々の空間情報）は、送信方向、および／またはＷＴＲＵへのデータチャネルビームを識別することができる。ＷＴＲＵは、複数の空間構成（例えば、複数のデータチャネルビーム）を使用して、サブフレームおよび／または時間領域において多重化されたサブフレームの系列内において、単一のトランスポートブロックを受信することができる。ＷＴＲＵは、トランスポートブロックの空間的繰り返しを軟合成（ｓｏｆｔ−ｃｏｍｂｉｎｅ）して、有効ＳＮＲを改善することができる。ＷＴＲＵは、ビーム合成のために伝達されたダウンリンク空間情報に対応する、同じおよび／または異なる受信アンテナ構成および／または受信ビームパターンを使用することができる。
【０２１３】
ＵＬデータをスケジュールすることができる。ＷＴＲＵは、ＷＴＲＵに宛てられたＵＬグラントを示すサブフレーム／サブフレームｎ内のサービング制御チャネルビームのいくつか（例えば、少なくとも１つ）におけるＰＤＣＣＨの検出時に、ＰＤＣＣＨ内で示されたＵＬデータチャネルビームを使用して、サブフレーム／サブフレームｎ＋ｋ内において、ＰＵＳＣＨを送信することができる。ＷＴＲＵは、例えば、ＤＣＩメッセージ内にデータチャネルビームアイデンティティ（ビーム識別）が含まれないとき、ＵＬデータ送信のために、現在のＵＬ制御チャネルビームを使用することができると仮定することができる。１つまたは複数のＷＴＲＵは、例えば、ＤＣＩメッセージ内にデータチャネルビームアイデンティティ（ビーム識別）が含まれないとき、ＵＬデータ送信のために、最後に示されたＵＬデータチャネルビーム、および／またはより高位のレイヤの構成によって示されたデータチャネルを仮定することができる。ＰＵＳＣＨのスクランブリング初期化は、割り当てを搬送する制御チャネルビームＩＤ、ならびに／またはＵＬデータチャネルビームのビームＩＤ、ならびに／またはＷＴＲＵ固有のＲＮＴＩ（例えば、Ｃ−ＲＮＴＩおよび／もしくはＳＰＳ−ＲＮＴＩ）、ならびに／またはビームタイプの関数とすることができる。
【０２１４】
ＵＬサブフレーム内において、データリージョンは、時間において多重化された１つまたは複数のＷＴＲＵからの複数のＵＬデータチャネルビームを含むことができる。例えば、データチャネルは、１つまたは複数のシンボルを占有することができ、ならびに／または同じサブフレーム内の残りのシンボルは、同じおよび／もしくは異なるＷＴＲＵに宛てられた他のＵＬデータチャネルビームによって使用することができる。ＷＴＲＵには、同じサブフレーム内の複数のＵＬデータチャネルリソースを割り当てることができる。ＵＬデータチャネルリソースの（例えば、１つもしくは複数または各々の）セットは、異なるＵＬデータビームと関連付けることができる。
【０２１５】
同じサブフレームおよび／またはスケジューリング間隔内における、複数のＷＴＲＵからのアップリンク送信は、時間領域および／または周波数領域において多重化することができる。スケジューリング粒度は、サブフレームおよび／またはスケジューリング間隔よりも小さくすることができる。新しいＤＣＩフォーマットは、シンボルレベル／シンボルグループにおけるＵＬ割り当て情報、開始オフセット、繰り返し情報（例えば、サブフレーム当たりのＷＴＲＵ当たり２つ以上のＵＬデータチャネル）、空間情報（例えば、ＵＬ送信ビームＩＤ）を搬送することができる。
【０２１６】
１つまたは複数のＷＴＲＵは、アップリンクデータビームを識別すること、および／または伝達することができる。１つまたは複数のＷＴＲＵは、ＵＬデータチャネル送信のために、特定のビームパターンを使用することができる。１つまたは複数のＷＴＲＵは、アップリンク制御チャネルのために、アップリンクデータチャネルビームのために使用される送信ビームパターンと比較して、異なる送信ビームパターンを使用することができる。ｍＢは、ＷＴＲＵが送信ビームをしかるべく切り換えることを可能にするために、ＵＬデータチャネルビームに対応する送信ビームＩＤを含むことができる。１つまたは複数のＷＴＲＵは、ＵＬグラントを搬送するＰＤＣＣＨおよび／または実際のＵＬデータチャネルリソースの間において、ギャップおよび／またはデコーディング期間を使用する（例えば、必要とする）ことができる。
【０２１７】
ＵＬデータチャネルビーム情報は、リソース割り当て情報と結合することができる。例えば、ＤＣＩは、時間（例えば、シンボル、シンボルグループ）および／または周波数（例えば、ＲＢ）に関するリソース割り当てを搬送するＰＤＣＣＨ内に、送信ビーム識別情報を含むことができる。ｍＢは、ＰＤＣＣＨの最後のシンボルとＰＵＳＣＨの最初のシンボルとの間に、ギャップおよび／またはガード期間を（例えば、明示的に）提供することができる。ガード期間は、ＷＴＲＵの観点から、定義することができる。ｍＢは、ガード期間内のシンボルを使用して、他のＷＴＲＵをスケジュールすることができる。ＷＴＲＵは、ＰＤＣＣＨとＰＵＳＣＨとの間にオフセットを仮定する（例えば、常に仮定する）ことができる。例えば、サブフレームｎ内のＰＤＣＣＨは、サブフレームｎ＋ｋ内にＰＵＳＣＨを割り当てることができる。ｋの値は、動的とすることができ、ならびに／またはより高位のレイヤのシグナリング（ＭＡＣおよび／もしくはＲＲＣ）によって構成することができ、ならびに／またはＤＣＩメッセージ内に含まれることができる。
【０２１８】
ＵＬデータチャネルビーム情報、および／または空間情報は、リソース割り当て（例えば、時間、周波数、符号）情報とは無関係であることができる。空間情報、例えば、ＵＬデータチャネル送信ビーム識別情報は、時間および／または周波数リソース割り当て情報から切り離された、ＳＲＳ（例えば、ＳＲＳ系列ＩＤ、および／またはＳＲＳ構成ＩＤなど）から導出することができる。空間情報は、時間および／または周波数リソース割り当て情報から切り離された、ランダムアクセス手順（プリアンブルＩＤおよび／またはサブフレーム）から導出することができる。空間情報は、時間および／または周波数リソース割り当て情報から切り離された、ＲＲＣ構成／ＭＡＣ  ＣＥ／ＤＣＩを使用して、伝達することができる。空間情報は、例えば、示されたデータチャネルビーム上における実際のデータ送信の前に、ｍＢとＷＴＲＵとの間の不一致を防止するために、ＷＴＲＵによって送達確認することができる。空間情報、ならびにリソース割り当て情報（例えば、時間および／または周波数）は、割り当てられたリソースに対して、事前定義されたおよび／または構成されたオフセットを有することができる。空間情報は、有効期間と関連付けることができる。例えば、有効期間の満了時に、ＷＴＲＵは、サウンディング手順および／またはＲＡＣＨなどのうちの１つまたは複数を実行する（例えば、実行することを求められる）ことができる。
【０２１９】
ＵＬ制御チャネルビームは、別個の空間情報を使用して、スケジュールすることができる。ＵＬデータチャネルビームは、結合された空間情報を使用して、スケジュールすることができる。同じセル内の１つまたは複数のＷＴＲＵは、異なる構成（例えば、結合および／または別個）を使用して、スケジューリング情報を受信することができる。
【０２２０】
ＤＣＩは、フォーマットおよび／または内容を有することができる。ＵＬデータチャネルグラントのためのダウンリンク制御情報は、以下のうちの、すなわち、空間情報、時間リソース情報、および／または周波数リソース情報などのうちの１つまたは複数を含むことができる。空間情報は、以下のうちの、すなわち、暗黙的なデータチャネルビームアイデンティティ、および／またはＤＬ  ＰＨＩＣＨビーム構成などのうちの１つまたは複数を含むことができる。暗黙的なデータチャネルビームアイデンティティ（ビーム識別）は、以下のうちの、すなわち、ＳＲＳ系列ＩＤおよび／もしくはＳＲＳ構成ＩＤなど、プリアンブルＩＤ、サブフレーム、および／または特定のデータチャネルビームにマッピングすることができる明示的なデータチャネルＩＤ、および／またはＷＴＲＵとネゴシエートされた明示的なＩＤなどのうちの１つまたは複数を含むことができる。時間および／または周波数リソース情報は、以下のうちの、すなわち、直近の空間情報内において示されるダウンリンクデータチャネルビームに対応するリソース割り当て情報を示すことができる情報、サブフレーム内におけるＰＵＳＣＨについての開始シンボルロケーション、（シンボルの数を単位とする）持続時間、周波数／リソースブロック情報、ならびに／または時間および／もしくは周波数における事前構成されたシンボルグループ／リソースグループに対するインデックスなどのうちの１つまたは複数を含むことができる。
【０２２１】
空間情報は、レイヤ２および／もしくは３（Ｌ２３）シグナリング（例えば、ＲＲＣおよび／もしくはＭＡＣ  ＣＥ）、ならびに／または（例えば、ＤＣＩにおける）Ｌ１シグナリングを使用して、伝達することができる。ＷＴＲＵは、空間情報を搬送するＤＬ  ＰＤＳＣＨに対応するＡＣＫを送信した後、空間情報内において受信されたスケジューリング情報を有効であると見なすことができる。ＷＴＲＵは、おそらくは、例えば、それが異なる空間情報を有するＲＲＣ／ＭＡＣ  ＣＥ／ＤＣＩを受信するまで、空間情報が有効であると仮定することができる。時間および／または周波数リソース情報は、（例えば、ＤＣＩにおける）Ｌ１シグナリングを使用して、伝達することができる。時間および／または周波数リソース情報内のスケジューリング情報は、リソース情報が受信されたサブフレームについて（例えば、サブフレームだけについて）有効とすることができる。
【０２２２】
異なるＤＣＩフォーマットを定義することができる。１つまたは複数（例えば、２つ）の異なるＤＣＩフォーマットを定義することができ、おそらくは、一方は、時間および／もしくは周波数リソース情報を有し、ならびに／またはもう一方は、時間および／もしくは周波数リソース情報、および／もしくは空間情報を有する。ＤＣＩフォーマットは、時間および／もしくは周波数リソース情報を含むことができ、ならびに／または他のＤＣＩフォーマットは、空間情報を含むことができる。
【０２２３】
ＵＬのために、１つまたは複数のビームを合成することができる。アップリンクデータ送信については、複数の空間情報は、Ｌ２３シグナリング（例えば、ＲＲＣおよび／もしくはＭＡＣ  ＣＥ）、ならびに／または（例えば、ＤＣＩにおける）Ｌ１シグナリングを使用して、ＷＴＲＵに伝達することができる。ＤＣＩおよび／またはＬ２３メッセージは、空間情報当たり、以下のうちの、すなわち、シンボルロケーション、持続時間、リソースブロック構成、ＷＴＲＵ固有の基準信号ＩＤおよび／もしくはビームＩＤおよび／もしくはＳＲＳ構成ＩＤ、アンテナポート番号、ならびに／またはＨＡＲＱ情報（例えば、冗長バージョン）などのうちの１つまたは複数を搬送することができる。
【０２２４】
（例えば、１つもしくは複数または各々の）空間情報は、送信方向、および／またはＷＴＲＵからのデータチャネルビームを識別（例えば、一意的に識別）することができる。ＷＴＲＵは、おそらくは、例えば、複数の空間構成（例えば、複数のデータチャネルビーム）を使用して、サブフレームおよび／または時間領域において多重化されたサブフレームの系列内において、単一のトランスポートブロックを送信することができる。ｍＢは、トランスポートブロックの空間的繰り返しを軟合成して、例えば、有効ＳＮＲを改善することができる。ｍＢは、ビーム合成のために伝達されたアップリンク空間情報に対応する、同じ受信アンテナ構成および／または受信ビームパターンを使用することができる。ｍＢは、ビーム合成のために伝達されたアップリンク空間情報に対応する、異なる受信アンテナ構成および／または受信ビームパターンを使用することができる。
【０２２５】
ＵＬ制御チャネル情報は、ＵＬデータスケジューリングの一部とすることができる。ＤＣＩは、ＵＬ制御チャネル情報、および／またはデータチャネルのためのＤＬグラントを搬送することができる。ＵＬ制御チャネル情報は、フィードバック（例えば、ＡＣＫ／ＮＡＣＫおよび／またはＣＳＩなど）のために使用されるリソースを含むことができる。ｍＢは、対応するＤＬリソース割り当てを搬送するＤＣＩを使用して、フィードバックのためのＷＴＲＵ  ＵＬ制御ビームを動的に伝達することができる。１つまたは複数のＷＴＲＵは、ＤＣＩ内に割り当てられたＵＬ制御チャネルリソースを、同じＤＣＩ内に存在するＤＬデータチャネル割り当てに関連付けることができる。ＵＬ制御チャネル情報は、時間リソース（例えば、現在のサブフレームからのサブフレームオフセットもしくはシンボルオフセット）、および／または周波数リソース（例えば、リソースブロック）を含むことができる。ＵＬ制御チャネル情報は、ＵＬ制御チャネルのための空間情報を含むことができる。例えば、ＷＴＲＵのためのＵＬ制御ビームは、対応するＵＬ制御チャネルビームの周期的／非周期的送信のためにＷＴＲＵによって使用される、ＳＲＳ構成ＩＤおよび／もしくはＳＲＳ系列、ならびに／またはＲＡＣＨ識別子（ＲＡ−ＲＮＴＩおよび／もしくはプリアンブル系列番号）によって識別することができる。
【０２２６】
ｍＢは、ＤＬデータ割り当てを搬送するＤＬ制御ビームとフィードバックを搬送するＷＴＲＵ  ＵＬ制御ビームとの間のマッピングを事前構成することができる。構成は、ＷＴＲＵ固有とすることができる。ｍＢは、ＤＬデータ割り当てを搬送するＤＬ送信制御ビームとフィードバックを受信するためのｍＢ  ＵＬ受信制御ビームリソースとの間のマッピングを事前構成することができる。構成は、ｍＢ  ＵＬ受信ビーム内におけるＷＴＲＵ固有のリソース（例えば、周波数／時間／符号）を提供することができる。ｍＢは、より高位のレイヤのシグナリングを使用して、アップリンク制御ビームを半静的にスケジュールすることができる。ｍＢは、異なるフィードバックタイプのために（例えば、ＡＣＫ／ＮＡＣＫ対ＣＳＩ）、異なるアップリンク制御ビームをスケジュールすることができる。本明細書において説明されたいくつかまたはすべての方式において、ｍＢは、フィードバック（例えば、繰り返しおよび／または暗黙的なＨＡＲＱ再送）のために、２つ以上のＵＬ  ＷＴＲＵ制御ビームを構成することができる。
【０２２７】
図２４Ａは、１つまたは複数の開示される実施形態を実施することができる、例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスすることを可能することができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【０２２８】
図２４Ａに示されるように、通信システム１００は、（一般にまたは一括してＷＴＲＵ１０２と呼ばれることがある）無線送受信ユニット（ＷＴＲＵ）１０２ａ、１０２ｂ、１０２ｃ、および／または１０２ｄ、無線アクセスネットワーク（ＲＡＮ）１０３／１０４／１０５、コアネットワーク１０６／１０７／１０９、公衆交換電話網（ＰＳＴＮ）１０８、インターネット１１０、ならびに他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された、任意のタイプのデバイスとすることができる。例として、ＷＴＲＵ１０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などを含むことができる。
【０２２９】
通信システム１００は、基地局１１４ａおよび基地局１１４ｂも含むことができる。基地局１１４ａ、１１４ｂの各々は、コアネットワーク１０６／１０７／１０９、インターネット１１０、および／またはネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェース接続するように構成された、任意のタイプのデバイスとすることができる。例として、基地局１１４ａ、１１４ｂは、基地送受信機局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは、各々が、単一の要素として示されているが、基地局１１４ａ、１１４ｂは、任意の数の相互接続された基地局および／またはネットワーク要素を含むことができることが理解されよう。
【０２３０】
基地局１１４ａは、ＲＡＮ１０３／１０４／１０５の部分とすることができ、ＲＡＮ１０３／１０４／１０５は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、特定の地理的領域内において無線信号を送信および／または受信するように構成することができる。セルは、さらにセルセクタに分割することができる。例えば、基地局１１４ａに関連付けられたセルは、３つのセクタに分割することができる。したがって、一実施形態においては、基地局１１４ａは、送受信機を３つ、例えば、セルのセクタごとに１つずつ含むことができる。別の実施形態においては、基地局１１４ａは、多入力多出力（ＭＩＭＯ）技術を利用することができ、したがって、セルのセクタごとに複数の送受信機を利用することができる。
【０２３１】
基地局１１４ａ、１１４ｂは、エアインターフェース１１５／１１６／１１７上において、ＷＴＲＵ１０２ａ、１０２ｂ、１０２ｃ、１０２ｄのうちの１つまたは複数と通信することができ、エアインターフェース１１５／１１６／１１７は、任意の適切な無線通信リンク（例えば、無線周波（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立することができる。
【０２３２】
より具体的には、上で言及されたように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を利用することができる。例えば、ＲＡＮ１０３／１０４／１０５内の基地局１１４ａ、およびＷＴＲＵ１０２ａ、１０２ｂ、１０２ｃは、広帯域ＣＤＭＡ（ＷＣＤＭＡ）を使用してエアインターフェース１１５／１１６／１１７を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【０２３３】
別の実施形態においては、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１５／１１６／１１７を確立することができる、進化型ＵＭＴＳ地上無線アクセス（Ｅ−ＵＴＲＡ）などの無線技術を実施することができる。
【０２３４】
他の実施形態においては、基地局１１４ａ、およびＷＴＲＵ１０２ａ、１０２ｂ、１０２ｃは、ＩＥＥＥ８０２．１６（例えば、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用の高速データレート（ＥＤＧＥ）、およびＧＳＭ  ＥＤＧＥ（ＧＥＲＡＮ）などの無線技術を実施することができる。
【０２３５】
図２４Ａの基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を容易にするため、任意の適切なＲＡＴを利用することができる。一実施形態においては、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立できる。別の実施形態においては、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立できる。また別の実施形態においては、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図２４Ａに示されるように、基地局１１４ｂは、インターネット１１０への直接的な接続を有することがある。したがって、基地局１１４ｂは、コアネットワーク１０６／１０７／１０９を介してインターネット１１０にアクセスするために使用されなくてよく、または使用されなくてよいことがある。
【０２３６】
ＲＡＮ１０３／１０４／１０５は、コアネットワーク１０６／１０７／１０９と通信することができ、コアネットワーク１０６／１０７／１０９は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された、任意のタイプのネットワークとすることができる。例えば、コアネットワーク１０６／１０７／１０９は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図２４Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを利用する他のＲＡＮと直接的または間接的に通信することができることが理解されよう。例えば、Ｅ−ＵＴＲＡ無線技術を利用することができるＲＡＮ１０３／１０４／１０５に接続するのに加えて、コアネットワーク１０６／１０７／１０９は、ＧＳＭ無線技術を利用する別のＲＡＮ（図示されず）とも通信することができる。
【０２３７】
コアネットワーク１０６／１０７／１０９は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割も果たすことができる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークおよびデバイスからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０３／１０４／１０５と同じＲＡＴまたは異なるＲＡＴを利用することができる１つまたは複数のＲＡＮに接続された、別のコアネットワークを含むことができる。
【０２３８】
通信システム１００内のＷＴＲＵ１０２ａ、１０２ｂ、１０２ｃ、１０２ｄのうちの１つまたは複数は、マルチモード機能を含むことができ、例えば、ＷＴＲＵ１０２ａ、１０２ｂ、１０２ｃ、１０２ｄは、異なる無線リンク上で異なる無線ネットワークと通信するための複数の送受信機を含むことができる。例えば、図２４Ａに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【０２３９】
図２４Ｂは、例示的なＷＴＲＵ１０２のシステム図である。図２４Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されよう。また、実施形態は、基地局１１４ａ、１１４ｂ、ならびに／または基地局１１４ａ、１１４ｂが表することができる、とりわけ、送受信機局（ＢＴＳ）、ノードＢ、サイトコントローラ、アクセスポイント（ＡＰ）、ホームノードＢ、進化型ノードＢ（ｅノードＢ）、ホーム進化型ノードＢ（ＨｅＮＢ）、ホーム進化型ノードＢゲートウェイ、およびプロキシノードなどの、しかし、それらに限定されないノードが、図２４Ｂに示され、本明細書で説明される要素のいくつかまたはすべてを含むことができることを企図している。
【０２４０】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入力／出力処理、および／またはＷＴＲＵ１０２が無線環境で動作することを可能にする他の任意の機能性を実行することができる。プロセッサ１１８は、送受信機１２０に結合することができ、送受信機１２０は、送信／受信要素１２２に結合することができる。図２４Ｂは、プロセッサ１１８と送受信機１２０を別個の構成要素として示しているが、プロセッサ１１８と送受信機１２０は、電子パッケージまたはチップ内に一緒に統合することができることが理解されよう。
【０２４１】
送信／受信要素１２２は、エアインターフェース１１５／１１６／１１７上において、基地局（例えば、基地局１１４ａ）に信号を送信し、または基地局から信号を受信するように構成することができる。例えば、一実施形態においては、送信／受信要素１２２は、ＲＦ信号を送信および／または受信するように構成されたアンテナとすることができる。別の実施形態においては、送信／受信要素１２２は、例えば、ＩＲ、ＵＶ、または可視光信号を送信および／または受信するように構成された放射器／検出器とすることができる。また別の実施形態においては、送信／受信要素１２２は、ＲＦ信号および光信号の両方を送信および受信するように構成することができる。送信／受信要素１２２は、無線信号の任意の組み合わせを送信および／または受信するように構成することができることが理解されよう。
【０２４２】
加えて、図２４Ｂにおいては、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１５／１１６／１１７上において無線信号を送信および受信するための２つ以上の送信／受信要素１２２（例えば、複数のアンテナ）を含むことができる。
【０２４３】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１など、複数のＲＡＴを介して通信することを可能にするための、複数の送受信機を含むことができる。
【０２４４】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【０２４５】
プロセッサ１１８は、電源１３４から電力を受け取ることができ、ＷＴＲＵ１０２内の他の構成要素への電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【０２４６】
プロセッサ１１８は、ＧＰＳチップセット１３６に結合することもでき、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはその代わりに、ＷＴＲＵ１０２は、基地局（例えば、基地局１１４ａ、１１４ｂ）からエアインターフェース１１５／１１６／１１７上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を取得することができることが理解されよう。
【０２４７】
プロセッサ１１８は、他の周辺機器１３８にさらに結合することができ、他の周辺機器１３８は、追加的な特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【０２４８】
図２４Ｃは、実施形態による、ＲＡＮ１０３およびコアネットワーク１０６のシステム図である。上で言及されたように、ＲＡＮ１０３は、ＵＴＲＡ無線技術を利用して、エアインターフェース１１５上においてＷＴＲＵ１０２ａ、１０２ｂ、１０２ｃと通信することができる。ＲＡＮ１０３は、コアネットワーク１０６と通信することもできる。図２４Ｃに示されるように、ＲＡＮ１０３は、ノードＢ１４０ａ、１４０ｂ、１４０ｃを含むことができ、ノードＢ１４０ａ、１４０ｂ、１４０ｃは、各々が、エアインターフェース１１５上においてＷＴＲＵ１０２ａ、１０２ｂ、１０２ｃと通信するための１つまたは複数の送受信機を含むことができる。ノードＢ１４０ａ、１４０ｂ、１４０ｃは、各々、ＲＡＮ１０３内の特定のセル（図示されず）に関連付けることができる。ＲＡＮ１０３は、ＲＮＣ１４２ａ、１４２ｂを含むこともできる。ＲＡＮ１０３は、実施形態との整合性を保ちながら、任意の数のノードＢおよびＲＮＣを含むことができることが理解されよう。
【０２４９】
図２４Ｃに示されるように、ノードＢ１４０ａ、１４０ｂは、ＲＮＣ１４２ａと通信することができる。加えて、ノードＢ１４０ｃは、ＲＮＣ１４２ｂと通信することができる。ノードＢ１４０ａ、１４０ｂ、１４０ｃは、Ｉｕｂインターフェースを介して、それぞれのＲＮＣ１４２ａ、１４２ｂと通信することができる。ＲＮＣ１４２ａ、１４２ｂは、Ｉｕｒインターフェースを介して、互いに通信することができる。ＲＮＣ１４２ａ、１４２ｂの各々は、それが接続されたそれぞれのノードＢ１４０ａ、１４０ｂ、１４０ｃを制御するように構成することができる。加えて、ＲＮＣ１４２ａ、１４２ｂの各々は、アウタループ電力制御、負荷制御、アドミッションコントロール、パケットスケジューリング、ハンドオーバ制御、マクロダイバーシティ、セキュリティ機能、およびデータ暗号化など、他の機能性を実施またはサポートするように構成することができる。
【０２５０】
図２４Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素の各々は、コアネットワーク１０６の部分として示されているが、これらの要素のうちのいずれの１つも、コアネットワークオペレータとは異なるエンティティによって所有および／または運営することができることが理解されよう。
【０２５１】
ＲＡＮ１０３内のＲＮＣ１４２ａは、ＩｕＣＳインターフェースを介して、コアネットワーク１０６内のＭＳＣ１４６に接続することができる。ＭＳＣ１４６は、ＭＧＷ１４４に接続することができる。ＭＳＣ１４６およびＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと陸線通信デバイスとの間の通信を容易にすることができる。
【０２５２】
ＲＡＮ１０３内のＲＮＣ１４２ａは、ＩｕＰＳインターフェースを介して、コアネットワーク１０６内のＳＧＳＮ１４８に接続することもできる。ＳＧＳＮ１４８は、ＧＧＳＮ１５０に接続することができる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【０２５３】
上で言及されたように、コアネットワーク１０６は、ネットワーク１１２に接続することもでき、ネットワーク１１２は、他のサービスプロバイダによって所有および／または運営される他の有線または無線ネットワークを含むことができる。
【０２５４】
図２４Ｄは、実施形態による、ＲＡＮ１０４およびコアネットワーク１０７のシステム図である。上で言及されたように、ＲＡＮ１０４は、エアインターフェース１１６上においてＷＴＲＵ１０２ａ、１０２ｂ、１０２ｃと通信するために、Ｅ−ＵＴＲＡ無線技術を利用することができる。ＲＡＮ１０４は、コアネットワーク１０７と通信することもできる。
【０２５５】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上においてＷＴＲＵ１０２ａ、１０２ｂ、１０２ｃと通信するための１つまたは複数の送受信機を含むことができる。一実施形態においては、ｅノードＢ１６０ａ、１６０ｂ、１６０ｃは、ＭＩＭＯ技術を実施することができる。したがって、ｅノードＢ１６０ａは、例えば、複数のアンテナを使用して、ＷＴＲＵ１０２ａに無線信号を送信し、ＷＴＲＵ１０２ａから無線信号を受信することができる。
【０２５６】
ｅノードＢ１６０ａ、１６０ｂ、１６０ｃの各々は、特定のセル（図示されず）に関連付けることができ、無線リソース管理決定、ハンドオーバ決定、ならびにアップリンクおよび／またはダウンリンクにおけるユーザのスケジューリングなどを処理するように構成することができる。図２４Ｄに示されるように、ｅノードＢ１６０ａ、１６０ｂ、１６０ｃは、Ｘ２インターフェース上において互いに通信することができる。
【０２５７】
図２４Ｄに示されるコアネットワーク１０７は、モビリティ管理ゲートウェイ（ＭＭＥ）１６２と、サービングゲートウェイ１６４と、パケットデータネットワーク（ＰＤＮ）ゲートウェイ１６６とを含むことができる。上記の要素の各々は、コアネットワーク１０７の部分として示されているが、これらの要素のうちのいずれの１つも、コアネットワークオペレータとは異なるエンティティによって所有および／または運営することができることが理解されよう。
【０２５８】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続中における特定のサービングゲートウェイの選択などを担うことができる。ＭＭＥ１６２は、ＲＡＮ１０４と、ＧＳＭまたはＷＣＤＭＡなどの他の無線技術を利用する他のＲＡＮ（図示されず）との間の交換のためのコントロールプレーン機能を提供することもできる。
【０２５９】
サービングゲートウェイ１６４は、Ｓ１インターフェースを介して、ＲＡＮ１０４内のｅノードＢ１６０ａ、１６０ｂ、１６０ｃの各々に接続することができる。サービングゲートウェイ１６４は、一般に、ユーザデータパケットのＷＴＲＵ１０２ａ、１０２ｂ、１０２ｃへの／からのルーティングおよび転送を行うことができる。サービングゲートウェイ１６４は、ｅノードＢ間ハンドオーバ中におけるユーザプレーンのアンカリング、ダウンリンクデータがＷＴＲＵ１０２ａ、１０２ｂ、１０２ｃに利用可能なときのページングのトリガ、ならびにＷＴＲＵ１０２ａ、１０２ｂ、１０２ｃのコンテキストの管理および記憶など、他の機能を実行することもできる。
【０２６０】
サービングゲートウェイ１６４は、ＰＤＮゲートウェイ１６６に接続することもでき、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【０２６１】
コアネットワーク１０７は、他のネットワークとの通信を容易にすることができる。例えば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと陸線通信デバイスとの間の通信を容易にすることができる。例えば、コアネットワーク１０７は、コアネットワーク１０７とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、コアネットワーク１０７は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【０２６２】
図２４Ｅは、実施形態による、ＲＡＮ１０５およびコアネットワーク１０９のシステム図である。ＲＡＮ１０５は、ＩＥＥＥ８０２．１６無線技術を利用して、エアインターフェース１１７上においてＷＴＲＵ１０２ａ、１０２ｂ、１０２ｃと通信する、アクセスサービスネットワーク（ＡＳＮ）とすることができる。以下でさらに説明されるように、ＷＴＲＵ１０２ａ、１０２ｂ、１０２ｃ、ＲＡＮ１０５、およびコアネットワーク１０９の異なる機能エンティティ間の通信リンクは、参照点として定義することができる。
【０２６３】
図２４Ｅに示されるように、ＲＡＮ１０５は、基地局１８０ａ、１８０ｂ、１８０ｃと、ＡＳＮゲートウェイ１８２とを含むことができるが、ＲＡＮ１０５は、実施形態との整合性を保ちながら、任意の数の基地局およびＡＳＮゲートウェイを含むことができることが理解されよう。基地局１８０ａ、１８０ｂ、１８０ｃは、各々、ＲＡＮ１０５内の特定のセル（図示されず）に関連付けることができ、各々が、エアインターフェース１１７上においてＷＴＲＵ１０２ａ、１０２ｂ、１０２ｃと通信するための１つまたは複数の送受信機を含むことができる。一実施形態においては、基地局１８０ａ、１８０ｂ、１８０ｃは、ＭＩＭＯ技術を実施することができる。したがって、基地局１８０ａは、例えば、複数のアンテナを使用して、ＷＴＲＵ１０２ａに無線信号を送信し、ＷＴＲＵ１０２ａから無線信号を受信することができる。基地局１８０ａ、１８０ｂ、１８０ｃは、ハンドオフトリガリング、トンネル確立、無線リソース管理、トラフィック分類、およびサービス品質（ＱｏＳ）ポリシ実施などの、モビリティ管理機能を提供することもできる。ＡＳＮゲートウェイ１８２は、トラフィック集約ポイントとしての役割を果たすことができ、ページング、加入者プロファイルのキャッシング、およびコアネットワーク１０９へのルーティングなどを担うことができる。
【０２６４】
ＷＴＲＵ１０２ａ、１０２ｂ、１０２ｃとＲＡＮ１０５との間のエアインターフェース１１７は、ＩＥＥＥ８０２．１６仕様を実施する、Ｒ１参照点として定義することができる。加えて、ＷＴＲＵ１０２ａ、１０２ｂ、１０２ｃの各々は、コアネットワーク１０９との論理インターフェース（図示されず）を確立することができる。ＷＴＲＵ１０２ａ、１０２ｂ、１０２ｃとコアネットワーク１０９との間の論理インターフェースは、Ｒ２参照点として定義することができ、Ｒ２参照点は、認証、認可、ＩＰホスト構成管理、および／またはモビリティ管理のために使用することができる。
【０２６５】
基地局１８０ａ、１８０ｂ、１８０ｃの各々の間の通信リンクは、Ｒ８参照点として定義することができ、Ｒ８参照点は、ＷＴＲＵハンドオーバおよび基地局間でのデータの転送を容易にするためのプロトコルを含む。基地局１８０ａ、１８０ｂ、１８０ｃとＡＳＮゲートウェイ１８２との間の通信リンクは、Ｒ６参照点として定義することができる。Ｒ６参照点は、ＷＴＲＵ１０２ａ、１０２ｂ、１０２ｃの各々に関連付けられたモビリティイベントに基づいたモビリティ管理を容易にするためのプロトコルを含むことができる。
【０２６６】
図２４Ｅに示されるように、ＲＡＮ１０５は、コアネットワーク１０９に接続することができる。ＲＡＮ１０５とコアネットワーク１０９との間の通信リンクは、Ｒ３参照点として定義することができ、Ｒ３参照点は、例えば、データ転送およびモビリティ管理機能を容易にするためのプロトコルを含む。コアネットワーク１０９は、モバイルＩＰホームエージェント（ＭＩＰ−ＨＡ）１８４と、認証認可課金（ＡＡＡ）サーバ１８６と、ゲートウェイ１８８とを含むことができる。上記の要素の各々は、コアネットワーク１０９の部分として示されているが、これらの要素のうちのいずれの１つも、コアネットワークオペレータとは異なるエンティティによって所有および／または運営することができることが理解されよう。
【０２６７】
ＭＩＰ−ＨＡは、ＩＰアドレス管理を担うことができ、ＷＴＲＵ１０２ａ、１０２ｂ、１０２ｃが、異なるＡＳＮおよび／または異なるコアネットワークの間でローミングを行うことを可能にすることができる。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＡＡＡサーバ１８６は、ユーザ認証、およびユーザサービスのサポートを担うことができる。ゲートウェイ１８８は、他のネットワークとの網間接続を容易にすることができる。例えば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと陸線通信デバイスとの間の通信を容易にすることができる。加えて、ゲートウェイ１８８は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【０２６８】
図２４Ｅには示されていないが、ＲＡＮ１０５は、他のＡＳＮに接続することができ、コアネットワーク１０９は、他のコアネットワークに接続することができることが理解されよう。ＲＡＮ１０５と他のＡＳＮとの間の通信リンクは、Ｒ４参照点として定義することができ、Ｒ４参照点は、ＲＡＮ１０５と他のＡＳＮとの間でＷＴＲＵ１０２ａ、１０２ｂ、１０２ｃのモビリティを調整するためのプロトコルを含むことができる。コアネットワーク１０９と他のコアネットワークとの間の通信リンクは、Ｒ５参照点として定義することができ、Ｒ５参照点は、ホームコアネットワークと在圏コアネットワークとの間の網間接続を容易にするためのプロトコルを含むことができる。
【０２６９】
上では特徴および要素が特定の組み合わせで説明されたが、各特徴または要素は、単独で使用することができ、または他の特徴および要素との任意の組み合わせで使用することができることを当業者は理解されよう。加えて、本明細書で説明された方法は、コンピュータまたはプロセッサによって実行される、コンピュータ可読媒体内に包含された、コンピュータプログラム、ソフトウェア、またはファームウェアで実施することができる。コンピュータ可読媒体の例は、（有線または無線接続上で送信される）電子信号、およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、それらに限定されない。ソフトウェアと連携するプロセッサを使用して、ＷＴＲＵ、ＵＥ、端末、基地局、ＲＮＣ、または任意のホストコンピュータでの使用のための無線周波数送受信機を実施することができる。
【図１】
2019503149.tif 000010
【図２】
2019503149.tif 000011
【図３】
2019503149.tif 000012
【図４】
2019503149.tif 000013
【図５】
2019503149.tif 000014
【図６】
2019503149.tif 000015
【図７】
2019503149.tif 000016
【図８】
2019503149.tif 000017
【図９】
2019503149.tif 000018
【図１０】
2019503149.tif 000019
【図１１】
2019503149.tif 000020
【図１２】
2019503149.tif 000021
【図１３】
2019503149.tif 000022
【図１４】
2019503149.tif 000023
【図１５】
2019503149.tif 000024
【図１６】
2019503149.tif 000025
【図１７】
2019503149.tif 000026
【図１８】
2019503149.tif 000027
【図１９】
2019503149.tif 000028
【図２０】
2019503149.tif 000029
【図２１】
2019503149.tif 000030
【図２２】
2019503149.tif 000031
【図２３】
2019503149.tif 000032
【図２４Ａ】
2019503149.tif 000033
【図２４Ｂ】
2019503149.tif 000034
【図２４Ｃ】
2019503149.tif 000035
【図２４Ｄ】
2019503149.tif 000036
【図２４Ｅ】
2019503149.tif 000037
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
無線通信のために構成された無線送受信ユニット（ＷＴＲＵ）であって、
メモリと、
プロセッサとを備え、前記プロセッサは、少なくとも、
１つ以上のビームの少なくとも第１のビームにおいて、物理ダウンリンク制御チャネル（ＰＤＣＣＨ）を受信し、
前記ＰＤＣＣＨの中に含まれるダウンリンク制御情報（ＤＣＩ）を解釈し、
ダウンリンク（ＤＬ）データチャネルのための空間情報が前記ＤＣＩの中に示されているかどうかを決定し、
前記ＤＣＩが前記ＤＬデータチャネルのための前記空間情報を示している条件で、前記ＤＬデータチャネルのための前記空間情報から受信ビームを決定し、
前記ＤＣＩが前記ＤＬデータチャネルのための前記空間情報を示していない条件で、前記受信ビームは前記第１のビームであると決定し、
前記決定された受信ビーム上で、前記ＤＬデータチャネルを監視する
ように構成された、ＷＴＲＵ。
【請求項２】
前記空間情報は、前記ＤＬデータチャネルに対するグラント、黙示的なＤＬデータチャネルビーム識別、または、ＤＬデータチャネル基準信号（ＲＳ）シーケンス番号の少なくとも１つを含む請求項１に記載のＷＴＲＵ。
【請求項３】
前記ＤＬデータチャネルのための前記空間情報を前記表示していることは、ＤＬ基準信号（ＲＳ）に基づいている請求項１に記載のＷＴＲＵ。
【請求項４】
前記プロセッサは、
１つ以上の探索空間を監視し、当該１つ以上の探索空間は、１つ以上のダウンリンク（ＤＬ）制御チャネルの監視、または前記ＤＬ制御チャネルの受信、１つ以上の基準信号の内の少なくとも１つの基準信号（ＲＳ）に対応している前記１つ以上の探索空間の内の少なくとも１つの探索空間の、少なくとも１つを提供し、
前記１つ以上の基準信号の内の少なくとも１つのＲＳに対する制御リージョンの少なくとも一部を監視し、
前記制御リージョンの前記少なくとも一部における前記少なくとも１つのＲＳを検出し、
前記少なくとも１つのＲＳの前記検出をすると、少なくとも１つのＤＬ制御チャネルのための前記少なくとも１つのＲＳに対応する前記少なくとも１つの探索空間を監視する
ようにさらに構成された請求項１に記載のＷＴＲＵ。
【請求項５】
前記少なくとも１つの探索空間は、前記ＤＣＩを含み、前記プロセッサは、前記ＤＣＩに少なくとも部分的に基づいて、前記少なくとも１つのＤＬ制御チャネルを監視するようさらに構成された請求項４に記載のＷＴＲＵ。
【請求項６】
前記プロセッサは、前記制御リージョンの前記少なくとも部分が、前記制御リージョンの数々の部分のうちの１つの部分であるようにさらに構成された請求項４に記載のＷＴＲＵ。
【請求項７】
前記プロセッサは、前記制御リージョンの部分の数が、前記制御リージョンのために構成されたシンボルの数の関数であるようにさらに構成された請求項６に記載のＷＴＲＵ。
【請求項８】
送受信機をさらに備え、当該送受信機は、無線通信システムネットワークから前記少なくとも１つの探索空間を受信するように構成された請求項４に記載のＷＴＲＵ。
【請求項９】
無線通信のために構成された無線送受信ユニット（ＷＴＲＵ）によって実施される方法であって、
１つ以上のビームの少なくとも第１のビームにおいて、物理ダウンリンク制御チャネル（ＰＤＣＣＨ）を受信するステップと、
前記ＰＤＣＣＨの中に含まれるダウンリンク制御情報（ＤＣＩ）を解釈するステップと、
ダウンリンク（ＤＬ）データチャネルのための空間情報が前記ＤＣＩの中に示されているかどうかを決定するステップと、
前記ＤＣＩが前記ＤＬデータチャネルのための前記空間情報を示している条件で、前記ＤＬデータチャネルのための前記空間情報から受信ビームを決定するステップと、
前記ＤＣＩが前記ＤＬデータチャネルのための前記空間情報を示していない条件で、前記受信ビームは前記第１のビームであると決定するステップと、
前記決定された受信ビーム上で、前記ＤＬデータチャネルを監視するステップと
を備える方法。
【請求項１０】
前記空間情報は、前記ＤＬデータチャネルに対するグラント、黙示的なＤＬデータチャネルビーム識別、または、ＤＬデータチャネル基準信号（ＲＳ）シーケンス番号の少なくとも１つを含む請求項９に記載の方法。
【請求項１１】
前記ＤＬデータチャネルのための前記空間情報を前記表示していることは、ＤＬ基準信号（ＲＳ）に基づいている請求項９に記載の方法。
【請求項１２】
１つ以上の探索空間を監視するステップであって、当該１つ以上の探索空間は、１つ以上のダウンリンク（ＤＬ）制御チャネルの監視、または前記ＤＬ制御チャネルの受信、１つ以上の基準信号の内の少なくとも１つの基準信号（ＲＳ）に対応している前記１つ以上の探索空間の内の少なくとも１つの探索空間の、少なくとも１つを提供している、ステップと、
前記１つ以上の基準信号の内の少なくとも１つのＲＳに対する制御リージョンの少なくとも一部を監視するステップと、
前記制御リージョンの前記少なくとも一部における前記少なくとも１つのＲＳを検出するステップと、
前記少なくとも１つのＲＳの前記検出をすると、少なくとも１つのＤＬ制御チャネルのための前記少なくとも１つのＲＳに対応する前記少なくとも１つの探索空間を監視するステップと
をさらに備える請求項９に記載の方法。
【請求項１３】
前記少なくとも１つの探索空間は、前記ＤＣＩを含み、
前記ＤＣＩに少なくとも一部に基づいて、前記少なくとも１つのＤＬ制御チャネルを監視するステップ
をさらに備える請求項１２に記載の方法。
【請求項１４】
前記制御リージョンの前記少なくとも部分が、前記制御リージョンの数々の部分のうちの１つの部分である請求項１２に記載の方法。
【請求項１５】
前記制御リージョンの部分の数が、前記制御リージョンのために構成されたシンボルの数の関数である請求項１４に記載の方法。
【国際調査報告】
2019503149.tif 000038
2019503149.tif 000039